(57)【要約】【課題】無線で通信する無線通信端末を提供する。【解決手段】無線で通信する無線通信端末が開示される。無線通信端末は、送受信部と、プロセッサと、を含む。前記プロセッサは前記送受信部を介して第１ＰＰＤＵ(ＰＬＣＰ  Ｐｒｏｔｏｃｏｌ  Ｄａｔａ  Ｕｎｉｔ）のシグナリングフィールドを受信して、前記シグナリングフィールドが示すＢＳＳ（Ｂａｓｉｃ  Ｓｅｒｖｉｃｅ  Ｓｅｔ）を識別する情報に基づきチャネルにアクセス（ａｃｃｅｓｓ)する。【選択図】図２３
2019186970.tif 000002
【特許請求の範囲】
【請求項１】
無線で通信する無線通信端末において、
送受信部と、
プロセッサと、を含み、
前記プロセッサは、
前記送受信部を介してＰＰＤＵ(ＰＬＣＰ  Ｐｒｏｔｏｃｏｌ  Ｄａｔａ  Ｕｎｉｔ）のシグナリングフィールドを受信し、
前記ＰＰＤＵに含まれるＭＡＣヘッダのアドレス（Ａｄｄｒｅｓｓ）フィールドを取得し、
前記シグナリングフィールドが示すＢＳＳ（Ｂａｓｉｃ  Ｓｅｒｖｉｃｅ  Ｓｅｔ）を識別する情報が前記無線通信端末を含むＢＳＳについてのＢＳＳを識別する情報と同じであり、且つ、前記取得された前記ＰＰＤＵに含まれるＭＡＣヘッダのアドレスフィールドが前記無線通信端末を含むＢＳＳとは異なるＢＳＳを前記ＰＰＤＵを送信したＢＳＳとして示しているときに、前記ＰＰＤＵがＩｎｔｅｒ−ＢＳＳフレームを含むと判断し、
前記ＰＰＤＵがＩｎｔｅｒ−ＢＳＳフレームを含むという前記判断に基づいてチャネルにアクセス（ａｃｃｅｓｓ）する、ように構成され、
前記ＭＡＣヘッダのアドレスフィールドは、ＭＰＤＵ（ＭＡＣ  Ｐｒｏｔｏｃｏｌ  Ｄａｔａ  Ｕｎｉｔ）に関連付けられたＭＡＣアドレスを示す、
無線通信端末。
【請求項２】
前記ＢＳＳを識別する情報として、同じ値が異なるＢＳＳによって使われることが可能である、
請求項１に記載の無線通信端末。
【請求項３】
前記ＢＳＳを識別する情報によって識別されることが可能であるＢＳＳの最大の数は、前記ＭＡＣヘッダのアドレス（Ａｄｄｒｅｓｓ）フィールドによって識別されることが可能であるＢＳＳの最大の数よりも小さい、
請求項２に記載の無線通信端末。
【請求項４】
前記プロセッサは、前記ＭＡＣヘッダの伝送ステーション（ＳＴＡ）アドレス（ＴＡ）フィールド、受信ステーション（ＳＴＡ）アドレス（ＲＡ）フィールド、及び、ＢＳＳＩＤフィールドの少なくとも一つに基づいて、前記ＰＰＤＵがＩｎｔｅｒ−ＢＳＳフレームを含むか、Ｉｎｔｒａ−ＢＳＳフレームを含むかを判定するように構成された、
請求項１に記載の無線通信端末。
【請求項５】
前記プロセッサは、前記ＰＰＤＵがＩｎｔｅｒ−ＢＳＳフレームを含むという前記判断に基づきチャネルにアクセスするために用いられるＣＣＡ（Ｃｌｅａｒ  Ｃｈａｎｎｅｌ  Ａｓｓｅｓｓｍｅｎｔ）閾値を決定するように構成された、
請求項１に記載の無線通信端末。
【請求項６】
前記プロセッサは、前記シグナリングフィールドが示す前記ＢＳＳ（Ｂａｓｉｃ  Ｓｅｒｖｉｃｅ  Ｓｅｔ）を識別する情報に基づきパワーセーブモードに移行するように構成された、
請求項１に記載の無線通信端末。
【請求項７】
無線で通信する無線通信端末の動作方法であって、
送受信部を介してＰＰＤＵ（ＰＬＣＰ  Ｐｒｏｔｏｃｏｌ  Ｄａｔａ  Ｕｎｉｔ）のシグナリングフィールドを受信することと、
前記ＰＰＤＵに含まれるＭＡＣヘッダのアドレス（Ａｄｄｒｅｓｓ）フィールドを取得することと、
前記シグナリングフィールドが示すＢＳＳ（Ｂａｓｉｃ  Ｓｅｒｖｉｃｅ  Ｓｅｔ）を識別する情報が前記無線通信端末を含むＢＳＳについてのＢＳＳを識別する情報と同じであり、且つ、前記取得された前記ＰＰＤＵに含まれるＭＡＣヘッダのアドレスフィールドが前記無線通信端末を含むＢＳＳとは異なるＢＳＳを前記ＰＰＤＵを送信したＢＳＳとして示しているときに、前記ＰＰＤＵがＩｎｔｅｒ−ＢＳＳフレームを含むと判断することと、
前記ＰＰＤＵがＩｎｔｅｒ−ＢＳＳフレームを含むという前記判断に基づいてチャネルにアクセスすることと、を含み、
前記ＭＡＣヘッダのアドレスフィールドは、ＭＰＤＵ（ＭＡＣ  Ｐｒｏｔｏｃｏｌ  Ｄａｔａ  Ｕｎｉｔ）に関連付けられたＭＡＣアドレスを示す、
動作方法。
【請求項８】
前記ＢＳＳを識別する情報として、同じ値が異なるＢＳＳによって使われることが可能である、
請求項７に記載の動作方法。
【請求項９】
前記ＢＳＳを識別する情報によって識別されることが可能であるＢＳＳの最大の数は、前記ＭＡＣヘッダのアドレス（Ａｄｄｒｅｓｓ）フィールドによって識別されることが可能であるＢＳＳの最大の数よりも小さい、
請求項８に記載の動作方法。
【請求項１０】
前記チャネルにアクセスすることは、前記ＭＡＣヘッダの伝送ステーション（ＳＴＡ）アドレス（ＴＡ）フィールド、受信ステーション（ＳＴＡ）アドレス（ＲＡ）フィールド、及び、ＢＳＳＩＤフィールドの少なくとも一つに基づいて、前記ＰＰＤＵがＩｎｔｅｒ−ＢＳＳフレームを含むか、Ｉｎｔｒａ−ＢＳＳフレームを含むかを判定することを含む、
請求項７に記載の動作方法。
【請求項１１】
前記チャネルにアクセスすることは、前記ＰＰＤＵがＩｎｔｅｒ−ＢＳＳフレームを含むという前記判断に基づきチャネルにアクセスするために用いられるＣＣＡ（Ｃｌｅａｒ  Ｃｈａｎｎｅｌ  Ａｓｓｅｓｓｍｅｎｔ）閾値を決定することを含む、
請求項７に記載の動作方法。
【発明の詳細な説明】
【技術分野】
【０００１】
本発明は、重複する基本サービスセットを含む高密度環境における無線通信方法及び無線通信端末に関する。
【背景技術】
【０００２】
最近、モバイル機器の普及が拡大されるにつれ、これらに速い無線インターネットサービスを提供する無線ＬＡＮ（Ｗｉｒｅｌｅｓｓ  ＬＡＮ）技術が脚光を浴びている。無線ＬＡＮ技術は、近距離で無線通信技術に基づいてスマートフォン、スマートパッド、ラップトップコンピュータ、携帯型マルチメディアプレーヤー、組み込み（ｅｍｂｅｄｅｄ）機器などのようなモバイル機器を家庭や企業、または特定サービス提供地域で無線でインターネットに接続するようにする技術である。
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）  ８０２．１１は、２．４ＧＨｚの周波数を利用した初期の無線ＬＡＮ技術を支援した以来、多様な技術の標準を実用化または開発中である。まず、ＩＥＥＥ  ８０２．１１ｂは、２．４ＧＨｚバンドの周波数を使用しながら最高１１Ｍｂｐｓの通信速度を支援する。ＩＥＥＥ  ８０２．１１ｂの後に商用化されたＩＥＥＥ８０２．１１ａは、２．４ＧＨｚバンドではなく５ＧＨｚバンドの周波数を使用することで、相当混雑な２．４ＧＨｚバンドの周波数に比べ干渉に対する影響を減らしており、ＯＦＤＭ技術を使用して通信速度を最大５４Ｍｂｐｓまで向上させた。しかし、ＩＥＥＥ  ８０２．１１ａはＩＥＥＥ  ８０２．１１ｂに比べ通信距離が短い短所がある。そして、ＩＥＥＥ  ８０２．１１ｇはＩＥＥＥ  ８０２．１１ｂと同じく２．４ＧＨｚバンドの周波数を利用して最大５４Ｍｐｂｓの通信速度を具現し、下位互換性（ｂａｃｋｗａｒｄ  ｃｏｍｐａｔｉｂｉｌｉｔｙ）を満足しているため相当な注目を浴びたが、通信距離においてもＩＥＥＥ  ８０２．１１ａより優位にある。
そして、無線ＬＡＮで脆弱点として指摘されてきた通信速度に対する限界を克服するために制定された技術規格として、ＩＥＥＥ  ８０２．１１ｎがある。ＩＥＥＥ  ８０２．１１ｎはネットワークの速度と信頼性を増加し、無線ネットワークの運営距離を拡張するのにその目的がある。より詳しくは、ＩＥＥＥ  ８０２．１１ｎではデータの処理速度が最大５４０Ｍｐｂｓ以上の高スループット（Ｈｉｇｈ  Ｔｈｒｏｕｇｈｐｕｔ、ＨＴ）を支援し、また、伝送エラーを最小化しデータ速度を最適化するために送信部と受信部の両端共に多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基盤している。また、この規格はデータの信頼性を上げるために重複する写本を多数個伝送するコーディング方式を使用する。
無線ＬＡＮの普及が活性化され、またこれを利用したアプリケーションが多様化されるにつれ、ＩＥＥＥ  ８０２．１１ｎを支援するデータ処理速度より高いスループット（Ｖｅｒｙ  Ｈｉｇｈ  Ｔｈｒｏｕｇｈｐｕｔ、ＶＨＴ）を支援するための新たな無線ＬＡＮシステムに対する要請が台頭した。このうち、ＩＥＥＥ  ８０２．１１ａｃは５ＧＨｚ周波数で広い帯域幅（８０ＭＨｚ〜１６０ＭＨｚ）を支援する。ＩＥＥＥ  ８０２．１１ａｃ標準は５ＧＨｚ帯域でのみ定義されていたが、従来の２．４ＧＨｚ帯域の製品との下位互換性のために、初期１１ａｃチップセットは２．４ＧＨｚ帯域での動作も支援する。理論的に、この規格によると、多重ステーションの無線ＬＡＮの速度は最小１Ｇｂｐｓ、最大単一リンクの速度は最小５００Ｍｂｐｓまで可能になる。これは、より広い無線周波数帯域幅（最大１６０ＭＨｚ）、より多いＭＩＭＯの空間的ストリーム（最大８個）、多重ユーザＭＩＭＯ、そして高い密度の変調（最大２５６ＱＡＭ）など、８０１．１１ｎで受け入れた無線インタフェース概念を拡張して行われる。また、従来の２．４ＧＨｚ／５ＧＨｚの代わりに６０ＧＨｚバンドを使用してデータを伝送する方式として、ＩＥＥＥ  ８０２．１１ａｄがある。ＩＥＥＥ  ８０２．１１ａｄはビームフォーミング技術を利用して最大７Ｇｂｐｓの速度を提供する伝送規格であって、大容量のデータや無圧縮ＨＤビデオなど高いビットレート動画のストリーミングに適合している。しかし、６０ＧＨｚの周波数バンドは障害物の通過が難しく、近距離空間におけるディバイス間でのみ使用可能な短所がある。
一方、最近では８０１．１１ａｃ及び８０２．１１ａｄ以降の次世代無線ＬＡＮの標準として、高密度環境での高効率及び高性能無線ＬＡＮの通信技術を提供するための論議が行われつつある。つまり、次世代無線ＬＡＮ環境では高密度のステーションとＡＰ（Ａｃｃｅｓｓ  Ｐｏｉｎｔ）の存在下で室内外で高い周波数効率の通信が提供されるべきであり、これを具現するために多様な技術が必要である。
【０００３】
特に、無線ＬＡＮを利用する装置の数が増えるにつれ、決められているチャネルを効率的に使用する必要がある。よって、複数のステーションとＡＰ間のデータ伝送を同時に行うようにして、帯域幅を効率的に使用する技術が求められている。
【発明の概要】
【発明が解決しようとする課題】
【０００４】
本発明の一実施例は、重複する基本サービスセットを含む高密度環境における無線通信方法及び無線通信端末を提供することを目的とする。
【課題を解決するための手段】
【０００５】
本発明の一実施例によって無線で通信する無線通信端末は、送受信部と、プロセッサと、を含み、前記プロセッサは前記送受信部を介して第１ＰＰＤＵ(ＰＬＣＰ  Ｐｒｏｔｏｃｏｌ  Ｄａｔａ  Ｕｎｉｔ）のシグナリングフィールドを受信して、前記シグナリングフィールドが示すＢＳＳ（Ｂａｓｉｃ  Ｓｅｒｖｉｃｅ  Ｓｅｔ）を識別する情報に基づきチャネルにアクセス（ａｃｃｅｓｓ)する。
【０００６】
前記プロセッサは、前記ＢＳＳを識別する情報に基づき、前記第１ＰＰＤＵが含まれたＢＳＳが前記無線通信端末が含まれたＢＳＳと同じであるのかを判断する第１判断と、前記ＰＰＤＵが含むＭＡＣヘッダのＡｄｄｒｅｓｓフィールドに基づいて前記第１ＰＰＤＵが含まれたＢＳＳが前記無線通信端末が含まれたＢＳＳと同じであるのかを判断する第２判断とが異なる場合、前記第２判断に基づいてチャネルにアクセスし、前記ＭＡＣヘッダのＡｄｄｒｅｓｓフィールドはＭＰＤＵ（ＭＡＣ  Ｐｒｏｔｏｃｏｌ  Ｄａｔａ  Ｕｎｉｔ）に関するＭＡＣアドレスを示す。
【０００７】
前記ＢＳＳを識別する情報を示すフィールドの大きさは、前記ＭＡＣアドレスが有し得る最大値より小さくてもよい。
【０００８】
前記プロセッサは、前記ＭＡＣヘッダのＡｄｄｒｅｓｓフィールドの伝送ステーションアドレス（ｔｒａｎｓｍｉｔｔｉｎｇ  ＳＴＡ  ａｄｄｒｅｓｓ、ＴＡ）フィールド、受信ステーションアドレス（ｒｅｃｅｖｉｎｇ  ＳＴＡ  ａｄｄｒｅｓｓ、ＲＡ）フィールド、及びＢＳＳＩＤフィールドのうちいずれか一つに基づいて前記第１ＰＰＤＵが含まれたＢＳＳを判断する。
【０００９】
前記プロセッサは、前記第１ＰＰＤＵが前記無線通信端末が含まれたＢＳＳとは異なる他のＢＳＳから伝送されたトリガフレームを含む場合、前記第１ＰＰＤＵの受信信号強度を測定し、前記トリガフレームの伝送が完了されてから第２ＰＰＤＵを伝送する場合、前記受信信号強度に基づいて伝送パワーを調節する。
【００１０】
前記プロセッサは、前記トリガフレームに基づいて伝送されるアップリンクＰＰＤＵが伝送される間に前記第２ＰＰＤＵを伝送する場合、前記受信信号強度に基づいて伝送パワーを調節する。
【００１１】
前記プロセッサは、前記トリガフレームが示すＴＸＯＰ（Ｔｒａｎｓｍｉｓｓｉｏｎ  Ｏｐｐｏｒｔｕｎｉｔｙ）の間に前記第２ＰＰＤＵを伝送する場合、前記受信信号強度に基づいて伝送パワーを調節する。
【００１２】
前記第１ＰＰＤＵのシグナリングフィールドは空間再利用（Ｓｐａｔｉａｌ  Ｒｅｕｓｅ、ＳＲ）動作の許容可否を示す情報を含み、前記プロセッサは前記ＳＲ動作の許容可否を示す情報に基づいて前記伝送パワーを調節する。
【００１３】
前記第１ＰＰＤＵのシグナリングフィールドは、前記第１ＰＰＤＵの伝送パワーに関する情報を含む。
【００１４】
前記無線通信端末が使用する周波数帯域は主チャネルと副チャネルとに区分され、前記プロセッサは前記主チャネルと前記副チャネルそれぞれにおいてＣＣＡ動作を行う。
【００１５】
前記プロセッサは、前記主チャネルで使用するＣＣＡ（Ｃｌｅａｒ  Ｃｈａｎｎｅｌ  Ａｓｓｅｓｓｍｅｎｔ）の閾値とは異なる他のＣＣＡ閾値を前記副チャネルで使用してもよい。
【００１６】
前記プロセッサは、前記主チャネルからＰＰＤＵが伝送されない場合、前記副チャネルから伝送されるＰＰＤＵは前記無線通信端末が含まれたＢＳＳとは異なる他のＢＢＳから伝送されたと判断する。
【００１７】
本発明の一実施例によって無線で通信する無線通信端末の動作方法は、第１ＰＰＤＵのシグナリングフィールドを受信するステップと、前記シグナリングフィールドが示すＢＳＳを識別する情報に基づきチャネルにアクセスするステップと、含む。
【００１８】
前記チャネルにアクセスするステップは、前記ＢＳＳカラーに基づき、前記第１ＰＰＤＵが含まれたＢＳＳが前記無線通信端末が含まれたＢＳＳと同じであるのかを判断する第１判断と、前記ＰＰＤＵが含むＭＡＣヘッダのＡｄｄｒｅｓｓフィールドに基づいて前記第１ＰＰＤＵが含まれたＢＳＳが前記無線通信端末が含まれたＢＳＳと同じであるのかを判断する第２判断が異なる場合、前記第２判断に基づいてチャネルにアクセスするステップを含み、前記ＭＡＣヘッダのＡｄｄｒｅｓｓフィールドはＭＰＤＵに関するＭＡＣアドレスを示す。
【００１９】
前記ＢＳＳを識別する情報を示すフィールドの大きさは、前記ＭＡＣアドレスが有し得る最大値より小さくてもよい。
【００２０】
前記第２判断に基づきチャネルにアクセスするステップは、前記ＭＡＣヘッドのＡｄｄｒｅｓｓフィールドの伝送ステーションアドレスフィールド、受信ステーションアドレスフィールド、及びＢＳＳＩＤフィールドのうちいずれか一つに基づいて前記第１ＰＰＤＵが含まれたＢＳＳを判断するステップを含む。
【００２１】
前記第１ＰＰＤＵは前記無線通信端末が含まれたＢＳＳとは異なるＢＳＳから伝送されたトリガフレームを含み、前記第１ＰＰＤＵの受信信号強度を測定するステップと、前記トリガフレームの伝送が完了されてから第２ＰＰＤＵを伝送する場合、前記受信信号強度に基づいて伝送パワーを調節するステップと、を更に含む。
【００２２】
前記第２ＰＰＤＵを伝送するステップは、前記トリガフレームに基づいて伝送されるアップリンクＰＰＤＵが伝送される間に前記第２ＰＰＤＵを伝送する場合、前記受信信号強度に基づいて伝送パワーを調節するステップを含む。
【００２３】
前記第１ＰＰＤＵのシグナリングフィールドは空間再利用動作の許容可否を示す情報を含み、前記第２ＰＰＤＵを伝送するステップは、前記ＳＲ動作の許容可否を示す情報に基づいて前記伝送パワーを調節するステップを含む。
【００２４】
前記第１ＰＰＤＵのシグナリングフィールドは、前記第１ＰＰＤＵの伝送パワーに関する情報を含む。
【発明の効果】
【００２５】
本発明の一実施例は、重複する基本サービスセットを含む高密度環境における無線通信方法及び無線通信端末を提供する。
【図面の簡単な説明】
【００２６】
【図１】本発明の一実施例による無線ＬＡＮシステムを示す図である。
【図２】本発明の他の実施例による無線ＬＡＮシステムを示す図である。
【図３】本発明の一実施例によるステーションの構成を示すブロック図である。
【図４】本発明の一実施例によるアクセスポイントの構成を示すブロック図である。
【図５】本発明の一実施例によるステーションがアクセスポイントとリンクを設定する過程を概略的に示す図である。
【図６】本発明の実施例による無線通信端末が競争手順を介して無線媒体にアクセスすることを示す図である。
【図７】本発明の実施例による無線通信方法において使用されるＰＰＤＵフォーマットを示す図である。
【図８】本発明の実施例による無線通信方法において使用されるＡ−ＭＰＤＵフォーマットを示す図である。
【図９】本発明の実施例による無線通信端末が含まれたＢＳＳに当たるＢＳＳカラーを示すＰＰＤＵを受信する際の無線通信端末の動作を示す図である。
【図１０】本発明の実施例による無線通信端末がＯＢＳＳに当たるＢＳＳカラーを示すＰＰＤＵを受信する際の無線通信端末の動作を示す図である。
【図１１】Ｉｎｔｅｒ−ＢＳＳカラーが衝突するかＩｎｔｒａ−ＢＳＳカラーに混同が起こる場合を示す図である。
【図１２】本発明の実施例による無線通信端末がＯＢＳＳに当たるレガシーＰＰＤＵを受信する際の無線通信端末の動作を示す図である。
【図１３】本発明の実施例による無線通信端末がＰＰＤＵを受信する際、ＰＰＤＵの種類及びＯＢＳＳの可否による無線通信端末のＳＲ及びパワーセーブ動作を示す図である。
【図１４】本発明の実施例による無線通信端末がＰＰＤＵを受信する際、ＰＰＤＵの種類及びＯＢＳＳの可否による無線通信端末のＳＲ及びパワーセーブ動作を示す図である。
【図１５】本発明の実施例による無線通信端末が受信したフレームがＩｎｔｒａ−ＢＳＳフレームであるのか、またはＩｎｔｅｒ−ＢＳＳフレームであるのかを判断する方法を示す図である。
【図１６】本発明の実施例による無線通信端末がフレームの種類とＭＡＣヘッダフィールドの値によって受信したフレームがＩｎｔｒａ−ＢＳＳフレームであるのか、またはＩｎｔｅｒ−ＢＳＳフレームであるのかを判断する方法を示す図である。
【図１７】本発明の実施例による無線通信端末がＩｎｔｅｒ−ＢＳＳカラー衝突を見つけた場合、Ｉｎｔｅｒ−ＢＳＳカラー衝突状況を直すための無線通信端末の動作と、Ｉｎｔｒａ−ＢＳＳカラー混同を防止するための無線通信端末の動作を示す図である。
【図１８】本発明の一実施例による無線通信端末が広帯域通信のために周波数帯域を結合（ｂｏｎｄｉｎｇ)する方法を示す図である。
【図１９】本発明の一実施例による無線通信端末が広帯域ＰＰＤＵを伝送する方法を示す図である。
【図２０】本発明の実施例による無線通信端末が４０ＭＨｚの周波数帯域幅を有する周波数帯域を介してＰＰＤＵを伝送することを示す図である。
【図２１】本発明の実施例による無線通信端末がＳＲ動作の際に伝送パワーを調節することを示す図である。
【図２２】本発明の実施例による無線通信端末がＯＢＳＳから伝送されるＰＰＤＵの伝送確率を考慮してＳＲ動作を行うことを示す図である。
【図２３】本発明の実施例による無線通信端末の動作を示す図である。
【発明を実施するための形態】
【００２７】
以下、添付した図面を参照し本発明の実施例について本発明が属する技術分野における通常の知識を有する者が容易に実施し得るように詳細に説明する。しかし、本発明は様々な異なる形態に具現されることができ、ここで説明する実施例に限らない。そして、図面において、本発明を明確にするために説明とは関係のない部分は省略しており、明細書全体にわたって類似した部分に対しては類似した図面符号をつけている。
【００２８】
また、ある部分がある構成要素を「含む」という際、これは特に反対する記載がない限り、他の構成要素を除くのではなく、他の構成要素を更に含むことを意味する。
【００２９】
本出願は、韓国特許出願第１０−２０１５−０１４６２０３号（２０１５．１０．２０）、第１０−２０１５−０１５０３１１号（２０１５．１０．２８）、第１０−２０１５−０１５４１００号（２０１５．１１．０３）、第１０−２０１６−００２９９７５号（２０１６．０３．１２）、第１０−２０１６−００４４６５号（２０１６．０４．１１）、及び第１０−２０１６−００６２４２５号（２０１６．０５．２０）に基づいた優先権を主張し、優先権の基礎となる前記各出願に述べられた実施例及び記載事項は、本出願の詳細な説明に含まれるとする。
【００３０】
図１は、本発明の一実施例による無線ＬＡＮシステムを示す図である。無線ＬＡＮシステムは一つまたはそれ以上のベーシックサービスセット（Ｂａｓｉｃ  Ｓｅｒｖｉｃｅ  Ｓｅｔ、ＢＳＳ）を含むが、ＢＳＳとは無事に同期を果たして互いに通信し得る機器の集合を示す。一般に、ＢＳＳはインフラストラクチャＢＳＳ（ｉｎｆｒａｓｔｒｕｃｔｕｒｅ  ＢＳＳ）と独立ＢＳＳ（Ｉｎｄｅｐｅｎｄｅｎｔ  ＢＳＳ、ＩＢＳＳ）に区分されるが、図１はこのうちインフラストラクチャＢＳＳを示している。
【００３１】
図１に示したように、インフラストラクチャＢＳＳＢＳＳ１、ＢＳＳ２は、一つまたはそれ以上のステーションＳＴＡ１、ＳＴＡ２、ＳＴＡ３、ＳＴＡ４、ＳＴＡ５、分配サービス（Ｄｉｓｔｒｉｂｕｔｉｏｎ  Ｓｅｒｖｉｃｅ）を提供するステーションであるアクセスポイントＰＣＰ／ＡＰ−１、ＰＣＰ／ＡＰ−２、及び多数のアクセスポイントＰＣＰ／ＡＰ−１、ＰＣＰ／ＡＰ−２を連結する分配システム（Ｄｉｓｔｒｉｂｕｔｉｏｎ  Ｓｙｓｔｅｍ，  ＤＳ）を含む。
【００３２】
ステーション（ｓｔａｔｉｏｎ、ＳＴＡ）はＩＥＥＥ  ８０２．１１標準の規定に従う媒体接続制御（Ｍｅｄｉｕｍ  Ａｃｃｅｓｓ  Ｃｏｎｔｒｏｌ、  ＭＡＣ）と無線媒体に対する物理層（Ｐｈｙｓｉｃａｌ  Ｌａｙｅｒ）インタフェースを含む任意のディバイスであって、広い意味では非アクセスポイント（ｎｏｎ−ＡＰ）だけでなくアクセスポイント（ＡＰ）も含む。また、本明細書において、「端末」はｎｏｎ−ＡＰ  ＳＴＡまたはＡＰを指すか、両者を全て指す用語として使用される。無線通信のためのステーションはプロセッサ（Ｐｒｏｃｅｓｓｏｒ）と送受信部（ｔｒａｎｓｍｉｔ／ｒｅｃｅｉｖｅ  ｕｎｉｔ）を含み、実施例によってユーザインタフェース部とディスプレーユニットなどを更に含む。プロセッサは無線ネットワークによって伝送するフレームを生成するか、または前記無線ネットワークによって受信されたフレームを処理し、その他にもステーションを制御するための多様な処理をする。そして、送受信部は前記プロセッサと機能的に連結されており、ステーションのために無線ネットワークを介してフレームを送受信する。
【００３３】
アクセスポイント（Ａｃｃｅｓｓ  Ｐｏｉｎｔ、ＡＰ）は自らに結合されたステーションのために無線媒体を経由して分配システムＤＳに対する接続を提供する個体である。インフラストラクチャＢＳＳにおいて、非ＡＰステーション間の通信はＡＰを経由して行われることが原則であるが、ダイレクトリンクが設定された場合には非ＡＰステーション間での直接通信が可能になる。一方、本発明において、ＡＰはＰＣＰ（Ｐｅｒｓｏｎａｌ  ＢＳＳ  Ｃｏｏｒｄｉｎａｔｉｏｎ  Ｐｏｉｎｔ）を含む概念として使用され、広い意味では集中制御器、基地局（Ｂａｓｅ  Ｓｔａｔｉｏｎ、ＢＳ）、ノードＢ、ＢＴＳ（Ｂａｓｅ  Ｔｒａｎｓｃｅｉｖｅｒ  Ｓｙｓｔｅｍ）、またはサイト制御器などの概念を全て含む。
【００３４】
複数のインフラストラクチャＢＳＳは分配システムを介して相互連結される。この際、分配システムを介して連結された複数のＢＳＳを拡張サービスセット（Ｅｘｔｅｎｄｅｄ  Ｓｅｒｖｉｃｅ  Ｓｅｔ、ＥＳＳ）とする。
【００３５】
図２は、本発明の他の実施例による無線ＬＡＮシステムである独立ＢＳＳを示す図である。図２の実施例において、図１の実施例と同じであるか相応する部分は重複する説明は省略する。
【００３６】
図２に示したＢＳＳ３は独立ＢＳＳであってＡＰを含まないため、全てのステーションＳＴＡ６、ＳＴＡ７がＡＰと接続されない状態である。独立ＢＳＳは分配システムとの接続が許容されず、自己完備的ネットワーク（ｓｅｌｆ−ｃｏｎｔａｉｎｅｄ  ｎｅｔｗｏｒｋ）を成す。独立ＢＳＳにおいて、それぞれのステーションＳＴＡ６、ＳＴＡ７はダイレクトで互いに連結される。
【００３７】
図３は、本発明の一実施例によるステーション１００の構成を示すブロック図である。
【００３８】
図示したように、本発明の実施例によるステーション１００は、プロセッサ１１０、送受信部１２０、ユーザインタフェース１４０、ディスプレーユニット１５０、及びメモリ１６０を含む。
【００３９】
まず、送受信部１２０は無線ＬＡＮパケットなどの無線信号を送受信し、ステーション１００に内装されているか外装として備えられる。実施例によると、送受信部１２０は互いに異なる周波数バンドを利用する少なくとも一つの送受信モジュールを含む。例えば、前記送受信部１２０は２．４ＧＨｚ、５ＧＨｚ及び５０ＧＨｚなどの互いに異なる周波数バンドの送受信モジュールを含む。一実施例によると、ステーション１００は６ＧＨｚ以上の周波数バンドを利用する送受信モジュールと、６ＧＨｚ以下の周波数バンドを利用する送受信モジュールを備える。それぞれの送受信モジュールは該当送受信モジュールが支援する周波数バンドの無線ＬＡＮ規格によってＡＰまたは外部ステーションと無線通信を行う。送受信部１２０はステーション１００の性能及び要求事項によって一度に一つの送受信モジュールのみを動作させるか、同時に多数の送受信モジュールを共に動作させる。ステーション１００が複数の送受信モジュールを備える場合、各送受信モジュールはそれぞれ独立した形態に備えられてもよく、複数のモジュールが一つのチップに統合されて備えられてもよい。
【００４０】
次に、ユーザインタフェース部１４０はステーション１００に備えられて多様な形態の入出力手段を含む。つまり、ユーザインタフェース部１４０は多様な入力手段を利用してユーザの入力を受信し、プロセッサ１１０は受信されたユーザ入力に基づいてステーション１００を制御する。また、ユーザインタフェース部１４０は多様な出力手段を利用してプロセッサ１１０の命令に基づいて出力を行う。
【００４１】
次に、ディスプレーユニット１５０はディスプレー画面にイメージを出力する。前記ディスプレーユニット１５０はプロセッサ１１０によって行われるコンテンツまたはプロセッサ１１０の制御命令に基づいたユーザインタフェースなどの多様なディスプレーオブジェクトを出力する。また、メモリ１６０はステーション１１０で使用される制御プログラム及びそれによる各種データを貯蔵する。このような制御プログラムにはステーション１００がＡＰまたは外部ステーションと接続を行うために必要な接続プログラムが含まれる。
【００４２】
本発明のプロセッサ１１０は多様な命令またはプログラムを実行し、ステーション１００内部のデータをプロセスする。また、前記プロセッサ１１０は上述したステーション１００の各ユニットを制御し、ユニット間のデータ送受信を制御する。本発明の実施例によると、プロセッサ１１０は、メモリ１６０に貯蔵されたＡＰとの接続のためのプログラムを実行し、ＡＰが伝送した通信設定メッセージを受信する。また、プロセッサ１１０は通信設定メッセージに含まれたステーション１００の優先条件に関する情報を判読し、ステーション１００の優先条件に関する情報に基づいてＡＰに対する接続を要請する。本発明のプロセッサ１１０はステーション１００のメインコントロールユニットを指してもよく、実施例によってはステーション１００の一部構成、例えば、送受信部１２０などを個別的に制御するためのコントロールユニットを指してもよい。つまり、プロセッサ１１０は送受信部１２０から送受信される無線信号をモジュレーションするモジュレーション部またはデモジュレーション部（ｍｏｄｕｌａｔｏｒ  ａｎｄ／ｏｒ  ｄｅｍｏｄｕｌａｔｏｒ）である。プロセッサ１１０は本発明の実施例によるステーション１００の無線信号送受信の各種動作を制御する。これに対する具体的な実施例は後述する。
【００４３】
図３に示したステーション１００は本発明の一実施例によるブロック図であって、分離して示したブロックはディバイスのエレメントを論理的に区別して示したものである。よって、上述したディバイスのエレメントは、ディバイスの設計によって一つのチップまたは複数のチップで実装される。例えば、前記プロセッサ１１０及び送受信部１２０は一つのチップに統合されて具現されてもよく、別途のチップで具現されてもよい。また、本発明の実施例において、前記ステーション１００の一部構成、例えばユーザインタフェース部１４０及びディスプレーユニット１５０などはステーション１００に選択的に備えられる。
【００４４】
図４は、本発明の一実施例によるＡＰ２００の構成を示すブロック図である。
図示したように、本発明の一実施例によるＡＰ２００はプロセッサ２１０、送受信部２２０及びメモリ２６０を含む。図４において、ＡＰ２００の構成のうち図３のステーション１００の構成と同じであるか相応する部分に対しては重複した説明は省略する。
【００４５】
図４を参照すると、本発明によるＡＰ２００は少なくとも一つの周波数バンドでＢＳＳを運営するための送受信部２２０を備える。図３の実施例で説明したように、前記ＡＰ２００の送受信部２２０も互いに異なる周波数バンドを利用する複数の送受信モジュールを含む。つまり、本発明の実施例によるＡＰ２００は互いに異なる周波数バンド、例えば２．４ＧＨｚ、５ＧＨｚ、６０ＧＨｚのうち２つ以上の送受信モジュールを共に備える。好ましくは、ＡＰ２００は６ＧＨｚ以上の周波数バンドを利用する送受信モジュールと、６ＧＨｚ以下の周波数バンドを利用する送受信モジュールを備える。それぞれの送受信モジュールは該当送受信モジュールが支援する周波数バンドの無線ＬＡＮ規格に従ってステーションと無線通信を行う。前記送受信部２２０はＡＰ２００の性能及び要求事項に応じて一度に一つの送受信モジュールのみを動作させるか、同時に多数の送受信モジュールを共に動作させてもよい。
次に、メモリ２６０はＡＰ２００で使用される制御プログラム及びそれによる各種データを貯蔵する。このような制御プログラムにはステーションの接続を管理する管理プログラムが含まれる。また、プロセッサ２１０はＡＰ２００の各ユニットを制御し、ユニット間のデータ送受信を制御する。本発明の実施例によると、プロセッサ２１０はメモリ２６０に貯蔵されたステーションとの接続のためのプログラムを実行し、一つ以上のステーションに対する通信設定メッセージを伝送する。この際、通信設定メッセージには各ステーションの接続優先条件に関する情報が含まれる。また、プロセッサ２１０はステーションの接続要請に応じて接続設定を行う。一実施例によると、プロセッサ２１０は送受信部２２０から送受信される無線信号をモジュレーションするモジュレーション部またはデモジュレーション部である。プロセッサ２１０は本発明の実施例によるＡＰ２００の無線信号送受信の各種動作を制御する。これに対する具体的な実施例は後述する。
【００４６】
図５は、ＳＴＡがＡＰとリンクを設定する過程を概略的に示している。
【００４７】
図５を参照すると、ＳＴＡ１００とＡＰ２００間のリンクは大きくスキャニング（ｓｃａｎｎｉｎｇ)、認証（ａｕｔｈｅｎｔｉｃａｔｉｏｎ)、及び結合（ａｓｓｏｃｉａｔｉｏｎ)の３つのステップを介して設定される。まず、スキャニングステップは、ＡＰ２００が運営するＢＳＳのアクセス情報をＳＴＡ１００が獲得するステップである。スキャニングを行うための方法としては、ＡＰ２００が周期的に伝送するビーコン（ｂｅａｃｏｎ)メッセージ（Ｓ１０１）のみを活用して情報を獲得するパッシブスキャニング（ｐａｓｓｉｖｅ  ｓｃａｎｎｉｎｇ)方法と、ＳＴＡ１０がＡＰにプローブ要請（ｐｒｏｂｅ  ｒｅｑｕｅｓｔ)を伝送し（Ｓ１０３）、ＡＰからプローブ応答（ｐｒｏｂｅ  ｒｅｓｐｏｎｓｅ)を受信して（Ｓ１０５）、アクセス情報を獲得するアクティブスキャニング（ａｃｔｉｖｅ  ａｃａｎｎｉｎｇ)方法がある。
【００４８】
スキャニングステップにおいて無線アクセス情報の受信に成功したＳＴＡ１００は、認証要請（ａｕｔｈｅｎｔｉｃａｔｉｏｎ  ｒｅｑｕｅｓｔ)を伝送し（Ｓ１０７ａ）、ＡＰ２００から認証応答（ａｕｔｈｅｎｔｉｃａｔｉｏｎ  ｒｅｓｐｏｎｓｅ)を受信して（Ｓ１０７ｂ）、認証ステップを行う。認証ステップが行われた後、ＳＴＡ１００は結合要請（ａｓｓｏｃｉａｔｉｏｎ  ｒｅｑｕｅｓｔ)を伝送し（Ｓ１０９ａ）、ＡＰ２００から結合応答（ａｓｓｏｃｉｔａｔｉｏｎ  ｒｅｓｐｏｎｓｅ)を受信して（Ｓ１０９ｂ）、結合ステップを行う。本明細書において、結合とは基本的に無線結合を意味するが、本発明はこれに限らず、広い意味での結合は無線結合及び有線結合を全て含む。
【００４９】
一方、追加的に８０２．１Ｘ基盤の認証ステップ（Ｓ１１１）、及びＤＨＣＰを介したＩＰアドレス獲得ステップ（Ｓ１１３）が行われる。図５において、認証サーバ３００はＳＴＡ１００と８０２．１Ｘ基盤の認証を処理するサーバであって、ＡＰ２００に物理的に結合されて存在するか、別途のサーバとして存在してもよい。
【００５０】
モバイル装置の拡散と無線通信の普及により、無線通信端末が高密度環境（ｄｅｎｓｅ  ｅｎｖｉｒｏｎｍｅｎｔ)で通信する場合が多くなっている。特に、無線通信端末が多数のＢＳＳが重複する環境で通信する場合が増えている。多数のＢＳＳが重複する場合、他の無線通信端末との干渉のため無線通信端末の通信効率が落ちる恐れがある。特に、競争手順を介して周波数帯域を使用する場合、無線通信端末は他の無線通信端末との干渉のため、伝送機会すら確保できないことがある。このような問題を解決するために、無線通信端末は空間再利用動作を行う。詳しくは、ＳＲ動作は、受信したフレームが無線通信端末が含まれたＢＳＳから伝送されたフレームであるのか、または他のＢＳＳから伝送されたフレームであるのかに応じてチャネルに接近する動作を含む。具体的な実施例において、チャネルに接近する動作はＣＣＡ動作とデフェラル（ｄｅｆｅｒｒａｌ）動作を含む。例えば、無線通信端末は無線通信端末が受信したフレームが無線通信端末含まれたＢＳＳから伝送されたフレームであるのか、またはＯＢＳＳから伝送されたフレームであるのかに応じて、ＣＣＡ閾値（ｔｈｒｅｓｈｏｌｄ）を調整（ａｄｊｕｓｔ)する。また、無線通信端末は、ＳＲの動作の際にＣＣＡ動作の結果に応じて伝送するＰＰＤＵの伝送パワーを調節する。無線通信端末のＳＲ動作（ｏｐｅｒａｔｉｏｎ)のための実施例について、図６乃至図２３を介して説明する。
【００５１】
説明の便宜上、無線通信端末が含まれたＢＳＳをＩｎｔｒａ−ＢＳＳと称し、Ｉｎｔｒａ−ＢＳＳと重複する基本サービスセットをＯＢＳＳ（Ｏｖｅｒｌａｐｐｅｄ  Ｂａｓｉｃ  Ｓｅｒｖｉｃｅ  Ｓｅｔ）と称する。また、Ｉｎｔｒａ−ＢＳＳから伝送されたフレームをＩｎｔｒａ−ＢＳＳフレーム、ＯＢＳＳから伝送されたフレームをＯＢＳＳフレームまたはＩｎｔｅｒ−ＢＳＳフレームと称する。
【００５２】
図６は、本発明の実施例による無線通信端末が競争手順を介して無線媒体にアクセスすることを示す図である。
【００５３】
無線通信端末は、データを伝送する前に、データを伝送するチャネルでキャリアをセンシングする。無線通信端末は、一定強度以上の無線信号が検出される場合、該当チャネルが使用中（ｂｕｓｙ)であると判断する。チャネルが使用中の場合、無線通信端末は該当チャネルに対するアクセスを延期（ｄｅｆｅｒ)する。このような動作をＣＣＡと称する。また、無線通信端末が無線信号の検出可否を判断する基準をＣＣＡ閾値と称する。詳しくは、無線通信端末がＣＣＡ閾値以下の無線信号を検出する場合、無線通信端末は該当チャネルを遊休（ｉｄｌｅ)と判断する。
【００５４】
チャネルが一定時間区間以上遊休である場合、無線通信端末はバックオフ（ｂａｃｋｏｆｆ)ウィンドウによる競争手順を行う。この際、一定時間区間は８０２．１１で定義するＩＦＳ（ＩｎｔｅｒＦｒａｍｅ  Ｓｐａｃｅ）のうちいずれか一つである。例えば、一定時間区間はＡＩＦＳ（Ａｒｂｉｔｒａｔｉｏｎ  ＩｎｔｅｒＦｒａｍｅ  Ｓｐａｃｅ）とＰＩＦＳ（ＰＣＦ  ＩｎｔｅｒＦｒａｍｅ  Ｓｐａｃｅ）のうちいずれか一つであってもよい。詳しくは、無線通信端末は競争ウィンドウ（ｃｏｎｔｅｎｔｉｏｎ  ｗｉｎｄｏｗ）内の任意の値をバックオフカウンタとして獲得する。この際、該当チャネルが遊休の時間がスロットタイム以上持続されれば、無線通信端末はバックオフカウンタの値を減らす。この際、スロットタイムは９ｕｓである。無線通信端末は、バックオフカウンタの値が０になるまで待機する。バックオフカウンタの値が０になれば、無線通信端末は該当チャネルにアクセスする。バックオフカウンタの値を減らしながら待機する時間区間を競争ウィンドウ区間（ｃｏｎｔｅｎｔｉｏｎ  ｗｉｎｄｏｗ  ｉｎｔｅｒｖａｌ）と称する。
【００５５】
無線通信端末はチャネルに接近した後、データを伝送する。無線通信端末のチャネルへのアクセスが他の無線通信端末のチャネルへのアクセスと衝突する場合、無線通信端末は競争ウィンドウ内で更に任意の数を獲得し、競争手順を行う。この際、無線通信端末は競争ウィンドウの値を以前の大きさの２倍に調節する。
【００５６】
また、バックオフカウンタの値が０になる前に、該当チャネルが使用中になる可能性がある。バックオフカウンタの値が０になる前に、該当チャネルが使用状態になる場合、無線通信端末は該当チャネルが更に遊休になり、一定の大きさの時間区間以上遊休の場合、バックオフウィンドウに応じた競争手順を更に行う。この際、無線通信端末は以前の競争手順に残っているバックオフカウンタの値を基準にバックオフ手順を行う。
【００５７】
上述したＣＣＡ手順を介し、無線通信端末は複数の無線通信端末が同じチャネルにアクセスして発生する衝突を回避することができる。但し、狭い範囲に過度に多い無線通信端末が位置し、複数のＯＢＳＳが存在する場合、低い程度の信号干渉が持続的に発生する恐れがある。よって、ＯＢＳＳから伝送された信号であるのか、ＢＳＳから伝送された信号であるのかを区分せず、同じＣＣＡ動作及びデフェラル動作を行うことは非効率になり得る。よって、無線通信端末はＳＲ動作を介して無線資源を効率的に利用する必要がある。詳しくは、無線通信端末は、受信したフレームがＩｎｔｅｒ−ＢＳＳフレームであるのか、またはＩｎｔｒａ−ＢＳＳフレームであるのかに応じてＣＣＡ及びデフェラル動作を行う必要がある。そのために、無線通信端末はフレームを伝送する際、無線通信端末が含まれたＢＳＳをシグナリングする方法が必要となる。それについては、図７乃至図８を介して説明する。
【００５８】
図７は、本発明の実施例による無線通信方法において使用されるＰＰＤＵフォーマットを示す図である。
【００５９】
図７（ａ）は、８０２．１１ａ／１１ｇ標準によるＰＰＤＵフォーマットを示す図である。また、図７（ｂ）は、８０２．１１ｎ標準によるＰＰＤＵフォーマットを示す図である。図７（ｃ）は、８０２．１１ａｃ標準によるＰＰＤＵフォーマットを示す図である。図7（ｄ）と図７（ｅ）は、本発明の一実施例によるＰＰＤＵフォーマットを示す図である。図７（ｄ）はＰＰＤＵが２００ＭＨｚの帯域幅を有する周波数帯域を介して伝送される場合であり、図７（ｅ）はＰＰＤＵが４００ＭＨｚの帯域幅を有する周波数帯域を介して伝送される場合である。
【００６０】
本発明の実施例によるＰＰＤＵは、Ｌ−ＳＴＦ、Ｌ−ＬＴＦ、Ｌ−ＳＩＧフィールド、ＲＬ−ＳＩＧフィールド、ＨＥ−ＳＩＧ−Ａフィールド、ＨＥ−ＳＩＧ−Ｂフィールド、ＨＥ−ＳＴＦ、ＨＥ−ＬＴＦ、ＳＶＣフィールド、データフィールド、及びＴａｉｌ＆Ｐａｄｄｉｎｇ（Ｔ＆Ｐ）フィールドに区分される。無線通信端末は、Ｌ−ＳＴＦ、Ｌ−ＬＴＦ、Ｌ−ＳＩＧフィールド、ＲＬ−ＳＩＧフィールド、ＨＥ−ＳＩＧ−Ａフィールド及びＨＥ−ＳＩＧ−Ｂフィールドを６４ＦＦＴに基づいてＯＦＤＭ伝送する。また、無線通信端末は、ＨＥ−ＳＴＦ、ＨＥ−ＬＴＦ、ＳＶＣフィールド、データフィールド、及びＴａｉｌ＆Ｐａｄｄｉｎｇ（Ｔ＆Ｐ）フィールドを２５６ＦＦＴに基づいてＯＦＤＭ伝送する。
【００６１】
Ｌ−ＳＩＧフィールドは、本発明の実施例を支援しないレガシー無線通信端末もデコーディングし得る情報をシグナリングする。Ｌ−ＳＴＦ及びＬ−ＬＴＦは、Ｌ−ＳＩＧフィールドを受信するために使用されるトレーニング信号である。レガシー無線通信端末は、Ｌ−ＳＴＦ及びＬ−ＬＴＦに基づいてＡＧＣ（Ａｕｔｏｍａｔｉｃ  Ｇａｉｎ  Ｃｏｎｔｒｏｌ）及びＦＯＤ（Ｆｒｅｑｕｅｎｃｙ  Ｏｆｆｓｅｔ  Ｄｅｔｅｃｔｉｏｎ）を行う。ＲＬ−ＳＩＧフィールドはＬ−ＳＩＧフィールドが繰り返す形態であって、本発明の実施例によるＰＰＤＵであることをシグナリングする。ＨＥ−ＳＩＧ−Ａフィールド及びＨＥ−ＳＩＧ−Ｂフィールドは、ＰＰＤＵに関する情報をシグナリングする。ＨＥ−ＳＴＦ及びＨＥ−ＬＴＦは、データフィールドを受信するためのトレーニング信号である。無線通信端末は、ＨＥ−ＳＴＦ及びＨＥ−ＬＴＦに基づいてＰＰＤＵが伝送されるチャネルを推定し、ＡＧＣ及びＦＯＤを行う。また、ＨＥ−ＬＴＦは空間ストリーム（ｓｐａｔｉａｌ  ｓｔｒｅａｍ)の個数に応じて可変的な個数伝送される。ＨＥ−ＬＴＦは用途に応じてＨＥ−ＬＴＦ−ｓｈｏｒｔ、ＨＥ−ＬＴＦ−ｌｏｎｇに区分される。ＨＥ−ＬＴＦ−ｓｈｏｒｔは室内環境の通信で使用され、６．４ｕｓとガードインタバルの合計だけのデュレーションを有し、ＨＥ−ＬＴＦ−ｌｏｎｇは屋外（ｏｕｔｄｏｏｒ)環境の通信で使用され、１２．８ｕｓ及びとガードインタバルの合計だけのデュレーションを有する。
【００６２】
データフィールドはＰＰＤＵが含むデータを示す。この際、データはＡ−ＭＰＤＵであってもよい。ＳＶＣフィールドはデータフィールドの開始を示す。Ｔａｉｌ＆Ｐａｄｄｉｎｇ（Ｔ＆Ｐ）フィールドにおいて、Ｐａｄｄｉｎｇはシンボル単位伝送のためにパッディングが必要である場合のパッディングビットを示す。Ｔａｉｌ＆Ｐａｄｄｉｎｇ（Ｔ＆Ｐ）フィールドにおいて、ＴａｉｌはＰＰＤＵがコンボリューションコードで保護される場合に存在（ｐｒｅｓｅｎｔ)する。
【００６３】
ＨＥ−ＳＩＧ−ＡフィールドはＰＰＤＵをデコーディングするための情報を含む。詳しくは、ＨＥ−ＳＩＧ−Ａフィールドは、ＰＰＤＵがＨＥ−ＳＩＧ−Ｂフィールドを含む場合、ＨＥ−ＳＩＧ−Ｂフィールドの長さ及びＨＥ−ＳＩＧ−Ｂフィールドを含む信号のＭＣＳ（Ｍｏｄｕｌａｔｉｏｎ＆Ｃｏｄｉｎｇ  Ｓｃｈｅｍｅ）に関する情報を含む。また、ＨＥ−ＳＩＧ−Ａフィールドは、ＰＰＤＵの伝送がダウンリンク伝送に当たるのか、またはアップリンク伝送に当たるのかを示すインジケータを含む。また、ＨＥ−ＳＩＧ−Ａフィールドは、ＰＰＤＵを伝送した無線通信端末が属するＢＳＳを識別する情報を含む。この際、ＢＳＳを識別する情報はＢＳＳカラー（ｃｏｌｏｒ)である。詳しくは、ＢＳＳカラーを示すフィールドの大きさは、ＢＳＳ識別子（ＢＢＳＩＤ）が有し得る最大値より小さくてもよい。ＨＥ−ＳＩＧ−Ａフィールドを伝送するシンボルの個数は２つに固定されているため、ＢＳＳカラーを示すために使用し得るフィールドの大きさが制限的なためである。この際、ＢＳＳＩＤはＢＳＳに含まれたアクセスポイントのＭＡＣアドレスである。
【００６４】
ＢＳＳカラーは多様な実施例を介して設定される。詳しくは、無線通信端末は連結されたアクセスポイントのＭＡＣアドレスに基づいてＢＳＳカラーを設定してもよい。具体的な実施例において、無線通信端末は、無線通信端末と連結された（ａｓｓｏｃｉａｔｅｄ）アクセスポイントのＭＡＣアドレスと任意の単方向関数を利用してＢＳＳカラーを設定してもよい。このような実施例による場合、アクセスポイントは、アクセスポイントに連結された無線通信端末に設定したＢＳＳカラーをシグナリングする別途の動作を省略してもよい。但し、ＢＳＳカラーを示すフィールドの大きさがＭＡＣアドレスが有し得る最大値より小さければ、アクセスポイントのＭＡＣアドレスがユニークであっても、互いに異なるＢＳＳが同じＢＳＳカラーに設定される。
【００６５】
他の具体的な実施例において、アクセスポイントがＢＳＳカラーを任意に設定してもよい。この際、アクセスポイントは、アクセスポイントと連結された無線通信端末に設定したＢＳＳカラーを別途にシグナリングすべきである。詳しくは、アクセスポイントは、アクセスポイントと連結された無線通信端末に別途のメッセージを介してＢＳＳカラーをシグナリングするようにしてもよい。また、無線通信端末はアクセスポイントが伝送したＰＰＤＵからＢＳＳカラーの値を獲得する。上述した実施例のように、ＢＳＳカラーを示すフィールドの大きさがＭＡＣアドレスが有し得る最大値より小さければ、アクセスポイントのＭＡＣアドレスがユニークであっても、互いに異なるＢＳＳが同じＢＳＳカラーの値を有してもよい。
【００６６】
ＨＥ−ＳＩＧ−Ｂフィールドが含まれたＰＰＤＵがダウンリンク伝送マルチユーザ（Ｍｕｌｔｉ  Ｕｓｅｒ、ＭＵ）であれば、ＨＥ−ＳＩＧ−Ｂフィールドはユーザ別の資源（ｒｅｓｏｕｒｃｅ)割り当て情報をシグナリングする。また、ＨＥ−ＳＩＧ−Ｂフィールドは可変的な長さを有する。詳しくは、ＨＥ−ＳＩＧ−Ｂフィールドを伝送するシンボルの個数は可変的であってもよい。
【００６７】
上述したように、ＰＰＤＵのシグナリングフィールドは、ＰＰＤＵを伝送した無線通信端末が含まれたＢＳＳを識別する情報を含む。よって、無線通信端末はＰＰＤＵのシグナリングフィールドを介してＰＰＤＵを伝送した無線通信端末が属するＢＳＳを識別することができる。詳しくは、無線通信端末は、ＰＰＤＵのシグナリングフィールドに基づいて受信したＰＰＤＵが無線通信端末が属するＢＳＳから伝送されたＰＰＤＵであるのか、またはＯＢＳＳから伝送されたＰＰＤＵであるのかを判断する。例えば、無線通信端末は、ＨＥ−ＳＩＧ−ＡフィールドのＢＳＳカラーフィルタに基づいて受信したＰＰＤＵが無線通信端末が属するＢＳＳから伝送されたＰＰＤＵであるのか、またはＯＢＳＳから伝送されたＰＰＤＵであるのかを判断する。無線通信端末がＭＡＣヘッダを介してＰＰＤＵを伝送した無線通信端末が含まれたＢＳＳを識別することについては、図８を介して説明する。
【００６８】
図８は、本発明の実施例による無線通信方法において使用されるＡ−ＭＰＤＵフォーマットを示す図である。
【００６９】
Ａ−ＭＰＤＵは複数のＭＰＤＵの集合である。Ａ−ＭＰＤＵは最大６４個のＭＰＤＵを含み得る。コンプレスドブロックＡＣＫ（Ｃｏｍｐｒｅｓｓｅｄ  Ｂｌｏｃｋ  ＡＣＫ）のビットマップが示し得るＭＰＤＵの数が６４個であるためである。Ａ−ＭＰＤＵは複数のＭＰＤＵを区分するデリミタ（ｄｅｌｉｍｉｔｅｒ)とパッディングのためのパッド（Ｐａｄ）を含む。デリミタは、該当ＭＰＤＵがＡ−ＭＰＤＵが含む複数のＭＰＤＵのうち最後のＭＰＤＵであるのかを示すＥＯＦ（Ｅｎｄ−Ｏｆ−Ｆｒａｍｅ）フィールド、該当ＭＰＤＵの長さを示すＭＰＤＵ  Ｌｅｎｔｈフィールド、ＭＰＤＵのエラー有無を確認するのに使用されるＣＲＣフィールド及びｓｉｇｎａｔｕｒｅフィールドを含む。
【００７０】
個別ＭＰＤＵは、ＭＰＤＵが伝送するデータを含むフレームボディ（Ｆｒａｍｅ  Ｂｏｄｙ）、ＭＰＤＵに関する情報をシグナリングするＭＡＣヘッダ、及びＭＰＤＵがエラーを含むのかを判断するのに使用されるＦＣＳフィールドを含む。この際、フレームボディは、ＭＳＤＵ（ＭＡＣ  Ｓｅｒｖｉｃｅ  Ｄａｔａ  Ｕｎｉｔ）または複数のＭＳＤＵの集合であるＡ−ＭＳＤＵの形態である。また、ＭＡＣヘッダは、ＭＰＤＵに関するＭＡＣアドレスを示す複数のＡｄｄｒｅｓｓフィールドを含む。詳しくは、ＭＡＣヘッダは４つのＡｄｄｒｅｓｓフィールドを含む。複数のＡｄｄｒｅｓｓフィールドは、該当ＭＰＤＵが伝送されたＢＳＳを識別するＢＳＳＩＤを示すＢＳＳＩＤフィールド、該当ＭＰＤＵを伝送した無線通信端末のＭＡＣアドレスを示す伝送ステーションアドレス（ｔｒａｎｓｍｉｔｔｉｎｇ  ＳＴＡ  ａｄｄｒｅｓｓ、ＴＡ)フィールド、該当ＭＰＤＵを受信した無線通信端末のＭＡＣアドレスを示す受信ステーションアドレス（ｒｅｃｅｉｖｉｎｇ  ＳＴＡ  ａｄｄｒｅｓｓ、ＲＡ）フィールドのうち少なくともいずれか一つを含む。この際、ＢＳＳＩＤはアクセスポイントのＭＡＣアドレスである。アクセスポイントがＭＰＤＵを伝送するか受信する場合、複数のＡｄｄｒｅｓｓフィールドのうちいずれか一つは、アクセスポイントのＭＡＣアドレスを示す。また、フレームの種類に応じてＭＡＣヘッダはＢＳＳＩＤフィールドを含んでもよい。よって、無線通信端末はＭＡＣヘッダに基づいて受信したＭＰＤＵがＩｎｔｅｒ−ＢＳＳフレームであるのか、またはＩｎｔｒａ−ＢＳＳフレームであるのかを判断することができる。詳しくは、無線通信端末は、ＭＡＣヘッダのＡｄｄｒｅｓｓフィールドに基づいて受信したＭＰＤＵがＩｎｔｅｒ−ＢＳＳフレームであるのか、またはＩｎｔｒａ−ＢＳＳフレームであるのかを判断することができる。例えば、無線通信端末は受信したＭＰＤＵのＲＡフィールド及びＴＡフィールドのうちいずれか一つが無線通信端末が連結されたアクセスポイントのＭＡＣアドレスを示す場合、受信したＭＰＤＵをＩｎｔｒａ−ＢＳＳフレームと判断する。
【００７１】
無線通信端末は、該当ＭＰＤＵがＩｎｔｅｒ−ＢＳＳフレームであるのか、またはＩｎｔｒａ−ＢＳＳフレームであるのかに基づいてＳＲ動作を行う。また、無線通信端末は、該当ＭＰＤＵがＩｎｔｅｒ−ＢＳＳフレームであるのか、またはＩｎｔｒａ−ＢＳＳフレームであるのかに基づいてパワーセーブ（Ｐｏｗｅｒ  Ｓａｖｅ）動作を行う。無線通信端末がＭＡＣヘッダに基づいて受信したＭＰＤＵがＩｎｔｅｒ−ＢＳＳフレームであるのかを判断するためには、ＭＰＤＵを全て受信し、ＦＣＳフィールドまでデコーディングしなければならない。よって、無線通信端末が一つのＭＰＤＵのみを含むＰＰＤＵを受信する場合、ＭＡＣヘッダに基づいてＳＲ動作及びパワーセーブ動作を行うことが難しい可能性がある。無線通信端末がＡ−ＭＰＤＵを含むＰＰＤＵを受信する場合、ＭＡＣヘッダに基づいてＡ−ＭＰＤＵの最初のＭＰＤＵがＩｎｔｅｒ−ＢＳＳフレームであるのかを判断し、Ａ−ＭＰＤＵの最初のＭＰＤＵがＩｎｔｅｒ−ＢＳＳフレームである場合は、残りのＭＰＤＵの伝送デュレーションの間にＳＲ動作及びパワーセーブ動作を行う。
【００７２】
また、無線通信端末が受信したＭＰＤＵがＩｎｔｒａ−ＢＳＳフレームであるのか、またはＩｎｔｅｒ−ＢＳＳフレームであるのかを判断する場合、ＰＰＤＵのシグナリングフィールドが示すＢＳＳカラーに基づいた判断と、ＭＡＣヘッダのＡｄｄｒｅｓｓフィールドに基づいた判断が異なり得る。この際、無線通信端末は、ＭＡＣヘッダのＡｄｄｒｅｓｓフィールドに応じてＭＰＤＵがＩｎｔｒａ−ＢＳＳフレームであるのか、またはＩｎｔｅｒ−ＢＳＳフレームであるのかを判断する。詳しくは、ＰＰＤＵのシグナリングフィールドが示すＢＳＳカラーが無線通信端末が含まれたＢＳＳに当たるＢＳＳカラーと同じであっても、アクセスポイントのＭＡＣアドレスに当たるＭＡＣヘッダのＡｄｄｒｅｓｓフィールドの値が無線通信端末が連結されたアクセスポイントのＭＡＣアドレスでなければ、無線通信端末は受信したＭＰＤＵをＩｎｔｅｒ−ＢＳＳフレームと判断する。また、ＰＰＤＵのシグナリングフィールドが示すＢＳＳカラーが無線通信端末が含まれたＢＳＳに当たるＢＳＳカラーと異なっても、アクセスポイントのＭＡＣアドレスに当たるＭＡＣヘッダのＡｄｄｒｅｓｓフィールドの値が無線通信端末が連結されたアクセスポイントのＭＡＣアドレスであれば、無線通信端末は受信したＭＰＤＵをＩｎｔｒａ−ＢＳＳフレームと判断する。
【００７３】
無線通信端末は無線信号を受信する際、受信された信号を物理（Ｐｈｙｓｉｃａｌ）階層とＭＡＣ階層に分けて処理する。この際、物理階層とＭＡＣ階層の間のインタフェースをプリミティブ（ｐｒｅｍｉｔｉｖｅ)と称する。また、無線通信端末の物理階層の動作はＰＬＭＥ（ＰＨＹ  Ｓｕｂｌａｙｅｒ  Ｍａｎａｇｅｍｅｎｔ  Ｅｎｔｉｔｙ）によって行われる。また、無線通信端末のＭＡＣ階層の動作はＭＬＭＥ（ＭＡＣ  Ｓｕｂｌａｙｅｒ  Ｍａｎａｇｅｍｅｎｔ  Ｅｎｔｉｔｙ）によって行われる。無線通信端末がプリミティブを介して無線通信端末が含まれたＢＳＳから伝送されたＰＰＤＵとＯＢＳＳから伝送されたＰＰＤＵを受信する動作を、図９乃至図１１を介して説明する。
【００７４】
図９は、本発明の実施例による無線通信端末が含まれたＢＳＳに当たるＢＳＳカラーを示すＰＰＤＵを受信する際の無線通信端末の動作を示す図である。
【００７５】
無線通信端末はＰＰＤＵのプリアンブルを受信する際、受信信号の強度（ＲＳＳＩ、ｒｅｃｅｉｖｅ  ｓｉｇｎａｌ  ｓｔｒｅｎｇｔｈ  ｉｎｄｉｃａｔｏｒ）を測定し、ＰＰＤＵの受信を開始する。信号受信の開始は、無線通信端末の物理階層からＭＡＣ階層のＰＨＹ−ＣＣＡ．ｉｎｄｉｃａｔｉｏｎ（ＢＵＳＹ、Ｃｈａｎｎｅｌ−ｌｉｓｔ)プリミティブによって報告される。この際、Ｃｈａｎｎｅｌ−ｌｉｓｔパラメータは無線通信端末が２００ＭＨｚより大きい帯域幅を有する周波数帯域を使用中の場合、ＣＣＡによって使用中と判断されたチャネルを示すために使用される。
【００７６】
物理階層からＰＨＹ−ＣＣＡ．ｉｎｄｉｃａｔｏｒを受信した場合、無線通信端末はＰＰＤＵのＬ−ＬＴＦを伝送するシンボルを受信し、Ｌ−ＳＩＧフィールドを受信する。無線通信端末は、Ｌ−ＳＩＧフィールドをデコーディングしてＰＰＤＵの長さを判断する。Ｌ−ＳＩＧフィールドのパリティ値が有効でない場合（ｉｎｖａｌｉｄ)、無線通信端末はＰＨＹＲＸＥＮＤ．ｉｎｄｉｃａｔｉｏｎ（ＦｏｒｍａｔＶｉｏｌａｔｉｏｎ）プリミティブを物理階層から受信する。
【００７７】
Ｌ−ＳＩＧフィールドのパリティ値が有効で（ｖａｌｉｄ)、ＨＥ−ＳＩＧ−ＡフィールドのＣＲＣ及び他のフィールドも有効な場合、無線通信端末はＨＥ−ＳＩＧ−Ａフィールドが示すＢＳＳカラーが無線通信端末が含まれたＢＳＳのＢＳＳカラーと同じであるのかを判断する。図９の実施例のように、ＨＥ−ＳＩＧ−Ａフィールドが示すＢＳＳカラーが無線通信端末が含まれたＢＳＳのＢＳＳカラーと同じであれば、無線通信端末の物理階層はＬ−ＳＩＧフィールドが含むＬ＿ＬＥＮＧＴＨフィールドのデュレーションの間に、ＰＨＹ−ＣＣＡ．ｉｎｄｉｃａｔｉｏｎプリミティブを使用中（ＢＵＳＹ）状態に維持する。
【００７８】
無線通信端末は、ＨＥ−ＳＩＧ−Ａフィールドを受信した後、ＨＥ−ＳＩＧ−Ｂフィールド及びＨＥトレーニング信号を受信する。この際、ＨＥトレーニング信号はＨＥ−ＳＴＦ及びＨＥ−ＬＴＦである。ＰＰＤＵ伝送モードに応じて、ＨＥ−ＳＩＧ−Ｂフィールドは存在しなくてもよい。詳しくは、ＰＰＤＵがダウンリンク（Ｄｏｗｎｌｉｎｋ、ＤＬ）シングルユーザ（Ｓｉｎｇｌｅ  Ｕｓｅｒ、ＳＵ）モードであれば、ＨＥ−ＳＩＧ−Ｂフィールドは存在しなくてもよい。
【００７９】
無線通信端末のＭＡＣ階層は、物理階層からＰＨＹ−ＲＸＳＴＡＲＴ．ｉｎｄｉｃａｔｉｏｎ（ＲＸＶＥＣＴＯＲ）プリミティブを受信した場合、ＰＰＤＵの受信が開始したと判断する。この際、ＰＨＹ−ＲＸＳＴＡＲＴ．ｉｎｄｉｃａｔｉｏｎ（ＲＸＶＥＣＴＯＲ）プリミティブは受信信号強度値を含む。但し、ＰＰＤＵは多様な条件に応じて物理階層からフィルタリングアウト（ｆｉｌｔｅｒ  ｏｕｔ）される。この際、無線通信端末のＭＡＣ階層は、物理階層からＰＨＹ−ＲＸＥＮＤ．ｉｎｄｉｃａｔｉｏｎ（Ｆｉｌｔｅｒｅｄ）プリミティブを受信する。また、ＰＳＤＵの受信終了前に受信信号が消える場合、無線通信端末のＭＡＣ階層は物理階層からＰＨＹ−ＲＸＥＮＤ．ｉｎｄｉｃａｔｉｏｎ（ＣａｒｒｉｅｒＬｏｓｔ）プリミティブを受信する。このような場合、無線通信端末のＭＡＣ階層は、物理階層から該当ＰＳＤＵの終了時点の後、ＰＨＹ−ＣＣＡ．ｉｎｄｉｃａｔｉｏｎ（ＩＤＬＥ）プリミティブを受信する。
【００８０】
ＰＰＤＵを正常に受信する場合、無線通信端末の物理階層は受信されたＰＳＤＵビットをオクテット（ｏｃｔｅｔ)単位に結合しデコーディングする。無線通信端末のＭＡＣ階層は、ＰＨＹ−ＤＡＴＡ．ｉｎｄｉｃａｔｉｏｎ（ＤＡＴＡ）プリミティブを介して物理階層からデコーディングされたＰＳＤＵを受信する。無線通信端末は、ＭＡＣヘッダのＡｄｄｒｅｓｓフィールドにも基づいて該当ＭＰＤＵを受信する必要があるのかを判断する。
【００８１】
該当ＭＰＤＵを受信する必要がなければ、無線通信端末はＰＰＤＵの受信を中止する。無線通信端末が該当ＭＰＤＵを受信する必要がない場合は、該当ＭＰＤＵのＡｄｄｒｅｓｓフィールドの受信アドレスが無線通信端末のＭＡＣアドレスとは異なるか、該当ＭＰＤＵがブロードキャストフレームではない場合のうち少なくともいずれか一つである。詳しくは、無線通信端末のＭＡＣ階層はＭＡＣ−ＲＸＥＮＤ．ｒｅｑｕｅｓｔプリミティブを物理階層に伝達し、ＰＰＤＵの受信を中止する。
【００８２】
該当ＭＰＤＵを受信する必要があれば、無線通信端末はＰＰＤＵの受信を続ける。無線通信端末の物理階層は、ＰＳＤＵの最後のビット、パッディング及びＴａｉｌの受信を終了した後、ＰＨＹ−ＲＸＥＮＤ．ｉｎｄｉｃａｔｉｏｎ（ＮｏＥｒｒｏｒ）プリミティブをＭＡＣ階層に伝達する。次に、無線通信端末の物理階層はＲＸ  ＩＤＬＥ状態に進入する。
【００８３】
図１０は、本発明の実施例による無線通信端末がＯＢＳＳに当たるＢＳＳカラーを示すＰＰＤＵを受信する際の無線通信端末の動作を示す図である。
【００８４】
無線通信端末は、上述したようにＩｎｔｅｒ−ＢＳＳフレームを受信する際、ＳＲ動作を行う。詳しくは、無線通信端末は、無線通信端末が受信したフレームがＩｎｔｒａ−ＢＳＳフレームであるのか、またはＩｎｔｅｒ−ＢＳＳフレームであるのかに応じてＣＣＡ閾値を調整する。よって、無線通信端末はＨＥ−ＳＩＧ−Ａフィールドが示すＢＳＳカラーに基づいてＣＣＡ閾値を調整し得る。詳しくは、無線通信端末は、図９を介して説明したようにＨＥ−ＳＩＧ−Ａフィールドをデコーディングする。ＨＥ−ＳＩＧ−Ａフィールドが示すＢＳＳカラーが無線通信端末が含まれたＢＳＳのＢＳＳカラーとは異なる場合、無線通信端末はＯＢＳＳから伝送されたＰＰＤＵのプリアンブルを検出（Ｐｒｅａｍｂｌｅ  Ｄｅｔｅｃｔｉｏｎ、ＰＤ）するために使用されるＣＣＡ閾値であるＯＢＳＳ  ＰＤ  ＣＣＡ閾値を適用し、ＣＣＡを行う。図１０の実施例のように、受信信号の強度がＯＢＳＳ  ＰＤ  ＣＣＡ閾値より小さければ、無線通信端末は該当チャネルが遊休であると判断する。この際、無線通信端末の物理階層はＰＨＹ−ＣＣＡ．ｉｎｄｉｃａｔｉｏｎ（ＯＢＳＳ、ＩＤＬＥ）プリミティブをＭＡＣ階層に伝達する。よって、無線通信端末のＭＡＣ階層は、物理階層からＰＨＹ−ＣＣＡ．ｉｎｄｉｃａｔｉｏｎ（ＯＢＳＳ、ＩＤＬＥ）プリミティブを受信することができる。無線通信端末は、ＯＢＳＳから伝送されるＰＰＤＵの伝送が終了される時点から無線通信端末が含まれたＢＳＳから伝送されるＰＰＤＵ  ＰＤのために使用されるＣＣＡ閾値であるＰＤ  ＣＣＡ閾値を適用し、ＣＣＡを行う。この際、ＯＢＳＳ  ＰＤ  ＣＣＡ閾値はＰＤ  ＣＣＡ閾値より大きくてもよい。
【００８５】
図１０を介して説明した実施例によると、同じＢＳＳに含まれた他の無線通信端末が何らかの理由でＰＰＤＵのシグナリングフィールドが示すＢＳＳカラーをＯＢＳＳに当たるＢＳＳカラーと判断する場合、無線通信端末は同じＢＳＳに含まれた他の無線通信端末が伝送するＰＰＤＵを受信することができない。また、無線通信端末が無線通信端末が含まれたＢＳＳに当たるＢＳＳカラーを間違って判断する場合、無線通信端末は同じＢＳＳに含まれた他の無線通信端末が伝送するＰＰＤＵを受信することができない。説明の便宜上、このように無線通信端末がＢＳＳカラーの混同によって同じＢＳＳに含まれた他の無線通信端末が伝送するＰＰＤＵを受信できない現象を、Ｉｎｔｒａ−ＢＳＳカラー混同（ｃｏｎｆｕｓｉｏｎ)と称する。
【００８６】
上述したように、ＢＳＳカラーを示すフィールドの大きさが限定されているため、互いに異なるＢＳＳが同じＢＳＳカラーと設定されることがある。このように、無線通信端末は他のＢＳＳに含まれた無線通信端末がＰＰＤＵを伝送する場合、ＯＢＳＳ  ＰＤ  ＣＣＡ閾値ではなくＰＤ  ＣＣＡ閾値を適用する。説明の便宜上、互いに異なるＢＳＳが同じＢＳＳカラーに当たる場合をＩｎｔｅｒ−ＢＳＳカラー衝突（ｃｏｌｌｉｓｉｏｎ)と称する。Ｉｎｔｒａ−ＢＳＳカラー混同とＩｎｔｅｒ−ＢＳＳカラー衝突が起こる具体的な事例については、図１１を介して説明する。
【００８７】
図１１は、Ｉｎｔｅｒ−ＢＳＳカラーが衝突するかＩｎｔｒａ−ＢＳＳカラーに混同が起こる場合を示す図である。
【００８８】
図１１（ａ）の実施例において、第１アクセスポイント（ＨＥ  Ａ）、第２アクセスポイント（ＨＥ  Ｂ）、及び第３アクセスポイント（ＨＥ  Ｃ）が同じ空間に存在する。この際、第２アクセスポイント（ＨＥ  Ｂ）と第３アクセスポイント（ＨＥ  Ｃ）は偶然に同じＢＳＳカラーを選択することがある。この際、第２アクセスポイント（ＨＥ  Ｂ）が運営するＢＳＳと、第３アクセスポイント（ＨＥ  Ｃ）が運営するＢＳＳが同じＢＳＳカラーに当たるようになり、Ｉｎｔｅｒ−ＢＳＳカラー衝突が発生する。
【００８９】
図１１（ｂ）において、第２アクセスポイント（ＨＥ  Ｂ）はＩｎｔｅｒ−ＢＳＳカラー衝突を避けるためにＢＳＳカラーを変更する。第２アクセスポイント（ＨＥ  Ｂ）は、ＢＳＳカラー変更を第２アクセスポイント（ＨＥ  Ｂ）が運営するＢＳＳに含まれた無線通信端末にシグナリングする。この際、第２アクセスポイント（ＨＥ  Ｂ）が運営するＢＳＳに含まれた無線通信端末のうちいずれか一つの無線通信端末がＢＳＳカラー変更について認識できなければ、Ｉｎｔｅｒ−ＢＳＳカラー混同が発生する。
【００９０】
Ｉｎｔｒａ−ＢＳＳカラー混同とＩｎｔｅｒ−ＢＳＳカラー衝突を防止するために、無線通信端末はＰＰＤＵのシグナリングフィールドが示すＢＳＳカラーだけでなく、ＭＡＣヘッダのＡｄｄｒｅｓｓフィールドに基づいて受信したＭＰＤＵがＩｎｔｒａ−ＢＳＳフレームであるのか、またはＩｎｔｅｒ−ＢＳＳフレームであるのかを判断する。詳しくは、受信したＰＰＤＵが含むＭＰＤＵがＩｎｔｒａ−ＢＳＳフレームであるのか、またはＩｎｔｅｒ−ＢＳＳフレームであるのかを判断する際、ＨＥ−ＳＩＧ−Ａフィールドが示すＢＳＳカラーに基づいて判断された判断とＭＡＣヘッダのＡｄｄｒｅｓｓフィールドに基づいて判断された判断が異なる場合、無線通信端末はＭＡＣヘッダのＡｄｄｒｅｓｓフィールドに応じてＭＰＤＵがＩｎｔｒａ−ＢＳＳフレームであるのか、またはＩｎｔｅｒ−ＢＳＳフレームであるのかを判断することができる。無線通信端末のＭＡＣアドレスは個別の無線通信端末ごとに固定されていてユニークな値であるため、ＢＳＳカラーと重複するか混同が発生する恐れが少ないためである。よって、無線通信端末はＭＡＣヘッダに基づいてＩｎｔｒａ−ＢＳＳカラー混同とＩｎｔｅｒ−ＢＳＳカラー衝突の発生有無を判断することができる。
【００９１】
詳しくは、無線通信端末はＭＡＣヘッダのＡｄｄｒｅｓｓフィールドに基づいてＩｎｔｒａ−ＢＳＳカラー混同とＩｎｔｅｒ−ＢＳＳカラー衝突の発生有無を判断する。具体的な実施例において、Ｉｎｔｒａ−ＢＳＳカラー混同があっても、受信信号の強度がＯＢＳＳ  ＰＤ  ＣＣＡ閾値より大きければ、無線通信端末は該当チャネルで伝送を試みずに待機する。この際、無線通信端末はＰＰＤＵが含むＭＡＣヘッダをデコーディングしてＡｄｄｒｅｓｓフィールドを確認する。無線通信端末はＡｄｄｒｅｓｓフィールドに基づいてＩｎｔｒａ−ＢＳＳカラー混同の発生有無を判断する。また、受信信号の強度がＯＢＳＳ  ＰＤ  ＣＣＡ閾値より小さければ、無線通信端末がＰＰＤＵのシグナリングフィールドをデコーディングした後、直ちに伝送を試みずにＭＡＣヘッダをデコーディングしてから伝送を試みてもよい。それによって、無線通信端末はＭＡＣヘッダをデコーディングしてＡｄｄｒｅｓｓフィールドを確認し、Ａｄｄｒｅｓｓフィールドに基づいてＩｎｔｒａ−ＢＳＳカラー混同の発生有無を判断することができる。
【００９２】
また、具体的な実施例において、無線通信端末はＭＡＣヘッダのＡｄｄｒｅｓｓフィールドに基づいて該当ＭＰＤＵを受信する必要があるのかを判断する際、ＭＡＣヘッダのＡｄｄｒｅｓｓフィールドに基づいてＩｎｔｒａ−ＢＳＳカラー混同とＩｎｔｅｒ−ＢＳＳカラー衝突の発生有無を判断する。
【００９３】
図１２は、本発明の実施例による無線通信端末がＯＢＳＳに当たるレガシーＰＰＤＵを受信する際の無線通信端末の動作を示す図である。
【００９４】
無線通信端末がレガシーＰＰＤＵを受信する場合、無線通信端末はＭＡＣヘッダのＡｄｄｒｅｓｓフィールドに基づいてＳＲ動作を行う。レガシーＰＰＤＵのシグナリングフィールドがＢＳＳカラーを含まないためである。無線通信端末がＰＰＤＵのＬ−ＳＩＧフィールドを受信する動作は、図９乃至図１０を介して説明したＰＰＤＵの受信動作と同じである。
【００９５】
詳しくは、無線通信端末はＰＰＤＵのプリアンブルを受信する際、受信信号の強度を測定し、ＰＰＤＵの受信を開始する。信号受信の開始は、無線通信端末の物理階層からＭＡＣ階層にＰＨＹ−ＣＣＡ．ｉｎｄｉｃａｔｉｏｎ（ＢＵＳＹ、Ｃｈａｎｎｅｌ−ｌｉｓｔ)プリミティブによって報告される。この際、Ｃｈａｎｎｅｌ−ｌｉｓｔパラメータは無線通信端末が２００ＭＨｚより大きい帯域幅を有する周波数帯域を使用中の場合、ＣＣＡによって使用中と判断されたチャネルを示すために使用される。
【００９６】
物理階層からＰＨＹ−ＣＣＡ．ｉｎｄｉｃａｔｉｏｎを受信した場合、無線通信端末はＰＰＤＵのＬ−ＬＴＦを伝送するシンボルを受信し、Ｌ−ＳＩＧフィールドを受信する。無線通信端末は、Ｌ−ＳＩＧフィールドをデコーディングしてＰＰＤＵの長さを判断する。Ｌ−ＳＩＧフィールドのパリティ値が有効でない場合、無線通信端末はＰＨＹＲＸＥＮＤ．ｉｎｄｉｃａｔｉｏｎ（ＦｏｒｍａｔＶｉｏｌａｔｉｏｎ）プリミティブを物理階層から受信する。
【００９７】
Ｌ−ＳＩＧフィールドのパリティ値が有効であれば、無線通信端末はＬ−ＳＩＧフィールドの後、シグナリングフィールドを受信する。
【００９８】
レガシーＰＰＤＵが８０２．１１ｎ標準のＶＨＴ  ＰＰＤＵである場合、無線通信端末はＬ−ＳＩＧフィールドのパリティ値が有効であれば、無線通信端末はＶＨＴ−ＳＩＧ−Ａフィールドを受信する。ＨＥ−ＳＩＧ−Ａフィールドとは異なって、ＶＨＴ−ＳＩＧ−ＡフィールドはＢＳＳカラーを含まない。
【００９９】
無線通信端末はＶＨＴ−ＳＩＧ−Ａフィールドを受信した後、ＶＨＴトレーニング信号、例えばＶＨＴ−ＳＴＦとＶＨＴ−ＬＴＦ及びＶＨＴ−ＳＩＧ−Ｂフィールドを受信する。具体的な実施例において、ＶＨＴ−ＳＩＧ−Ｂフィールドは存在しなくてもよい。
【０１００】
無線通信端末のＭＡＣ階層が物理階層からＰＨＹ−ＲＸＳＴＡＲＴ．ｉｎｄｉｃａｔｉｏｎ（ＲＸＶＥＣＴＯＲ）プリミティブを受信した場合、無線通信端末のＭＡＣ階層はＰＰＤＵの受信が開始したと判断する。但し、無線通信端末の物理階層は多様な条件に応じて受信するＰＰＤＵをフィルタリングアウトする。無線通信端末の物理階層がＰＳＤＵをフィルタリングアウトする場合、無線通信端末のＭＡＣ階層は物理階層からＰＨＹ−ＲＸＥＮＤ．ｉｎｄｉｃａｔｉｏｎ（Ｆｉｌｔｅｒｅｄ）プリミティブを受信する。また、ＰＳＤＵの受信終了前に受信信号が消える場合、無線通信端末のＭＡＣ階層は物理階層からＰＨＹ−ＲＸＥＮＤ．ｉｎｄｉｃａｔｉｏｎ（ＣａｒｒｅｉｒＬｏｓｔ）プリミティブを受信する。この際、無線通信端末のＭＡＣ階層は、物理階層から該当ＰＳＤＵの終了時点の後、ＰＨＹ−ＣＣＡ．ｉｎｄｉｃａｔｉｏｎ（ＩＤＬＥ）プリミティブを受信する。
【０１０１】
無線通信端末がＰＰＤＵを正常に受信する場合、無線通信端末の物理階層は受信されたＰＳＤＵビットをオクテット単位に結合しデコーディングする。無線通信端末のＭＡＣ階層は、物理階層からデコーディングされたＰＳＤＵをＰＨＹ−ＤＡＴＡ．ｉｎｄｉｃａｔｉｏｎ（ＤＡＴＡ）プリミティブを介して受信する。ＰＰＤＵがＡ−ＭＰＤＵを含む場合、無線通信端末は、ＭＡＣヘッダのＡｄｄｒｅｓｓフィールドに基づいて該当ＭＰＤＵがＩｎｔｒａ−ＢＳＳフレームであるのか、またはＩｎｔｅｒ−ＢＳＳフレームであるのかを判断することができる。詳しくは、ＰＰＤＵがＡ−ＭＰＤＵを含む場合、Ａ−ＭＰＤＵが含む複数のＭＰＤＵのうち最初のＭＰＤＵのＦＣＳフィールドを検査する。ＦＣＳフィールドが有効であれば、無線通信端末は、ＭＡＣヘッダのＡｄｄｒｅｓｓフィールドに基づいて該当ＭＰＤＵがＩｎｔｒａ−ＢＳＳフレームであるのか、またはＩｎｔｅｒ−ＢＳＳフレームであるのかを判断することができる。また、無線通信端末は、ＭＡＣヘッダのＡｄｄｒｅｓｓフィールドにも基づいて該当ＭＰＤＵを受信する必要があるのかを判断する。
【０１０２】
無線通信端末が該当ＭＰＤＵを受信する必要がなければ、無線通信端末はＰＰＤＵの受信を中止する。無線通信端末が該当ＭＰＤＵを受信する必要がない場合は、図１２の実施例のように、該当ＭＰＤＵがＩｎｔｅｒ−ＢＳＳフレームである場合、該当ＭＰＤＵのＭＡＣヘッダのＡｄｄｒｅｓｓフィールドの受信アドレスが無線通信端末のＭＡＣアドレスとは異なる場合、及び該当ＭＰＤＵがＩｎｔｅｒ−ＢＳＳフレームでありながらブロードキャストフレームではない場合のうち少なくともいずれか一つである。詳しくは、無線通信端末のＭＡＣ階層はＭＡＣ−ＲＸＥＮＤ．ｒｅｑｕｅｓｔプリミティブを物理階層に伝達し、ＰＰＤＵの受信を中止する。
【０１０３】
図１２の実施例のように、該当ＭＰＤＵがＩｎｔｅｒ−ＢＳＳフレームであれば、無線通信端末はＯＢＳＳ  ＰＤ  ＣＣＡ閾値を適用してＳＲ動作を行う。詳しくは、無線通信端末はＯＢＳＳ  ＰＤ  ＣＣＡ閾値を適用してＣＣＡを行う。図１２の実施例のように、受信信号の強度がＯＢＳＳ  ＰＤ  ＣＣＡ閾値より小さければ、無線通信端末は該当チャネルが遊休であると判断する。この際、無線通信端末の物理階層はＰＨＹ−ＣＣＡ．ｉｎｄｉｃａｔｉｏｎ（ＯＢＳＳ、ＩＤＬＥ）プリミティブをＭＡＣ階層に伝達し、無線通信端末のＭＡＣ階層はＰＨＹ−ＣＣＡ．ｉｎｄｉｃａｔｉｏｎ（ＯＢＳＳ、ＩＤＬＥ）プリミティブを受信する。また、無線通信端末はＯＢＳＳから伝送されるＰＰＤＵの伝送が終了する時点から、ＰＤ  ＣＣＡ閾値を適用してＣＣＡを行う。
【０１０４】
無線通信端末が該当ＭＰＤＵを受信する必要があれば、無線通信端末はＰＰＤＵの受信を続ける。無線通信端末が該当ＭＰＤＵを受信する必要がある場合は、該当ＭＰＤＵのＭＡＣヘッダのＡｄｄｒｅｓｓフィールドの受信アドレスが無線通信端末のＭＡＣアドレスと同じである場合、及び該当ＭＰＤＵがＩｎｔｒａ−ＢＳＳフレームでありながらブロードキャストフレームである場合のうち少なくともいずれか一つである。この際、無線通信端末のＭＡＣ階層はＭＡＣ−ＲＸＥＮＤ．ｒｅｑｕｅｓｔプリミティブを物理階層に伝達しない。無線通信端末の物理階層は、ＰＳＤＵの最後のビット、パッディング及びＴａｉｌの受信を終了した後、ＰＨＹ−ＲＸＥＮＤ．ｉｎｄｉｃａｔｉｏｎ（ＮｏＥｒｒｏｒ）プリミティブをＭＡＣ階層に伝達する。ＰＨＹ−ＲＸＥＮＤ．ｉｎｄｉｃａｔｉｏｎ（ＮｏＥｒｒｏｒ）プリミティブを伝達した後、無線通信端末の物理階層はＲＸ  ＩＤＬＥ状態に移行する。
【０１０５】
図１３乃至図１４は、本発明の実施例による無線通信端末がＰＰＤＵを受信する際、ＰＰＤＵの種類及びＯＢＳＳの有無による無線通信端末のＳＲ及びパワーセーブ動作を示す図である。
【０１０６】
図１３（ａ)は、本発明の実施例による無線通信端末がレガシーＰＰＤＵを受信する際、無線通信端末のＳＲ及びパワーセーブの動作を示す図である。
【０１０７】
無線通信端末がレガシーＰＰＤＵを受信する場合、無線通信端末はＭＡＣヘッダに基づいてＳＲ及びパワーセーブ動作を行う。レガシーＰＰＤＵのシグナリングフィールドは、ＰＰＤＵが伝送されたＢＳＳを示す情報を含まないためである。詳しくは、無線通信端末がレガシーＰＰＤＵを受信する場合、無線通信端末はＭＡＣヘッダのＡｄｄｒｅｓｓフィールドに基づいてＳＲ及びパワーセーブ動作を行う。具体的な実施例において、無線通信端末はＡ−ＭＰＤＵが含む最初のＭＰＤＵのＭＡＣヘッダのＡｄｄｒｅｓｓフィールドに基づいてＳＲ及びパワーセーブ動作を行う。
【０１０８】
Ａ−ＭＰＤＵが含む最初のＭＰＤＵがＩｎｔｒａ−ＢＳＳフレームであれば、無線通信端末はＳＲ動作を行わない。また、Ａ−ＭＰＤＵが含む最初のＭＰＤＵがＩｎｔｒａ−ＢＳＳフレームであれば、無線通信端末はＭＰＤＵ受信の要否に応じてパワーセーブ動作を行う。詳しくは、無線通信端末はＡ−ＭＰＤＵが含む最初のＭＰＤＵがＩｎｔｒａ−ＢＳＳフレームであって、無線通信端末がＡ−ＭＰＤＵが含む最初のＭＰＤＵを受信する必要がなければ、無線通信端末はパワーセーブモードに移行する。詳しくは、無線通信端末が該当Ａ−ＭＰＤＵが含む最初のＭＰＤＵを受信する必要がない場合は、Ａ−ＭＰＤＵが含む最初のＭＰＤＵのＭＡＣヘッダのＡｄｄｒｅｓｓフィールドの受信アドレスが無線通信端末のＭＡＣアドレスではない場合、及びＡ−ＭＰＤＵが含む最初のＭＰＤＵがブロードキャストフレームではない場合のうち少なくともいずれか一つである。
【０１０９】
Ａ−ＭＰＤＵが含む最初のＭＰＤＵがＩｎｔｅｒ−ＢＳＳフレームであれば、無線通信端末はＳＲ動作を行う。詳しくは、無線通信端末はＡ−ＭＰＤＵが含む最初のＭＰＤＵの後、ＯＢＳＳ  ＰＤ  ＣＣＡ閾値を適用してＣＣＡを行う。Ａ−ＭＰＤＵが含む最初のＭＰＤＵがＩｎｔｅｒ−ＢＳＳフレームであれば、無線通信端末がパワーセーブモードに移行することが許容されない。
【０１１０】
図１３（ｂ)乃至図１３（ｄ）は、本発明の実施例による無線通信端末がノン・レガシーＰＰＤＵを受信する際、無線通信端末のＳＲ及びパワーセーブの動作を示す図である。無線通信端末がノン・レガシーＰＰＤＵを受信する場合、無線通信端末はＰＰＤＵのＨＥ−ＳＩＧ−Ａフィールドが示すＢＳＳカラーに基づいてＰＰＤＵが含むＭＰＤＵがＩｎｔｒａ−ＢＳＳフレームであるのか、またはＩｎｔｅｒ−ＢＳＳフレームであるのかを判断する。この際、上述したように無線通信端末はＨＥ−ＳＩＧ−Ａフィールドが示すＢＳＳカラーに基づいた判断とＭＡＣヘッダのＡｄｄｒｅｓｓフィールドに基づいた判断が互いに異なる場合、ＭＡＣヘッダのＡｄｄｒｅｓｓフィールドに応じてＰＰＤＵが含むＭＰＤＵがＩｎｔｒａ−ＢＢＳフレームであるのか、またはＩｎｔｅｒ−ＢＳＳフレームであるのかを判断することができる。
【０１１１】
図１３（ｂ)は、本発明の実施例による無線通信端末がアップリンク伝送／ダウンリンク伝送ＳＵ  ＰＰＤＵを受信する際の、無線通信端末のＳＲ及びパワーセーブの動作を示す図である。
【０１１２】
無線通信端末は、まずＨＥ−ＳＩＧ−Ａフィールドが示すＢＳＳカラーに基づいてＰＰＤＵが含むＭＰＤＵがＩｎｔｒａ−ＢＳＳフレームであるのか、またはＩｎｔｅｒ−ＢＳＳフレームであるのかを判断する。ＨＥ−ＳＩＧ−Ａフィールドが示すＢＳＳカラーが無線通信端末が含まれたＢＳＳのＢＳＳカラーと同じであれば、無線通信端末はＰＰＤＵが含むＭＰＤＵをＩｎｔｒａ−ＢＳＳフレームと判断する。ＨＥ−ＳＩＧ−Ａフィールドが示すＢＳＳカラーが無線通信端末が含まれたＢＳＳのＢＳＳカラーと異なる場合、無線通信端末はＰＰＤＵが含むＭＰＤＵをＩｎｔｅｒ−ＢＳＳフレームと判断する。この際、無線通信端末は、ＨＥ−ＳＩＧ−Ａフィールドが示すＢＳＳカラーに基づいて判断されたＰＰＤＵが含むＭＰＤＵがＩｎｔｒａ−ＢＳＳフレームであるのか、またはＩｎｔｅｒ−ＢＳＳフレームであるのかに関する判断に応じてＳＲ動作を開始する。また、無線通信端末は、ＨＥ−ＳＩＧ−Ａフィールドが示すＢＳＳカラーに基づいて判断されたＰＰＤＵが含むＭＰＤＵがＩｎｔｒａ−ＢＳＳフレームであるのか、またはＩｎｔｅｒ−ＢＳＳフレームであるのかに関する判断に応じてパワーセーブ動作を開始する。
【０１１３】
但し、無線通信端末は、ＭＰＤＵのＭＡＣヘッダのＡｄｄｒｅｓｓフィールドに基づき、ＭＰＤＵがＩｎｔｒａ−ＢＳＳフレームであるのか、またはＩｎｔｅｒ−ＢＳＳフレームであるのかを更に判断する。無線通信端末は、ＭＡＣヘッダのＡｄｄｒｅｓｓフィールドに基づいて判断されたＭＰＤＵが含むＭＰＤＵがＩｎｔｒａ−ＢＳＳフレームであるのか、またはＩｎｔｅｒ−ＢＳＳフレームであるのかに関する判断に応じてＳＲ動作を変更する。また、無線通信端末は、ＭＡＣヘッダのＡｄｄｒｅｓｓフィールドに基づいて判断されたＭＰＤＵがＩｎｔｒａ−ＢＳＳフレームであるのか、またはＩｎｔｅｒ−ＢＳＳフレームであるのかに関する判断に応じてパワーセーブ動作を変更する。Ｉｎｔｒａ−ＢＳＳフレームと判断した場合、無線通信端末はＭＰＤＵのＭＡＣヘッダのＡｄｄｒｅｓｓフィールドの受信アドレスが無線通信端末のＭＡＣアドレスと同じであるのかを判断する。ＭＰＤＵのＭＡＣヘッダのＡｄｄｒｅｓｓフィールドの受信アドレスが無線通信端末のＭＡＣアドレスと同じである場合、無線通信端末はＭＰＤＵを受信する。ＭＰＤＵのＭＡＣヘッダのＡｄｄｒｅｓｓフィールドの受信アドレスが無線通信端末のＭＡＣアドレスと異なる場合、無線通信端末はパワーセーブモードに移行する。詳しくは、無線通信端末はパワーセーブモードに移行し、ＰＰＤＵ伝送が終了するまでパワーセーブモードを維持する。この際、無線通信端末はＰＰＤＵ伝送終了有無をＬ−ＳＩＧフィールドのＬ＿ＬＥＮＧＴＨフィールドに基づいて判断する。無線通信端末がＭＰＤＵをＩｎｔｅｒ−ＢＳＳフレームと判断すれば、無線通信端末はＳＲ動作を行う。無線通信端末は、ＯＢＳＳ  ＰＤ  ＣＣＡ閾値を適用してＣＣＡを行う。受信信号の強度がＯＢＳＳ  ＰＤ  ＣＣＡ閾値より小さければ、無線通信端末は該当チャネルが遊休であると判断する。無線通信端末がＭＰＤＵをＩｎｔｅｒ−ＢＳＳフレームと判断すれば、無線通信端末のパワーセーブ動作は許容されない。
【０１１４】
図１３（ｃ)は、本発明の実施例による無線通信端末がＵＬ  ＭＵ  ＰＰＤＵを受信する際の、無線通信端末のＳＲ動作及びパワーセーブの動作を示す図である。
【０１１５】
ＵＬ  ＭＵ  ＰＰＤＵはＭＵ−ＭＩＭＯまたはＯＦＤＭＡを介して伝送されるため、ＵＬ  ＭＵ  ＰＰＤＵの受信者であるアクセスポイントを除く他の無線通信端末がＵＬ  ＭＵ  ＰＰＤＵが含むＰＳＤＵを受信することは非効率である。よって、ＵＬ  ＭＵ  ＰＰＤＵを受信する無線通信端末は、ＭＡＣヘッダのＡｄｄｒｅｓｓフィールドを考慮せず、ＨＥ−ＳＩＧ−Ａフィールドが示すＢＳＳカラーに基づいてＳＲ動作を行う。また、ＵＬ  ＭＵ  ＰＰＤＵを受信する無線通信端末は、ＭＡＣヘッダのＡｄｄｒｅｓｓフィールドを考慮せず、ＨＥ−ＳＩＧ−Ａフィールドが示すＢＳＳカラーに基づいてパワーセーブ動作を行う。
【０１１６】
ＨＥ−ＳＩＧ−Ａフィールドが示すＢＳＳカラーが無線通信端末が含まれたＢＳＳのＢＳＳカラーと同じであれば、無線通信端末はＳＲ動作を行わない。また、ＨＥ−ＳＩＧ−Ａフィールドが示すＢＳＳカラーと無線通信端末が含まれたＢＳＳのＢＳＳカラーが同じであれば、無線通信端末はパワーセーブ動作を行う。詳しくは、ＨＥ−ＳＩＧ−Ａフィールドが示すＢＳＳカラーが無線通信端末が含まれたＢＳＳのＢＳＳカラーと同じで、無線通信端末がＵＬ  ＭＵ  ＰＰＤＵの受信者であるアクセスポイントでなければ、無線通信端末がパワーセーブモードに移行し、ＰＰＤＵ伝送が終了されるまでパワーセーブモードを維持する。この際、無線通信端末はＰＰＤＵ伝送終了可否をＬ−ＳＩＧフィールドのＬ＿ＬＥＮＧＴＨフィールドに基づいて判断する。
【０１１７】
ＨＥ−ＳＩＧ−Ａフィールドが示すＢＳＳカラーが無線通信端末が含まれたＢＳＳのＢＳＳカラーと異なる場合、無線通信端末はＳＲ動作を行う。詳しくは、無線通信端末はＯＢＳＳ  ＰＤ  ＣＣＡ閾値を適用してＣＣＡを行う。ＨＥ−ＳＩＧ−Ａフィールドが示すＢＳＳカラーが無線通信端末が含まれたＢＳＳのＢＳＳカラーと異なる場合、無線通信端末はパワーセーブモードに移行することを許容されない。
【０１１８】
図１３（ｄ)は、本発明の実施例による無線通信端末がＤＬ  ＭＵ  ＰＰＤＵを受信する際の、無線通信端末のＳＲ動作及びパワーセーブの動作を示す図である。
【０１１９】
ＤＬ  ＭＵ  ＰＰＤＵのＨＥ−ＳＩＧ−Ｂフィールドの受信者（ｕｓｅｒ）フィールドは、ＰＰＤＵを受信する無線通信端末の部分アクセス識別子（Ｐａｒｔｉａｌ  Ａｓｓｏｃｉａｔｉｏｎ  ＩＤ、Ｐａｒｔｉａｌ  ＡＩＤ）を含む。よって、無線通信端末はＨＥ−ＳＩＧ−Ｂフィールドの受信者フィールドのＰａｒｔｉａｌ  ＡＩＤに基づいてＩｎｔｒａ−ＢＳＳカラー混同またはＩｎｔｅｒ−ＢＳＳカラー衝突の発生有無を判断することができる。詳しくは、無線通信端末はＨＥ−ＳＩＧ−Ａフィールドが示すＢＳＳカラーに基づいてＰＰＤＵがＩｎｔｒａ−ＢＳＳフレームであるのか、またはＩｎｔｅｒ−ＢＳＳフレームであるのかを判断した後、ＨＥ−ＳＩＧ−Ｂフィールドの受信者フィールドが無線通信端末のＰａｒｔｉａｌ  ＡＩＤを示す場合、ＰＰＤＵをＩｎｔｒａ−ＢＳＳフレームと判断する。また、ＨＥ−ＳＩＧ−Ａフィールドが示すＢＳＳカラーが無線通信端末が含まれたＢＳＳカラーと同じで、ＨＥ−ＳＩＧ−Ｂフィールドの受信者フィールドが無線通信端末のＰａｒｔａｉｌ  ＡＩＤを示さなければ、無線通信端末はパワーセーブモードに移行する。但し、ＨＥ−ＳＩＧ−Ｂフィールドの受信者フィールドが無線通信端末のＰａｒｔｉａｌ  ＡＩＤを示す場合にのみ、Ｉｎｔｒａ−ＢＳＳカラー混同またはＩｎｔｅｒ−ＢＳＳカラー衝突の発生有無を判断することができるため、ＨＥ−ＳＩＧ−Ｂフィールドを介してはＩｎｔｒａ−ＢＳＳカラー混同またはＩｎｔｅｒ−ＢＳＳカラー衝突の発生有無を限定的にのみ判断し得る。よって、無線通信端末が受信者フィールドのＰａｒｔｉａｌ  ＡＩＤに基づいてＩｎｔｒａ−ＢＳＳカラー混同またはＩｎｔｅｒ−ＢＳＳカラー衝突の発生有無を判断する場合においても、無線通信端末はＭＡＣヘッダのＡｄｄｒｅｓｓフィールドに基づいてＩｎｔｒａ−ＢＳＳカラー混同またはＩｎｔｅｒ−ＢＳＳカラー衝突を更に判断することができる。
【０１２０】
無線通信端末がアクセスポイントであれば、無線通信端末は無線通信端末がアクセスポイントでない場合より多様な方法を介してＩｎｔｒａ−ＢＳＳカラー混同またはＩｎｔｅｒ−ＢＳＳカラー衝突の発生有無を判断することができる。詳しくは、アクセスポイントは、アクセスポイントが含まれたＢＳＳのＢＳＳカラーと同じＢＳＳカラーを示すＤＬ  ＳＵ／ＭＵ  ＰＰＤＵを受信した場合、Ｉｎｔｅｒ−ＢＳＳカラー衝突が発生したと判断する。
【０１２１】
また、アクセスポイントは、アクセスポイントが含まれたＢＳＳのＢＳＳカラーと同じＢＳＳカラーを示すＵＬ  ＳＵ／ＭＵ  ＰＰＤＵを受信した場合、上述した実施例のように、ＭＡＣヘッダのＡｄｄｒｅｓｓフィールドの受信者アドレスフィールドの値がアクセスポイントのＭＡＣアドレスでない他のアドレスであれば、アクセスポイントはＩｎｔｅｒ−ＢＳＳカラー衝突が発生したと判断する。また、アクセスポイントがトリガフレームを伝送していないのにＢＳＳカラーと同じＢＳＳカラーを示すＵＬ  ＳＵ／ＭＵ  ＰＰＤＵを受信した場合、アクセスポイントはＩｎｔｅｒ−ＢＳＳカラー衝突が発生したと判断する。この際、トリガフレームは無線通信端末の伝送を誘導するＭＡＣフレームである。詳しくは、トリガフレームはアクセスポイントが無線通信端末に割り当てた資源に関する情報を含む。具体的な実施例において、トリガフレームはアクセスポイントが無線通信端末に割り当てた周波数帯域に関する情報を含む。
【０１２２】
無線通信端末は、上述したＰＰＤＵのシグナリングフィールドを含み、ＰＰＤＵの伝送がダウンリンク伝送に当たるのか、またはアップリンク伝送に当たるのかを示すインジケータに基づいて受信するＰＰＤＵがＵＬ  ＰＰＤＵであるのか、またはＤＬ  ＰＰＤＵであるのかを判断する。
【０１２３】
図１４（ａ)は、本発明の実施例による無線通信端末がＤＬ／ＵＬ  ＳＵ  ＰＰＤＵを受信する際、Ｉｎｔｅｒ−ＢＳＳカラー衝突またはＩｎｔｒａ−ＢＳＳカラー混合の発生有無による無線通信端末のＳＲ動作及びパワーセーブ動作を示す図である。
【０１２４】
無線通信端末がレガシーＰＰＤＵを受信する場合、無線通信端末はＭＡＣヘッダのＡｄｄｒｅｓｓフィールドに基づいてＳＲ動作を行う。また、レガシーＰＰＤＵはＢＳＳカラーを含まないため、Ｉｎｔｅｒ−ＢＳＳカラー衝突が発生しない。
【０１２５】
無線通信端末がノン・レガシーＰＰＤＵを受信する場合、無線通信端末はＰＰＤＵのシグナリングフィールドが示すＢＳＳカラーに基づいてＳＲ動作を行う。上述したように、無線通信端末はＭＡＣヘッダのＡｄｄｒｅｓｓフィールドに基づいてＩｎｔｅｒ−ＢＳＳカラー衝突が発生したのかを判断し、Ｉｎｔｅｒ−ＢＳＳカラー衝突の発生有無に応じてＳＲ動作を変更する。詳しくは、ＰＰＤＵのシグナリングフィールドが示すＢＳＳカラーの値が無線通信端末が含まれたＢＳＳのＢＳＳカラーと同じで、ＭＡＣヘッダのＡｄｄｒｅｓｓフィールドに基づいて判断した結果、該当ＭＰＤＵがＩｎｔｅｒ−ＢＳＳフレームである場合、ＰＰＤＵが含む最初のＭＰＤＵを受信した後、ＯＢＳＳ  ＰＤ  ＣＣＡ閾値を適用してＣＣＡを行う。この際、受信信号の強度がＯＢＳＳ  ＰＤ  ＣＣＡ閾値より小さければ、無線通信端末は該当チャネルが遊休であると判断する。よって、一定時間以上該当チャネルが遊休であれば、無線通信端末は該当チャネルにアクセスする。但し、ＰＰＤＵが一つのＭＰＤＵのみを含み、ＭＡＣヘッダに基づいてＩｎｔｅｒ−ＢＳＳカラー衝突が発生したと判断した場合、無線通信端末はＳＲ動作を行わない。ＭＰＤＵのＭＡＣヘッダをデコーディングした時点に、追加的に受信するＭＰＤＵが残っていない可能性が高いためである。また、ＰＰＤＵが一つのＭＰＤＵのみを含む場合、Ａ−ＭＰＤＵが一つのＭＰＤＵのみを含む場合を含む。
【０１２６】
また、ＰＰＤＵのシグナリングフィールドが示すＢＳＳカラーの値が無線通信端末が含まれたＢＳＳのＢＳＳカラーと異なって、ＭＡＣヘッダのＡｄｄｒｅｓｓフィールドに基づいて判断した結果、該当ＭＰＤＵがＩｎｔｒａ−ＢＳＳフレームである場合、ＳＲ動作を中止する。受信信号の強度がＯＢＳＳ  ＰＤ  ＣＣＡ閾値より小さく無線通信端末が該当チャネルにアクセスした場合、無線通信端末は該当チャネルにおける伝送を中止する。
【０１２７】
また、ＰＰＤＵが無線通信端末が含まれたＢＳＳから伝送され、ＰＰＤＵが含むＭＰＤＵを無線通信端末が受信する必要がなければ、無線通信端末はパワーセーブ動作を行う。詳しくは、無線通信端末はＰＰＤＵが含む最初のＭＰＤＵを受信した後、パワーセーブモードに移行する。但し、ＰＰＤＵが一つのＭＰＤＵのみを含む場合、無線通信端末はパワーセーブ動作を行わなくてもよい。また、ＰＰＤＵが一つのＯＢＳＳから伝送される場合、無線通信端末のパワーセーブ動作は許容されない。
【０１２８】
図１４（ｂ)は、本発明の実施例による無線通信端末がＤＬ／ＵＬ  ＭＵ  ＰＰＤＵを受信する際、Ｉｎｔｅｒ−ＢＳＳカラー衝突またはＩｎｔｒａ−ＢＳＳカラー混合の発生有無による無線通信端末のＳＲ動作及びパワーセーブの動作を示す図である。
【０１２９】
無線通信端末がノン・レガシーＭＵ  ＤＬ  ＰＰＤＵを受信する場合、ＨＥ−ＳＩＧ−Ｂフィールドの受信者フィールドのアドレスに基づいてパワーセーブ動作を行う。詳しくは、ＤＬ  ＭＵ  ＰＰＤＵのＰＰＤＵシグナリングフィールドが示すＢＳＳカラーが無線通信端末が含まれたＢＳＳのＢＳＳカラーと同じで、ＤＬ  ＭＵ  ＰＰＤＵのＨＥ−ＳＩＧ−Ｂフィールドの受信者フィールドに無線通信端末のＰａｒｔｉａｌ  ＡＩＤアドレスが含まれなければ、無線通信端末はパワーセーブモードに移行する。無線通信端末がノン・レガシーＭＵ  ＰＰＤＵを受信し、無線通信端末が受信者でなければ、無線通信端末はＭＵ  ＰＰＤＵが含むＰＳＤＵを受信することができない。よって、無線通信端末がノン・レガシーＤＬ  ＭＵ  ＰＰＤＵを受信し、無線通信端末が受信者でなければ、無線通信端末はＩｎｔｅｒ−ＢＳＳカラー衝突の発生有無を判断することができない。
【０１３０】
ＵＬ  ＭＵ  ＰＰＤＵはＭＵ−ＭＩＭＯまたはＯＦＤＭＡを介して伝送されるため、ＵＬ  ＭＵ  ＰＰＤＵの受信者であるアクセスポイントを除く他の無線通信端末がＵＬ  ＭＵ  ＰＰＤＵが含むＰＳＤＵを受信することは非効率である。よって、ＵＬ  ＭＵ  ＰＰＤＵを受信する無線通信端末は、ＭＡＣヘッダのＡｄｄｒｅｓｓフィールドを考慮せず、ＰＰＤＵのシグナリングフィールドが示すＢＳＳカラーに基づいてＳＲ動作及びパワーセーブ動作を行う。詳しくは、ＰＰＤＵのシグナリングフィールドが示すＢＳＳカラーが無線通信端末が含まれたＢＳＳのＢＳＳカラーと同じで、無線通信端末がＵＬ  ＭＵ  ＰＰＤＵの受信者であるアクセスポイントでなければ、無線通信端末がパワーセーブモードに移行し、ＰＰＤＵ伝送が終了されるまでパワーセーブモードを維持する。この際、無線通信端末はＰＰＤＵ伝送の終了有無をＬ−ＳＩＧフィールドのＬ＿ＬＥＮＧＴＨフィールドに基づいて判断する。
【０１３１】
上述したように、無線通信端末がＭＵ−ＭＩＭＯに伝送されるレガシーＰＰＤＵを受信する場合、無線通信端末がＰＰＤＵが含むＰＳＤＵを受信することは非効率である。よって、無線通信端末がＭＵ−ＭＩＭＯに伝送されるレガシーＰＰＤＵを受信する場合、無線通信端末はＳＲ動作を行わない。また、無線通信端末がＭＵ−ＭＩＭＯに伝送されるレガシーＰＰＤＵを受信する場合、無線通信端末はパワーセーブ動作を行わない。
【０１３２】
他の無線通信端末の動作は、上述したＤＬ／ＵＬ  ＳＵ  ＰＰＤＵを受信する場合と同じである。
【０１３３】
図６乃至図１４を介して本発明の実施例による無線通信端末がＳＲ動作とパワーセーブ動作を行うことについて説明した。本発明の実施例による無線通信端末は、ＳＲ動作とパワーセーブ動作のために、受信したフレームがＩｎｔｒａ−ＢＳＳフレームであるのか、またはＩｎｔｅｒ−ＢＳＳフレームであるのかを判断し得ることと、その判断方法について説明した。図１５乃至図１６を介して、無線通信端末が受信したフレームがＩｎｔｒａ−ＢＳＳフレームであるのか、またはＩｎｔｅｒ−ＢＳＳフレームであるのかを判断する方法の具体的な実施例を説明する。
【０１３４】
図１５は、本発明の実施例による無線通信端末が受信したフレームがＩｎｔｒａ−ＢＳＳフレームであるのか、またはＩｎｔｅｒ−ＢＳＳフレームであるのかを判断する方法を示す図である。
【０１３５】
上述したように、無線通信端末はＰＰＤＵのシグナリングフィールドが示すＢＳＳカラーまたはＭＡＣヘッダのＡｄｄｒｅｓｓフィールドに基づいて受信したフレームがＩｎｔｒａ−ＢＳＳフレームであるのか、またはＩｎｔｅｒ−ＢＳＳフレームであるのかを判断する。但し、ＢＳＳカラーを示すフィールドの大きさは限定的であるため、上述したように、互いに異なるＢＳＳが同じＢＳＳカラーを有することがある。また、無線通信端末が有するＭＡＣアドレス値はユニークである。よって、ＢＳＳカラーに基づいて受信したフレームがＩｎｔｒａ−ＢＳＳフレームであるのか、またはＩｎｔｅｒ−ＢＳＳフレームであるのかを判断する場合、無線通信端末は受信したフレームがＩｎｔｒａ−ＢＳＳフレームであるのか、またはＩｎｔｅｒ−ＢＳＳフレームであるのか正確に判断することができない。よって、ＢＳＳカラーに基づく、受信したフレームがＩｎｔｒａ−ＢＳＳフレームであるのかまたはＩｎｔｅｒ−ＢＳＳフレームであるのかに関する判断と、ＭＡＣヘッダのＡｄｄｒｅｓｓフィールドに基づく、受信したフレームがＩｎｔｒａ−ＢＳＳフレームであるのかまたはＩｎｔｅｒ−ＢＳＳフレームであるのかに関する判断が異なる場合、無線通信端末はＭＡＣヘッダのＡｄｄｒｅｓｓフィールドに応じて受信したフレームがＩｎｔｒａ−ＢＳＳフレームであるのか、またはＩｎｔｅｒ−ＢＳＳフレームであるのか判断することができる。詳しくは、受信したフレームが含まれたＰＰＤＵのシグナリングフィールドが示すＢＳＳカラーが無線通信端末が含まれたＢＳＳのＢＳＳカラーと同じであるが、受信したフレームのＭＡＣヘッダのＡｄｄｒｅｓｓフィールドがＩｎｔｅｒ−ＢＳＳフレームであることを示す場合、無線通信端末は受信したフレームをＩｎｔｅｒ−ＢＳＳフレームと最終判断する。他の具体的な実施例において、受信したフレームが含まれたＰＰＤＵのシグナリングフィールドが示すＢＳＳカラーが無線通信端末が含まれたＢＳＳのＢＳＳカラーと異なるが、受信したフレームのＭＡＣヘッダのＡｄｄｒｅｓｓフィールドがＩｎｔｒａ−ＢＳＳフレームであることを示す場合、無線通信端末は受信したフレームをＩｎｔｒａ−ＢＳＳフレームと最終判断する。
【０１３６】
無線通信端末が受信したフレームのＭＡＣヘッダの複数のＡｄｄｒｅｓｓフィールドのうちいずれか一つが無線通信端末が含まれたＢＳＳのＢＳＳＩＤを示す場合、無線通信端末は受信したフレームをＩｎｔｒａ−ＢＳＳフレームと判断する。また、無線通信端末が受信したフレームのＭＡＣヘッダの複数のＡｄｄｒｅｓｓフィールドのうちいずれも無線通信端末が含まれたＢＳＳのＢＳＳＩＤを示さない場合、無線通信端末は受信したフレームをＩｎｔｅｒ−ＢＳＳフレームと判断する。但し、無線通信端末がＭＡＣフレームの種類に応じてＡｄｄｒｅｓｓフィールドのみで受信したフレームがＩｎｔｒａ−ＢＳＳフレームであるのか、またはＩｎｔｅｒ−ＢＳＳフレームであるのか判断することができない場合もある。ＭＡＣヘッダのＡｄｄｒｅｓｓフィールドが示す情報は、フレームタイプとＴｏ  ＤＳフィールド、Ｆｒｏｍ  ＤＳフィールドの設定に応じて異なり得るためである。よって、無線通信端末はＭＡＣフレームの種類とＭＡＣ  Ａｄｄｒｅｓｓフィールドに基づいて受信したフレームがＩｎｔｒａ−ＢＳＳフレームであるのか、またはＩｎｔｅｒ−ＢＳＳフレームであるのかを判断することができる。それについては、図１６を介して詳しく説明する。
【０１３７】
図１６は、本発明の実施例による無線通信端末がフレームの種類とＭＡＣヘッダフィールドの値によって受信したフレームがＩｎｔｒａ−ＢＳＳフレームであるのか、またはＩｎｔｅｒ−ＢＳＳフレームであるのかを判断する方法を示す図である。
【０１３８】
無線通信端末は、ＭＡＣヘッダのＦｒａｍｅ  ＣｏｎｔｒｏｌフィールドのＴｙｐｅフィールド値に応じて該当フレームがデータフレームであるのかを判断する。データフレームであれば、Ｔｏ  ＤＳフィールドとＦｒｏｍ  ＤＳフィールドに応じてＡｄｄｒｅｓｓフィールドが示す情報が異なり得る。よって、無線通信端末はＭＡＣヘッダのＦｒａｍｅ  ＣｏｎｔｒｏｌフィールドのＴｙｐｅフィールドがデータフレームであることを示す場合、Ｔｏ  ＤＳフィールド、Ｆｒｏｍ  ＤＳフィールド、及びＡｄｄｒｅｓｓフィールドの値に基づいて受信したフレームがＩｎｔｒａ−ＢＳＳフレームであるのか、またはＩｎｔｅｒ−ＢＳＳフレームであるのかを判断することができる。
【０１３９】
詳しくは、無線通信端末が受信したフレームがデータフレームで、Ｔｏ  ＤＳフィールドとＦｒｏｍ  ＤＳフィールドの値が全て０であれば、Ａｄｄｒｅｓｓ  ３フィールドはＢＳＳＩＤを示す。よって、無線通信端末が受信したフレームがデータフレームで、Ｔｏ  ＤＳフィールドとＦｒｏｍ  ＤＳフィールドの値が全て０である場合、無線通信端末はＡｄｄｒｅｓｓ  ３フィールドの値が無線通信端末が含まれたＢＳＳのＢＳＳＩＤであれば、受信したフレームをＩｎｔｒａ−ＢＳＳフレームと判断する。また、無線通信端末が受信したフレームがデータフレームで、Ｔｏ  ＤＳフィールドとＦｒｏｍ  ＤＳフィールドの値が全て０である場合、無線通信端末はＡｄｄｒｅｓｓ  ３フィールドの値が無線通信端末が含まれたＢＳＳのＢＳＳＩＤでなければ、受信したフレームをＩｎｔｅｒ−ＢＳＳフレームと判断する。
【０１４０】
また、無線通信端末が受信したフレームがデータフレームで、Ｔｏ  ＤＳフィールドの値が０でＦｒｏｍ  ＤＳフィールドの値が１であれば、Ａｄｄｒｅｓｓ  ２フィールドはＢＳＳＩＤを示す。よって、無線通信端末が受信したフレームがデータフレームで、Ｔｏ  ＤＳフィールドの値が０でＦｒｏｍ  ＤＳフィールドの値が１である場合、無線通信端末はＡｄｄｒｅｓｓ  ２フィールドの値が無線通信端末が含まれたＢＳＳのＢＳＳＩＤであれば、受信したフレームをＩｎｔｒａ−ＢＳＳフレームと判断する。また、無線通信端末が受信したフレームがデータフレームで、Ｔｏ  ＤＳフィールドの値が０でＦｒｏｍ  ＤＳフィールドの値が全て１である場合、無線通信端末はＡｄｄｒｅｓｓ  ２フィールドの値が無線通信端末が含まれたＢＳＳのＢＳＳＩＤでなければ、受信したフレームをＩｎｔｅｒ−ＢＳＳフレームと判断する。また、Ｔｏ  ＤＳフィールドの値が０でＦｒｏｍ  ＤＳフィールドの値が１であって、ＭＰＤＵが含むＭＳＤＵがベーシック（ｂａｓｉｃ）Ａ−ＭＳＤＵである場合、Ａｄｄｒｅｓｓ  ３フィールドはＢＳＳＩＤを示す。よって、無線通信端末が受信したフレームがデータフレームで、Ｔｏ  ＤＳフィールドの値が０でＦｒｏｍ  ＤＳフィールドの値が１であって、ＭＰＤＵが含むＭＳＤＵがベーシックＡ−ＭＳＤＵである場合、無線通信端末はＡｄｄｒｅｓｓ  ３フィールドの値が無線通信端末が含まれたＢＳＳのＢＳＳＩＤであれば、受信したフレームをＩｎｔｒａ−ＢＳＳフレームと判断する。また、無線通信端末が受信したフレームがデータフレームで、Ｔｏ  ＤＳフィールドの値が０でＦｒｏｍ  ＤＳフィールドの値が１であって、ＭＰＤＵが含むＭＳＤＵがベーシックＡ−ＭＳＤＵである場合、無線通信端末はＡｄｄｒｅｓｓ  ３フィールドの値が無線通信端末が含まれたＢＳＳに当たるＢＳＳＩＤでなければ、受信したフレームをＩｎｔｅｒ−ＢＳＳフレームと判断する。
【０１４１】
また、無線通信端末が受信したフレームがデータフレームで、Ｔｏ  ＤＳフィールドの値が１でＦｒｏｍ  ＤＳフィールドの値が０であれば、Ａｄｄｒｅｓｓ  １フィールドはＢＳＳＩＤを示す。よって、無線通信端末が受信したフレームがデータフレームで、Ｔｏ  ＤＳフィールドの値が１でＦｒｏｍ  ＤＳフィールドの値が０である場合、無線通信端末はＡｄｄｒｅｓｓ  １フィールドの値が無線通信端末が含まれたＢＳＳのＢＳＳＩＤであれば、受信したフレームをＩｎｔｒａ−ＢＳＳフレームと判断する。また、無線通信端末が受信したフレームがデータフレームで、Ｔｏ  ＤＳフィールドの値が１でＦｒｏｍ  ＤＳフィールドの値が全て０である場合、無線通信端末はＡｄｄｒｅｓｓ  １フィールドの値が無線通信端末が含まれたＢＳＳに当たるＢＳＳＩＤでなければ、受信したフレームをＩｎｔｅｒ−ＢＳＳフレームと判断する。また、Ｔｏ  ＤＳフィールドの値が１でＦｒｏｍ  ＤＳフィールドの値が０であって、ＭＰＤＵが含むＭＳＤＵがベーシックＡ−ＭＳＤＵである場合、Ａｄｄｒｅｓｓ  ３フィールドはＢＳＳＩＤを示す。よって、無線通信端末が受信したフレームがデータフレームで、Ｔｏ  ＤＳフィールドの値が１でＦｒｏｍ  ＤＳフィールドの値が０であって、ＭＰＤＵが含むＭＳＤＵがベーシックＡ−ＭＳＤＵである場合、無線通信端末はＡｄｄｒｅｓｓ  ３フィールドの値が無線通信端末が含まれたＢＳＳのＢＳＳＩＤであれば、受信したフレームをＩｎｔｒａ−ＢＳＳフレームと判断する。また、無線通信端末が受信したフレームがデータフレームで、Ｔｏ  ＤＳフィールドの値が１でＦｒｏｍ  ＤＳフィールドの値が０であって、ＭＰＤＵが含むＭＳＤＵがベーシックＡ−ＭＳＤＵである場合、無線通信端末はＡｄｄｒｅｓｓ  ３フィールドの値が無線通信端末が含まれたＢＳＳに当たるＢＳＳＩＤでなければ、受信したフレームをＩｎｔｅｒ−ＢＳＳフレームと判断する。また、詳しくは、無線通信端末が受信したフレームがデータフレームで、Ｔｏ  ＤＳフィールドの値が１でＦｒｏｍ  ＤＳフィールドの値が１であって、フレームが含むＭＳＤＵがＢＡＳＩＣ  Ａ−ＭＳＤＵである場合、Ａｄｄｒｅｓｓ  ３フィールドとＡｄｄｒｅｓｓ  ４フィールドはＢＳＳＩＤを示す。無線通信端末が受信したフレームがデータフレームで、Ｔｏ  ＤＳフィールドの値が１でＦｒｏｍ  ＤＳフィールドの値が１であって、フレームが含むＭＳＤＵがＢＡＳＩＣ  Ａ−ＭＳＤＵである場合、無線通信端末はＡｄｄｒｅｓｓ  ３フィールドの値またはＡｄｄｒｅｓｓ  ４フィールドの値が無線通信端末が含まれたＢＳＳのＢＳＳＩＤであれば、受信したフレームをＩｎｔｒａ−ＢＳＳフレームと判断する。また、無線通信端末が受信したフレームがデータフレームで、Ｔｏ  ＤＳフィールドの値が１でＦｒｏｍ  ＤＳフィールドの値が１であって、フレームが含むＭＳＤＵがＢＡＳＩＣ  Ａ−ＭＳＤＵである場合、無線通信端末はＡｄｄｒｅｓｓ  ３フィールドの値とＡｄｄｒｅｓｓ  ４フィールドの値全てが無線通信端末が含まれたＢＳＳのＢＳＳＩＤでなければ、受信したフレームをＩｎｔｅｒ−ＢＳＳフレームと判断する。
【０１４２】
受信したフレームがマネジメントフレームであれば、Ａｄｄｒｅｓｓ  １フィールドはＲＡフィールドであり、Ａｄｄｒｅｓｓ  ２フィールドはＴＡフィールドである。また、受信したフレームがマネジメントフレームであれば、Ａｄｄｒｅｓｓ  ３フィールドはＢＳＳＩＤフィールドである。よって、無線通信端末が受信したフレームがマネジメントフレームである場合、無線通信端末はＡｄｄｒｅｓｓ  １フィールド、Ａｄｄｒｅｓｓ  ２フィールド、及びＡｄｄｒｅｓｓ  ３フィールドのうちいずれか一つの値が無線通信端末が含まれたＢＳＳのＢＳＳＩＤであれば、受信したフレームをＩｎｔｒａ−ＢＳＳフレームと判断する。また、無線通信端末が受信したフレームがマネジメントフレームである場合、無線通信端末はＡｄｄｒｅｓｓ  １フィールド、Ａｄｄｒｅｓｓ  ２フィールド、及びＡｄｄｒｅｓｓ  ３フィールドの値全てが無線通信端末が含まれたＢＳＳのＢＳＳＩＤでなければ、受信したフレームをＩｎｔｒａ−ＢＳＳフレームと判断する。
【０１４３】
また、無線通信端末が含まれたＢＳＳが多重ＢＳＳＩＤセット（Ｍｕｌｔｉｐｌｅ  ＢＳＳＩＤ  ｓｅｔ）に含まれたＢＳＳＩＤを有する場合、無線通信端末は受信したフレームがＩｎｔｒａ−ＢＳＳフレームであるのか、またはＩｎｔｅｒ−ＢＳＳフレームであるのかを判断する場合、該当多重ＢＳＳＩＤセットに含まれたＢＳＳＩＤを無線通信端末が含まれたＢＳＳのＢＳＳＩＤとみなす（ｒｅｇａｒｄ）。詳しくは、上述したＡｄｄｒｅｓｓフィールドの値が無線通信端末が含まれたＢＳＳのＢＳＳＩＤである場合、無線通信端末が含まれたＢＳＳが多重ＢＳＳＩＤセットに含まれたＢＳＳＩＤを有すればＡｄｄｒｅｓｓフィールドの値が多重ＢＳＳＩＤセットに含まれた複数のＢＳＳＩＤのうちいずれか一つである場合を含む。
【０１４４】
また、Ａｄｄｒｅｓｓフィールドの値が無線通信端末が含まれたＢＳＳのＢＳＳＩＤであれば、Ａｄｄｒｅｓｓフィールドの値でＩｎｄｉｖｉｄｕａｌ／Ｇｒｏｕｐビットを０に設定すると、無線通信端末が含まれたＢＳＳのＢＳＳＩＤと同じ場合を含む。また、Ａｄｄｒｅｓｓフィールドの値が無線通信端末が含まれたＢＳＳのＢＳＳＩＤであれば、Ａｄｄｒｅｓｓフィールドの値が無線通信端末が含まれたＢＳＳのＢＳＳＩＤの周波数帯域シグナリングバリアント（ｂａｎｄｗｉｄｔｈ  ｓｉｎｇａｌｉｎｇ  ｖａｒｉａｎｔ)である場合を含む。
【０１４５】
また、無線通信端末は、ＭＰＤＵのＦＣＳフィールドの値が有効であれば、ＭＡＣヘッダまたはＭＡＣヘッダのＡｄｄｒｅｓｓフィールドに基づいて受信したフレームがＩｎｔｒａ−ＢＳＳフレームであるのか、またはＩｎｔｅｒ−ＢＳＳフレームであるのかを判断する。
【０１４６】
図１７は、本発明の実施例による無線通信端末がＩｎｔｅｒ−ＢＳＳカラー衝突を見つけた場合、Ｉｎｔｅｒ−ＢＳＳカラー衝突状況を直すための無線通信端末の動作と、Ｉｎｔｒａ−ＢＳＳカラー混同を防止するための無線通信端末の動作を示す図である。
【０１４７】
アクセスポイントでない無線通信端末がＩｎｔｅｒ−ＢＳＳカラー衝突を見つけた場合、無線通信端末はアクセスポイントにＢＳＳカラー変更を要請するフレームを伝送する。
【０１４８】
また、アクセスポイントがＢＳＳカラーを変更する場合、アクセスポイントはＢＳＳカラー変更を示すフレームを伝送する。この際、ＢＳＳカラー変更を示すフレームを受信した無線通信端末は、一定時間の間、ＰＰＤＵのシグナリングフィールドが示すＢＳＳカラーに基づいたＳＲ動作を行わなくてもよい。また、ＢＳＳカラー変更を示すフレームを受信した無線通信端末は、一定時間の間、ＰＰＤＵのシグナリングフィールドが示すＢＳＳカラーに基づいたパワーセーブ動作を行わなくてもよい。この際、ＢＳＳカラー変更を示すフレームは一定時間を示す情報を含む。具体的な実施例において、ＢＳＳカラーが１である無線通信端末がＢＳＳカラーが２に変更されることを示すフレームを受信した場合、無線通信端末は以下のように動作する。無線通信端末はＢＳＳカラー変更を示すフレームを受信したときから一定時間の間、ＢＳＳカラー２を示すＰＰＤＵに関するＳＲ動作を行わない。また、無線通信端末はＢＳＳカラー変更を示すフレームを受信したときから一定時間の間、ＢＳＳカラー２を示すＰＰＤＵに関するパワーセーブ動作を行わない。
【０１４９】
また、ＢＳＳカラー変更を示すフレームは、ＢＳＳカラー変更履歴（ｈｉｓｔｏｒｙ）を示すカウンタを含む。詳しくは、カウンタの値は０と１の間でトグル（ｔｏｇｇｌｅ）される。他の具体的な実施例において、カウンタの値は一定大きさの範囲内でラップアラウンド（ｗｒａｐ  ａｒｏｕｎｄ)形態に増加する。ＢＳＳカラー変更を示すフレームを受信した無線通信端末は、カウンタ値が変更されればＢＳＳカラーが変更されたと判断する。
【０１５０】
他の具体的な実施例において、ＢＳＳカラーを変更するフレームはＢＳＳカラーの適用時期を示すカウンタを含む。詳しくは、アクセスポイントはＢＳＳカラーの変更を示すフレームを一定時間の間周期的に伝送する。この際、無線通信端末はＢＳＳカラーの変更を示すフレームを伝送するごとにカウンタ値を減らしていく。ＢＳＳカラーの変更を示すフレームを受信した無線通信端末は、カウンタ値が０であれば変更されたＢＳＳカラーを適用する。
【０１５１】
無線通信端末はこのような動作を介し、Ｉｎｔｒａ−ＢＳＳカラー混同の発生を防止する。図１７（ａ）乃至図１７（ｂ）を介し、このような動作が適用された具体的な実施例を説明する。
【０１５２】
図１７（ａ）の実施例は、ある一つのステーションがＩｎｔｅｒ−ＢＳＳカラー衝突を見つけた場合である。この際、ステーションはアクセスポイントにＢＳＳカラー変更を要請するフレームを伝送する。アクセスポイントはＢＳＳカラー変更を要請するフレームを受信し、ＢＳＳカラー変更を要請するフレームに対するＡＣＫフレームをステーションに伝送する。アクセスポイントはＢＳＳカラーを変更し、ＢＳＳカラー変更を示すフレームを伝送する。この際、ＢＳＳカラー変更を示すフレームのカウンタ値は１である。カウンタ値はＢＳＳカラーの変更履歴を示す。また、ＢＳＳカラー変更を示すフレームを受信した無線通信端末は、ＢＳＳカラー変更を示すフレームを受信したときから一定時間の間、ＳＲ動作とパワーセーブ動作を行わない。
【０１５３】
図１７（ｂ）の実施例は、アクセスポイントがＩｎｔｅｒ−ＢＳＳカラー衝突を見つけた場合である。この際、アクセスポイントはＢＳＳカラー変更を示すフレームを伝送する。詳しくは、アクセスポイントはＢＳＳカラーの変更を示すフレームを一定時間の間周期的に伝送する。この際、アクセスポイントはＢＳＳカラー変更を示すフレームが含むカウンタ値を減らしてＢＳＳカラーの適用時期を示す。無線通信端末はカウンタ値が０であるＢＳＳカラー変更を示すフレームを受信した際、変更されたＢＳＳカラーを適用する。
【０１５４】
図１８は、本発明の一実施例による無線通信端末が広帯域通信のために周波数帯域を結合する方法を示す図である。
【０１５５】
ＯＦＤＭＡ伝送において、サブ周波数帯域を使用する場合でなければ、無線通信端末は周波数帯域幅が２０ＭＨｚ、４０ＭＨｚ、８０ＭＨｚ、及び１６０ＭＨｚのうちいずれか一つの周波数帯域を使用する。詳しくは、無線通信端末は２０ＭＨｚの周波数帯域幅を有する主チャネルと、主チャネルに隣接し２０ＭＨｚの帯域幅を有する副チャネルを結合して使用する。この際、主チャネルはアクセスポイント別に指定される。また、結合された周波数帯域は主４０ＭＨｚチャネルと称される。また、無線通信端末は主４０ＭＨｚチャネルと、４０ＭＨｚの帯域幅を有し主４０ＭＨｚチャネルに隣接する副チャネルを結合して使用する。この際、結合された周波数帯域は主８０ＭＨｚチャネルと称される。また、無線通信端末は主８０ＭＨｚチャネルと、８０ＭＨｚの帯域幅を有し主８０ＭＨｚチャネルに隣接する副チャネルを結合して使用する。また、無線通信端末は主８０ＭＨｚチャネルと、８０ＭＨｚの帯域幅を有し主８０ＭＨｚチャネルに隣接しない副チャネルを結合して使用する。説明の便宜上、本明細書において、２０ＭＨｚより大きい周波数帯域幅を有する周波数帯域を広帯域と称する。無線通信端末が広帯域通信をする場合、ＣＣＡが必要な周波数帯域の帯域幅も共に広くなる。よって、無線通信端末が競争手順を介してチャネルに接近する際、広帯域に対する効率的なＣＣＡ方法が必要となる。無線通信端末が広帯域に対してＣＣＡをする方法については、図１９乃至図２０を介して説明する。
【０１５６】
図１９は、本発明の一実施例による無線通信端末が広帯域ＰＰＤＵを伝送する方法を示す図である。
【０１５７】
無線通信端末は、チャネル単位の周波数帯域幅を有する主チャネルについて競争手順を行う。この際、無線通信端末は、主チャネルにおける競争手順を介して決定された伝送時点から前の（ｐｒｅｃｅｄｉｎｇ)一定時間の間に遊休状態の副チャネルを結合してＰＰＤＵを伝送する。詳しくは、副チャネルは主チャネルに隣接した周波数帯域幅である。また、一定時間はＰＩＦＳである。また、チャネル単位の周波数帯域幅は、ＯＦＤＭＡ伝送において、無線通信端末がサブ周波数帯域を使用する場合でなければ、無線通信端末が使用し得る最小の周波数帯域幅を示す。チャネル単位の周波数帯域幅は、上述したように２０ＭＨｚであってもよい。
【０１５８】
競争手順において、無線通信端末の具体的な動作は図６を介して説明した実施例と同じである。詳しくは、チャネルが一定時間区間以上遊休である場合、無線通信端末はバックオフウィンドウによる競争手順を行う。この際、一定時間区間は８０２．１１で定義するＩＦＳのうちいずれか一つである。例えば、一定時間区間はＡＩＦＳとＰＩＦＳのうちいずれか一つであってもよい。詳しくは、無線通信端末は競争ウィンドウ内の任意の値をバックオフカウンタとして獲得する。該当チャネルが遊休の時間がスロットタイム以上持続されれば、無線通信端末はバックオフカウンタの値を減らす。この際、スロットタイムは９ｕｓである。無線通信端末は、バックオフの値が０になるまで待機する。バックオフカウンタの値が０になれば、無線通信端末は該当チャネルにアクセスする。
【０１５９】
バックオフカウンタの値が０になる前に、該当チャネルが使用中状態になることがある。このような場合、無線通信端末は該当チャネルが更に遊休になり、一定大きさの時間区間以上遊休の場合、バックオフウィンドウに応じた競争手順を更に行う。この際、無線通信端末は以前の競争手順に残っているバックオフカウンタの値を基準にバックオフ手順を行う。
【０１６０】
図１９（ａ）の実施例において、無線通信端末は主２０ＭＨｚチャネル（Ｐｒｉｍａｒｙ  ２０ＭＨｚ  Ｃｈａｎｎｅｌ）で競争手順を行う。バックオフカウンタの値が０になった時点から、以前のＰＩＦＳの間に副２０ＭＨｚチャネル（ｓｅｃｏｎｄａｒｙ  ２０ＭＨｚ  Ｃｈａｎｎｅｌ）及び副４０ＭＨｚチャネル（ｓｅｃｏｎｄａｒｙ  ４０ＭＨｚ  Ｃｈａｎｎｅｌ）が共に遊休の状態を維持していた。よって、無線通信端末は８０ＭＨｚの帯域幅を有する周波数帯域を介して、バックオフカウンタの値が０になった時点にＰＰＤＵを伝送する。
【０１６１】
図１９（ｂ）の実施例において、無線通信端末は主２０ＭＨｚチャネルで競争手順を行う。バックオフカウンタの値が０になった時点から、以前のＰＩＦＳの間に副２０ＭＨｚチャネルは遊休の状態を維持していた。しかし、バックオフカウンタの値が０になった時点から、以前のＰＩＦＳの間に副４０ＭＨｚチャネルは遊休の状態が持続されなかった。よって、無線通信端末は４０ＭＨｚの帯域幅を有する周波数帯域を介してＰＰＤＵを伝送する。図１９（ａ)と図１９（ｂ）の実施例において、無線通信端末は使用可能な周波数帯域幅に応じてＰＰＤＵを動的に割り当てるべきである。無線通信端末が使用可能な周波数帯域の帯域幅に応じてＰＰＤＵを動的に割り当てることが難しい場合については、図１９（ｃ）を介して説明する。
【０１６２】
無線通信端末が伝送準備の際に選択した周波数帯域幅だけの周波数帯域で伝送が不可能な場合、無線通信端末は、主チャネルがバックオフカウンタ値が示すバックオフウィンドウより大きい時間の間に遊休の場合であっても伝送せずに待機する。この際、無線通信端末は、無線通信端末が伝送準備の際に選択した周波数帯域幅だけの周波数帯域からＰＰＤＵを伝送し得るまで待機する。
【０１６３】
図１９（ｃ）の実施例において、無線通信端末は主２０ＭＨｚチャネルで競争手順を行う。バックオフカウンタの値が０になった時点から、以前のＰＩＦＳの間に副２０ＭＨｚチャネルは遊休であったが、副４０ＭＨｚチャネルは遊休の状態が維持されなかった。よって、無線通信端末は８０ＭＨｚの帯域幅を有する周波数帯域で伝送が可能になるまで待機する。
【０１６４】
図２０は、本発明の実施例による無線通信端末が４０ＭＨｚの周波数帯域幅を有する周波数帯域を介してＰＰＤＵを伝送することを示す図である。
【０１６５】
上述したように、無線通信端末はバックオフ手順を開始する前に、該当チャネルが遊休であるのかを判断するためにＣＣＡ動作を行う。また、無線通信端末はバックオフ手順において、スロットタイムの間に該当チャネルが遊休であるのかを判断するためにＣＣＡ動作を行う。この際、無線通信端末はプリアンブル検出及びエネルギー検出（Ｅｎｅｒｇｙ  Ｄｅｔｅｃｔｉｏｎ、ＥＤ）のうち少なくとも一つに基づいてＣＣＡ動作を行う。また、無線通信端末は繰り返し検出（Ｒｅｐｅｔｉｔｏｎ  Ｄｅｔｅｃｔｉｏｎ、ＲＤ）に基づいてＣＣＡ動作を行う。
【０１６６】
ＰＤは無線通信端末がＰＰＤＵの最も前の部分に当たるＬ−ＳＴＦから伝送される繰り返し信号パターンを検出し、ＰＰＤＵ伝送のために使用される信号の強度を検出する方法である。Ｅｎｅｒｇｙ  Ｄｅｔｅｃｔｉｏｎ（ＥＤ）は、無線通信端末が任意の無線信号のエネルギー強度を検出する方法である。また、ＲＤは無線通信端末がＰＰＤＵの伝送のために使用される信号から繰り返されるパターンを検出し、ＰＰＤＵ伝送のために使用される信号の強度を検出する方法である。無線通信端末が主チャネルからＰＤに基づいてＣＣＡを行う際に使用される閾値を第１ＰＤ  ＣＣＡ閾値と称する。また、無線通信端末が主チャネルからＥＤに基づいてＣＣＡを行う際に使用される閾値を第１ＥＤ  ＣＣＡ閾値と称する。また、無線通信端末が主チャネルからＲＤに基づいてＣＣＡを行う際に使用される閾値を第１ＲＤ  ＣＣＡ閾値と称する。第１ＲＤ  ＣＣＡ閾値は第１ＰＤ  ＣＣＡ閾値と同じであってもよい。無線通信端末が受信したＰＰＤＵがＯＢＳＳから伝送された場合、無線通信端末はＯＢＳＳから伝送されたＰＰＤＵに対してＯＢＳＳ第１ＰＤ  ＣＣＡ閾値を適用しＣＣＡ動作を行う。この際、ＯＢＳＳ第１ＰＤ  ＣＣＡ閾値とは、主チャネルでＰＤに基づいてＣＣＡを行うための閾値をいう。無線通信端末は、ＰＰＤＵのシグナリングフィールドが示すＢＳＳカラーとＭＡＣヘッダのＡｄｄｒｅｓｓフィールドのうち少なくともいずれか一つに基づいて受信したＰＰＤＵがＯＢＳＳから伝送されたＰＰＤＵであるのかを判断する。詳しくは、無線通信端末は、図６乃至図１６を介して説明した実施例によって、受信したＰＰＤＵがＯＢＳＳから伝送されたＰＰＤＵであるのかを判断する。
【０１６７】
具体的な実施例において、ＯＢＳＳ第１ＰＤ  ＣＣＡ閾値は第１ＰＤ  ＣＣＡ閾値より同じであるか大きくてもよく、第１ＥＤ  ＣＣＡ閾値より小さいか同じであってもよい。また、無線通信端末は、無線通信端末がＰＰＤＵ伝送する際に使用する伝送パワー（ＴＸＰＷＲ）に基づいてＯＢＳＳ第１ＰＤの値を調整する。例えば、無線通信端末は、第１ＰＤ（−８２ｄＢｍ）≦ＯＢＳＳ第１ＰＤ≦第１ＥＤ（−６２ｄＢｍ）の範囲内で、無線通信端末がＰＰＤＵ伝送する際に使用する伝送パワーに基づいてＯＢＳＳ第１ＰＤの値を調整する。
【０１６８】
上述したように、無線通信端末はＰＰＤＵを伝送する際、レガシー無線通信端末のためのフィールドとノン・レガシーシグナリングフィールドを６４ＦＦＴに基づいてＯＦＤＭ伝送する。詳しくは、レガシー無線通信端末のためのフィールドはＬ−ＳＴＦ、Ｌ−ＬＴＦ、及びＬ−ＳＩＧフィールドである。また、ノン・レガシーシグナリングフィールドはＲＬ−ＳＩＧフィールド、ＨＥ−ＳＩＧ−Ａフィールド、及びＨＥ−ＳＩＧ−Ｂフィールドである。無線通信端末がＰＰＤＵを６４ＦＦＴに基づいてＯＦＤＭ伝送する場合、ＰＰＤＵを伝送する信号は３．２ｕｓのデュレーションを有するデータと、０．４ｕｓまたは０．８ｕｓのデュレーションを有するサイクリックプリフィックス（Ｃｙｃｌｉｃ  Ｐｒｅｆｉｘ、ＣＰ）が繰り返される。よって、無線通信端末はＰＩＦＳ（２５ｕｓ）の間、ＣＣＡを介して約６〜７個のシンボルを受信して信号の強度を測定する。
【０１６９】
無線通信端末は、ＰＰＤＵが含むデータとプリアンブルの一部を２５６ＦＦＴに基づいてＯＦＤＭ伝送する。無線通信端末がＰＰＤＵを２５６ＦＦＴに基づいてＯＦＤＭ伝送する場合、ＰＰＤＵを伝送する信号は１２．８ｕｓのデュレーションを有するデータと、０．８ｕｓ、１．６ｕｓ、及び３．２ｕｓのうちいずれか一つのデュレーションを有するサイクリックプリフィックスが繰り返される。よって、無線通信端末はＰＩＦＳ（２５ｕｓ）の間、ＣＣＡを介して最大１〜２個のシンボルを受信して信号の強度を測定する。よって、無線通信端末が６４ＦＦＴと２５６ＦＦＴを共に使用してＰＰＤＵをＯＦＤＭ伝送する信号を受信する場合、無線通信端末は、ＰＩＦＳの間に受信した信号がＰＰＤＵを伝送する信号であるのかを判断することが難しい。よって、無線通信端末が受信した信号がＰＰＤＵを伝送する信号であるのかに関する判断に失敗した場合、無線通信端末はＥＤに基づいてＣＣＡを行う。また、無線通信端末が６４ＦＦＴと２５６ＦＦＴを共に使用してＰＰＤＵをＯＦＤＭ伝送する信号を受信する場合、無線通信端末は、ＰＤだけでなくＲＤに基づいて受信した信号がＰＰＤＵを伝送する信号であるのかを判断する。
【０１７０】
図２０（ａ）の実施例において、無線通信端末は主チャネルにおいてバックオフカウンタに基づいた競争手順を行う。この際、無線通信端末はＰＤとＥＤに基づいてＣＣＡを行う。また、無線通信端末は副チャネルでＰＤ、ＥＤ、及びＲＤに基づいてＣＣＡを行い、バックオフカウンタが０になる時点から以前のＰＩＦＳの間に遊休の状態であったのかを判断する。
【０１７１】
また、無線通信端末は副チャネルが主チャネルにおける競争手順を介して決定された伝送時点から一定時間の間に遊休の状態である場合、主チャネルと副チャネルを結合してＰＰＤＵを伝送するが、一定時間はＰＩＦＳより大きい時間であってもよい。上述したように、ＰＰＤＵが２５６ＦＦＴに基づいてＯＦＤＭ伝送される場合、無線通信端末がＰＩＦＳの間に無線信号がＰＰＤＵであるのかを判断することが難しいためである。この際、一定時間はＡＩＦＳより小さいか同じであってもよい。無線通信端末が主チャネルに対する競争手順でバックオフカウンタとして０を獲得する場合、無線通信端末はＡＩＦＳの時間の間に主チャネルが遊休であるのかを判断する。よって、無線通信端末が副チャネルがＡＩＦＳより大きい時間区間の間に遊休であるのかを判断する場合、副チャネルからＰＰＤＵを伝送するために必要な遊休時間区間が、主チャネルからＰＰＤＵを伝送するために必要な遊休時間区間より大きくてもよい。
【０１７２】
他の具体的な実施例において、一定時間はＡＩＦＳが示す時間とバックオフカウンタが示す時間の合計と同じであるか短くてもよい。それを介し、無線通信端末は副チャネルを介して伝送されるＰＰＤＵの検出の正確度を上げることができる。但し、バックオフカウンタ値に応じて、副チャネルを介して伝送されるＰＰＤＵの検出の正確度は可変になり得る。図２０（ｂ）の実施例において、無線通信端末は主チャネルにおいて、図２０（ａ）の実施例で説明したように競争手順を行う。無線通信端末は主チャネルの競争手順において、バックオフカウンタが０である時点から以前のｘＩＦＳ時間の間に副チャネルが遊休の状態を維持したのかを判断する。この際、ｘＩＦＳはＰＩＦＳより大きいフレーム間隔を示す。
【０１７３】
他の具体的な実施例において、無線通信端末は、副チャネルが主チャネルの競争手順を介して決定された伝送時点から以前の一定時間の間に遊休の状態であったのかを判断する際、受信した信号のモジュレーション方法によって一定時間の長さを調整することができる。この際、モジュレーション方法は、６４ＦＦＴを利用したＯＦＤＭ伝送または２５６ＦＦＴを利用したＯＦＤＭ伝送のうちいずれか一つである。詳しくは、無線通信端末は副チャネルから受信した信号が６４ＦＦＴに基づいてＯＦＤＭ伝送される場合、副チャネルが主チャネルにおける競争手順を介して決定された伝送時点から以前の第１時間区間の間に遊休の状態であったのかを判断する。また、無線通信端末は副チャネルから受信した信号が２５６ＦＦＴに基づいてＯＦＤＭ伝送される場合、副チャネルが主チャネルにおける競争手順を介して決定された伝送時点から以前の第２時間区間の間に遊休の状態であったのかを判断する。この際、第１時間区間は第２時間区間より短くてもよい。具体的な実施例において、第１時間区間はＰＩＦＳであり、第２時間区間はＰＩＦＳが示す時間より長くＡＩＦＳが示す時間とバックオフカウンタが示す時間の合計よりは短くてもよい。
【０１７４】
ＡＩＦＳが示す時間と主チャネルの競争手順から獲得したバックオフカウンタが示す時間の合計が２５６ＦＦＴに基づいてＯＦＤＭ伝送される信号を検出するための最小時間より大きく、無線通信端末が副チャネルから２５６ＦＦＴに基づいてＯＦＤＭ伝送される信号を受信した場合、無線通信端末が副チャネルが遊休の状態を維持したのかを判断する時間はＰＩＦＳより長い時間を示すｘＩＦＳである。ＡＩＦＳが示す時間と主チャネルの競争手順から獲得したバックオフカウンタが示す時間の合計が２５６ＦＦＴに基づいてＯＦＤＭ伝送される信号を検出するための最小の時間より大きく、無線通信端末が副チャネルから６４ＦＦＴに基づいてＯＦＤＭ伝送される信号を受信した場合、副チャネルが遊休の状態を維持したのかを判断する時間はＰＩＦＳまたはｘＩＦＳである。
【０１７５】
ＡＩＦＳが示す時間と主チャネルの競争手順から獲得したバックオフカウンタが示す時間の合計が２５６ＦＦＴに基づいてＯＦＤＭ伝送される信号を検出するための最小時間より短ければ、副チャネルが主チャネルにおける競争手順を介して決定された伝送時点からＰＩＦＳの間に遊休の状態であったのかを判断することができる。この際、無線通信端末は、無線通信端末が副チャネルから２５６ＦＦＴに基づいてＯＦＤＭ伝送された信号を検出する場合、ＥＤに基づいて副チャネルがＰＩＦＳの間に遊休の状態であったのかを判断する。また、無線通信端末は、無線通信端末が副チャネルから６４ＦＦＴに基づいてＯＦＤＭ伝送された信号を検出する場合、ＰＤ、ＲＤ、及びＥＤのうち少なくともいずれか一つに基づいて副チャネルがＰＩＦＳの間に遊休の状態であったのかを判断する。無線通信端末が割と短い時間の間に副チャネルから２５６ＦＦＴに基づいて伝送されるＯＦＤＭシンボルを検出しようとする際、ＯＦＤＭシンボルの検出に失敗する確率が高いためである。
【０１７６】
図２０（ｃ）の実施例と図２０（ｄ）の実施例において、無線通信端末が受信した信号が６４ＦＦＴに基づいてＯＦＤＭ伝送される場合、無線通信端末は副チャネルが主チャネルの競争手順において伝送が決定された時間以前のＰＩＦＳの間に遊休の状態であったのかを判断する。また、無線通信端末が受信した信号が２５６ＦＦＴに基づいてＯＦＤＭ伝送される場合、無線通信端末は副チャネルが主チャネルの競争手順において伝送が決定された時間から以前のｘＩＦＳの間に遊休の状態であったのかを判断する。この際、ｘＩＦＳはＰＩＦＳより大きい時間を示す。
【０１７７】
無線通信端末は、副チャネルから受信した信号が６４ＦＦＴに基づいてＯＦＤＭ伝送されているのか、または２５６ＦＦＴに基づいてＯＦＤＭ伝送されているのかによって互いに異なるＰＤ  ＣＣＡ閾値を適用する。説明の便宜上、無線通信端末が副チャネルからＰＤに基づいてＣＣＡを行う際に使用される閾値を第２ＰＤ  ＣＣＡ閾値と称する。詳しくは、無線通信端末は、２５６ＦＦＴに基づいてＯＦＤＭ伝送される無線信号に６４ＦＦＴに基づいてＯＦＤＭ伝送される無線信号より大きい第２ＰＤ  ＣＣＡ閾値を適用する。無線通信端末が副チャネルから受信した信号がＯＢＳＳ  ＰＰＤＵであっても、無線通信端末は受信したＯＢＳＳ  ＰＰＵＤが６４ＦＦＴに基づいてＯＦＤＭ伝送されているのか、または受信したＯＢＳＳ  ＰＰＤＵが２５６ＦＦＴに基づいてＯＦＤＭ伝送されているのかによって互いに異なるＰＤ  ＣＣＡ閾値を適用する。この際、副チャネルから伝送されるＯＢＳＳ  ＰＰＤＵについて、ＰＤに基づいて行われるＣＣＡ動作に適用される閾値をＯＢＳＳ第２ＰＤ  ＣＣＡ閾値と称する。また、副チャネルからＯＢＳＳ  ＰＰＤＵが６４ＦＦＴに基づいてＯＦＤＭ伝送されている際に適用される閾値をＯＢＳＳ第２レガシーＰＤ  ＣＣＡ閾値と称し、副チャネルからＯＢＳＳ  ＰＰＤＵが２５６ＦＦＴに基づいてＯＦＤＭ伝送されている際に適用される閾値をＯＢＳＳ第２ノン・レガシーＰＤ  ＣＣＡ閾値と称する。また、副チャネルからＥＤに基づいて行われるＣＣＡ動作を第２ＥＤ  ＣＣＡ閾値と称する。詳しくは、ＯＢＳＳ第２ＰＤ  ＣＣＡ閾値は第２ＰＤ  ＣＣＡ閾値より大きいか同じであってもよく、第２ＥＤ  ＣＣＡ閾値より小さいか同じであってもよい。また、無線通信端末はＯＢＳＳ第２ＰＤ  ＣＣＡ閾値を無線通信端末がＰＰＤＵを伝送する際に使用する伝送パワーに基づいて調整する。また、無線通信端末が副チャネルからＲＤに基づいてＣＣＡを行う際に使用される閾値である第２ＲＤ  ＣＣＡ閾値は、第２ＰＤ  ＣＣＡ閾値と同じであってもよい。このような動作のために、無線通信端末は副チャネルからＯＢＳＳ  ＰＰＤＵが受信されるのかを判断する必要がある。
【０１７８】
無線通信端末は、主チャネルから受信される信号に関する判断に基づき、副チャネルから受信される信号がＯＢＳＳ  ＰＰＤＵであるのかを判断する。詳しくは、無線通信端末は主チャネルからＰＰＤＵを受信する場合、主チャネルから受信したＰＰＤＵに関する判断を適用する。詳しくは、無線通信端末が主チャネルから受信するＰＰＤＵがＯＢＳＳから伝送されたＰＰＤＵであれば、無線通信端末は主チャネルにＯＢＳＳ第１ＰＤ  ＣＣＡ閾値を適用してＣＣＡ動作を行い、副チャネルにＯＢＳＳ  第２ＰＤ  ＣＣＡ閾値を適用してＣＣＡを行う。この際、ＯＢＳＳ第１ＰＤ  ＣＣＡ閾値とＯＢＳＳ第２ＰＤ  ＣＣＡ閾値は同じであってもよい。図２０（ｃ）の実施例において、無線通信端末は主チャネルから受信するＰＰＤＵをＯＢＳＳから伝送されたＰＰＤＵと判断する。それによって、無線通信端末は主チャネルにＯＢＳＳ第１ＰＤ  ＣＣＡ閾値を適用してＣＣＡ動作を行う。また、無線通信端末は副チャネルにＯＢＳＳ第２ＰＤ  ＣＣＡ閾値を適用してＣＣＡ動作を行う。
【０１７９】
また、無線通信端末は主チャネルからＰＰＤＵが検出されなければ、副チャネルから検出されるＰＰＤＵをＯＢＳＳから伝送されたＰＰＤＵと判断することがある。同じＢＳＳに含まれた無線通信端末は、図１８を介して説明したように、主チャネルを含んで周波数帯域を拡張するためである。図２０（ｄ）の実施例において、無線通信端末は主チャネルからＰＰＤＵの受信を検出することができない。よって、無線通信端末は副チャネルから受信されるＰＰＤＵをＯＢＳＳ  ＰＰＤＵと判断する。無線通信端末は副チャネルにＯＢＳＳ第２ＰＤ  ＣＣＡ閾値を適用してＣＣＡ動作を行う。
【０１８０】
また、ＯＢＳＳ第２ＰＤ  ＣＣＡ閾値は第２ＰＤ  ＣＣＡ閾値より大きいか同じであってもよく、第２ＥＤ  ＣＣＡ閾値より小さいか同じであってもよい。無線通信端末は、無線通信端末が伝送するＰＰＤＵの伝送パワーに基づいてＯＢＳＳ第２ＰＤ  ＣＣＡ閾値を調整する。
【０１８１】
詳しくは、無線通信端末は、無線通信端末が伝送するＰＰＤＵの伝送パワーに基づき、第２レガシーＰＤ  ＣＣＡ閾値（−７２ｄＢｍ）≦ＯＢＳＳ第２レガシーＰＤ  ＣＣＡ閾値≦第２ＥＤ  ＣＣＡ（−６２ｄＢｍ）閾値の範囲内でＯＢＳＳ第２レガシーＰＤ  ＣＣＡ閾値を調整する。６４ＦＦＴ  ＯＦＤＭに基づくシンボルが検出される場合、シンボルが含むＰＰＤＵがレガシーＰＰＤＵであるのかノン・レガシーＰＰＤＵであるのかが不明確である。よって、レガシー無線通信端末との衡平性を維持するために、無線通信端末はレガシー無線通信端末が副チャネルＣＣＡを行う際に適用するＣＣＡ閾値である−７２ｄＢｍより大きい値を第２レガシーＰＤ  ＣＣＡの閾値として使用する。
【０１８２】
他の具体的な実施例において、無線通信端末が副チャネルから２５６ＦＦＴに基づいてＯＦＤＭ伝送された信号を検出した場合、無線通信端末は、無線通信端末が伝送するＰＰＤＵの伝送パワーに基づき、第２ノン・レガシーＰＤ  ＣＣＡ閾値（−８２ｄＢｍ）≦ＯＢＳＳ第２ノン・レガシーＰＤ  ＣＣＡ閾値≦第２ＥＤ  ＣＣＡ閾値（−６２ｄＢｍ）の範囲内でＯＢＳＳ第２ノン・レガシーＰＤ  ＣＣＡ閾値を調整する。２５６ＦＦＴ  ＯＤＦＭに基づくシンボルが検出されればノン・レガシーＰＰＤＵであることが明白なため、レガシー無線通信端末との衡平性問題を考慮しなくてもよいためである。
【０１８３】
また、無線通信端末は、ＯＢＳＳ第２レガシーＰＤ  ＣＣＡ閾値とＯＢＳＳ第２ノン・レガシーＰＤ  ＣＣＡ閾値をＯＢＳＳ第１ＰＤ  ＣＣＡ閾値に基づいて調整する。詳しくは、無線通信端末は、ＯＢＳＳ第２レガシーＰＤ  ＣＣＡ閾値とＯＢＳＳ第２ノン・レガシーＰＤ  ＣＣＡ閾値にＯＢＳＳ第１ＰＤ  ＣＣＡ閾値を適用する。また、無線通信端末は、ＯＢＳＳ第１ＰＤ  ＣＣＡ閾値がＯＢＳＳ第２レガシーＰＤ  ＣＣＡ閾値より大きければ、ＯＢＳＳ第２レガシーＰＤ  ＣＣＡ閾値にＯＢＳＳ第１ＰＤ  ＣＣＡ閾値を適用する。この場合、もしＯＢＳＳ第１ＰＤ  ＣＣＡ閾値がＯＢＳＳ第２レガシーＰＤ  ＣＣＡ閾値より小さいか同じであれば、ＯＢＳＳ第２レガシーＰＤ  ＣＣＡ閾値にＯＢＳＳ第１ＰＤ  ＣＣＡ閾値を適用しなくてもよい。
【０１８４】
図２１は、本発明の実施例による無線通信端末がＳＲ動作の際に伝送パワーを調節することを示す図である。
【０１８５】
無線通信端末は、上述したように、無線通信端末が伝送するＰＰＤＵの伝送パワーに基づいてＯＢＳＳ  ＰＤ  ＣＣＡ閾値を設定する。詳しくは、伝送するＰＰＤＵの伝送パワーが低ければ、無線通信端末はＯＢＳＳ  ＰＤ  ＣＣＡ閾値を増加させる。また、伝送するＰＰＤＵの伝送パワーが高ければ、無線通信端末はＯＢＳＳ  ＰＤ  ＣＣＡ閾値を減少させる。無線通信端末が低い伝送パワーでＰＰＤＵを伝送すれば無線通信端末がＯＢＳＳに及ぼす影響が少なく、無線通信端末が高い伝送パワーでＰＰＤＵを伝送すれば無線通信端末がＯＢＳＳに及ぼす影響が大きいためである。無線通信端末がＣＣＡ閾値だけでなくＳＲ動作の際にＰＰＤＵの伝送パワーを調節する場合、無線通信端末のＳＲ動作のＯＢＳＳからの伝送に対する影響を減らすか、ＳＲ動作の効率を上げることができる。
【０１８６】
よって、無線通信端末はＯＢＳＳ  ＰＰＤＵが伝送される間、ＳＲ動作のために調節されていない伝送パワーでＰＰＤＵを伝送するか、ＳＲ動作のために調節された伝送パワーでＰＰＤＵを伝送してもよい。この際、ＳＲ動作のために調節されていないパワーは予め指定された伝送パワーである。他の具体的な実施例において、ＳＲ動作のために調節されていないパワーは、無線通信端末が出力し得る最大の伝送パワーである。また、予め指定された伝送パワーはアクセスポイントによって指定される。詳しくは、無線通信端末がＯＢＳＳ  ＰＰＤＵの受信を検出しＯＢＳＳ  ＰＤ  ＣＣＡ閾値を適用する場合、無線通信端末はＯＢＳＳ  ＰＤ  ＣＣＡ閾値に基づいて伝送パワーを調節し、ＰＰＤＵを伝送する。また、無線通信端末がＯＢＳＳ  ＰＰＤＵの受信を検出できない場合、無線通信端末はＰＤ  ＣＣＡ閾値に当たる伝送パワーでＰＰＤＵを伝送する。詳しくは、無線通信端末がＯＢＳＳ  ＰＰＤＵの受信を検出できない場合、無線通信端末はＰＤ  ＣＣＡ閾値に当たる伝送パワーの調節なしにＰＰＤＵを伝送する。ＰＤ  ＣＣＡ閾値はＯＢＳＳ  ＰＣ  ＣＣＡ閾値のように相対的に高いＣＣＡ閾値ではないためである。
【０１８７】
図２１（ａ）において、（ａ）−１は無線通信端末がＰＰＤＵを受信できなかった場合を示す。この際、無線通信端末は第１ＰＤ  ＣＣＡ閾値ＰＤ１を適用してＣＣＡ動作を行う。また、無線通信端末はＳＲ動作のために調節されていない伝送パワーでＰＰＤＵを伝送する。図２１（ａ）−２は、無線通信端末が主チャネルからＰＰＤＵを受信し、ＯＢＳＳから伝送されたＰＰＤＵであることを検出する場合を示す。無線通信端末がＯＢＳＳから伝送されたＰＰＤＵを主チャネルから検出した後、ＯＢＳＳ第１ＰＤ  ＣＣＡ閾値ＰＤ１を適用してＣＣＡを行う。無線通信端末は主チャネルが遊休の状態と判断し、バックオフに基づいて競争手順を行う。競争手順によってＰＰＤＵの伝送が決定された時点に、無線通信端末はＯＢＳＳ第１ＰＤ  ＣＣＡ閾値ＰＤ１に基づいて決定された伝送パワーでＰＰＤＵを伝送する。
【０１８８】
図２１（ｂ）は、ノン・レガシーアクセスポイントＨＥ  Ａ、ＨＥ  Ｂ、ＨＥ  Ｃ、ノン・レガシーステーションＡ−１、Ａ−２、Ｂ−１，Ｃ−１、及びレガシーステーションＬｅｇが共存する場合のネットワークトポロジーを示す。また、図２１（ｃ）は、ＳＲ動作に関する情報を含むＰＰＤＵフォーマットを示す図である。図２１（ｂ）乃至図２１（ｃ）を介し、無線通信端末が伝送パワーを調節する動作を詳しく説明する。
【０１８９】
アクセスポイントではない無線通信端末は、無線通信端末が含まれたＢＳＳのアクセスポイントが安定的にＰＰＤＵを受信し得る伝送パワーを適用すべきである。そのために、アクセスポイントではない無線通信端末は、以下の実施例によって伝送パワーを調節する。詳しくは、アクセスポイントではない無線通信端末はアクセスポイントからＰＰＤＵが伝送されるチャネルのチャネル減衰を推定する。アクセスポイントではない無線通信端末は、推定したチャネル減衰に基づいて伝送するＰＰＤＵの伝送パワーを決定する。この際、無線通信端末はアクセスポイントが明示的な伝送パワーで、周期的に伝送するＰＰＤＵの受信信号強度を測定してチャネル減衰を推定する。詳しくは、明示的な伝送パワーは該当ＰＰＤＵが伝送されるＢＳＳで知られている共通の伝送パワーである。明示的な伝送パワーは、アクセスポイントがＰＰＤＵを伝送する際に別途にシグナリングしなくてもＰＰＤＵを受信する無線通信端末が知ることができる伝送パワーを示す。
【０１９０】
他の具他的な実施例において、アクセスポイントが伝送したＰＰＤＵはアクセスポイントが該当ＰＰＤＵを伝送した伝送パワーに関する情報を含む。この際、アクセスポイントではない無線通信端末は、アクセスポイントが伝送したＰＰＤＵからアクセスポイントが該当ＰＰＤＵを伝送した伝送パワーに関する情報を獲得する。アクセスポイントではない無線通信端末は、伝送パワーに関する情報と受信信号強度に基づいてチャネル減衰を推定する。よって、アクセスポイントではない無線通信端末は、アクセスポイントが伝送したＰＰＤＵの受信信号強度に基づいて伝送するＰＰＤＵの伝送パワーを調節する。また、アクセスポイントではない無線通信端末は、アクセスポイントが伝送したＰＰＤＵの受信信号強度及び伝送パワーに基づいて伝送するＰＰＤＵの伝送パワーを調節する。
【０１９１】
アクセスポイントが伝送したＰＰＤＵは、伝送パワーの調整が適用されたＰＰＤＵであるのかを示すＳＲ適用情報を含む。この際、ＳＲ適用情報がパワーの調整が適用されたＰＰＤＵでないことを示す場合、ＳＲ適用情報は該当ＰＰＤＵが明示的な伝送パワーで伝送されたことを示す。また、アクセスポイントではない無線通信端末は、ＳＲ適用情報に基づいて伝送するＰＰＤＵの伝送パワーを調節する。ＳＲ適用情報に関する無線通信端末の具体的な動作については、図２１（ｃ）を介して説明する。
【０１９２】
アクセスポイントは、アクセスポイントが含まれたＢＳＳでアクセスポイントから最も遠くにある無線通信端末、または受信信号強度が最も低いＰＰＤＵを伝送する無線通信端末が、アクセスポイントが伝送するＰＰＤＵを安定的に受信し得るように伝送パワーを調節すべきである。そのために、アクセスポイントは以下の実施例によって伝送パワーを調節する。詳しくは、アクセスポイントはアクセスポイントではない無線通信端末からＰＰＤＵが伝送されるチャネルのチャネル減衰を推定する。アクセスポイントは、推定したチャネル減衰に基づいて伝送するＰＰＤＵの伝送パワーを調節する。この際、アクセスポイントはアクセスポイントではない無線通信端末が明示的な伝送パワーで、周期的に伝送するＰＰＤＵの受信信号強度を測定してチャネル減衰を推定する。詳しくは、明示的な伝送パワーは該当ＰＰＤＵが伝送されるＢＳＳで知られている共通の伝送パワーである。明示的な伝送パワーは、アクセスポイントではない無線通信端末がＰＰＤＵを伝送する際に別途にシグナリングしなくてもＰＰＤＵを受信するアクセスポイントが知ることができる伝送パワーを示す。
【０１９３】
他の具他的な実施例において、アクセスポイントではない無線通信端末が伝送したＰＰＤＵはアクセスポイントではない無線通信端末が該当ＰＰＤＵを伝送した伝送パワーに関する情報を含む。この際、アクセスポイントは、アクセスポイントではない無線通信端末が伝送したＰＰＤＵからアクセスポイントではない無線通信端末が該当ＰＰＤＵを伝送した伝送パワーに関する情報を獲得する。アクセスポイントは、アクセスポイントではない無線通信端末が該当ＰＰＤＵを伝送した伝送パワーに関する情報と受信信号強度に基づいて、アクセスポイントではない無線通信端末からＰＰＤＵが伝送されるチャネルのチャネル減衰を推定する。よって、アクセスポイントは、伝送パワーに関する情報と受信信号強度に基づいて伝送するＰＰＤＵの伝送パワーを調節する。
【０１９４】
アクセスポイントが伝送したＰＰＤＵは、伝送パワーの調節が適用されたＰＰＤＵであるのかを示すＳＲ適用情報を含む。この際、ＳＲ適用情報がパワーの調節が適用されたＰＰＤＵでないことを示す場合、ＳＲ適用情報は該当ＰＰＤＵが明示的な伝送パワーで伝送されたことを示す。また、アクセスポイントではない無線通信端末は、ＳＲ適用情報に基づいて伝送するＰＰＤＵの伝送パワーを調節する。ＳＲ適用情報に関する無線通信端末の具体的な動作については、図２１（ｃ）を介して説明する。
【０１９５】
無線通信端末は、アクセスポイントから受信したブロードキャストフレームを含むＰＰＤＵの受信信号強度を測定し、ブロードキャストフレームを含むＰＰＤＵの受信信号強度をアクセスポイントに伝送する。この際、ブロードキャストフレームはビーコンフレームである。アクセスポイントは、アクセスポイントではない無線通信端末が伝送したＰＰＤＵの受信信号強度に基づいて伝送するＰＰＤＵの伝送パワーを調節する。詳しくは、アクセスポイントは、アクセスポイントではない無線通信端末が伝送したブロードキャストフレームを含むＰＰＤＵの受信信号強度に基づいて伝送するＰＰＤＵの伝送パワーを調節する。
【０１９６】
上述したように、ＰＰＤＵのシグナリングフィールドは、ＳＲ動作が適用されたのかを示すＳＲ適用情報を含む。詳しくは、ＰＰＤＵのシグナリングフィールドは、伝送パワーの調節に基づいて該当ＰＰＤＵが伝送されたのかを示す伝送パワー調節表示フィールド（ＴＣＩ：ＴＸＰＷＲ  Ｃｏｎｔｒｏｌ  Ｉｎｄｉｃａｔｏｒ）を含む。具体的な実施例において、伝送パワー調節表示フィールドが該当ＰＰＤＵが伝送パワーの調節に基づいて伝送されたのか、または該当ＰＰＤＵが伝送パワーの調節に基づかずに伝送されたのかを示す１ビットフィールドである。
【０１９７】
無線通信端末は、ＯＢＳＳから伝送されたＰＰＤＵが含むＳＲ適用情報に基づいてＳＲ動作を行う。詳しくは、ＯＢＳＳから伝送されたＰＰＤＵが含むＳＲ適用情報がＳＲ動作が適用されたことを示す場合、無線通信端末はＳＲ適用情報に基づいてＯＢＳＳ  ＰＤ  ＣＣＡ閾値を調節する。例えば、ＯＢＳＳから伝送されたＰＰＤＵが含むＳＲ適用情報がＳＲ動作が適用されていることを示す場合、無線通信端末はＯＢＳＳから伝送されたＰＰＤＵを伝送した伝送パワーに基づいてＯＢＳＳ  ＰＤ  ＣＣＡ閾値を調節する。他の具体的な実施例において、ＯＢＳＳから伝送されたＰＰＤＵが含むＳＲ適用情報がＳＲ動作が適用されていることを示す場合、無線通信端末はＣＣＡ結果に関係なく、ＯＢＳＳ  ＰＰＤＵを受信する間にＰＰＤＵを伝送しなくてもよい。ＯＢＳＳから伝送されたＰＰＤＵにＳＲ動作が適用されている場合、一定程度の信号干渉を無視して伝送されているのである。よって、無線通信端末が追加のＳＲ動作を行う場合、信号干渉の増加でＯＢＳＳから含まれた無線通信端末がＯＢＳＳ  ＰＰＤＵを受信できない確率が大きくなるためである。
【０１９８】
図２１（ｂ）の実施例を見ると、ノン・レガシーステーションＡ−２が他のＢＳＳに含まれたノン・レガシーステーションＢ−１が伝送するＰＰＤＵを伝送する間にＳＲ動作を行う。この際、ノン・レガシーステーションＡ−２と他のＢＳＳに含まれるノン・レガシーステーションＣ−１が、ノン・レガシーステーションＡ−２が伝送するＰＰＤＵを受信し、ＰＰＤＵが含むＳＲ適用情報を獲得する。ＳＲ適用情報がＳＲ動作が適用されていることを示す場合、ノン・レガシーステーションＣ−１はＯＢＳＳから伝送されたＰＰＤＵを伝送した伝送パワーに基づいてＯＢＳＳ  ＰＤ  ＣＣＡ閾値を調節する。また、ノン・レガシーステーションＣ−１はＣＣＡ結果とは関係なく、ノン・レガシーステーションＡ−２が伝送するＰＰＤＵを受信する間にＰＰＤＵを伝送しなくてもよい。
【０１９９】
ある一つの無線通信端末がＳＲ動作を介してＰＰＤＵを伝送し、ＰＰＤＵを受信した無線通信端末が該当ＰＰＤＵに対する応答としてＰＰＤＵを伝送する際、ＳＲ動作の適用可否を考慮しなければ、該当ＰＰＤＵ伝送はＯＢＳＳから伝送されるＰＰＤＵ伝送に干渉を起こす恐れがある。図２１（ｂ）の実施例において、ノン・レガシーステーションＢ−１が伝送する間、ノン・レガシーアクセスポイントＨＥ  Ａ  ＡＰがＳＲ動作を行う。この際、ノン・レガシーアクセスポイントＨＥ  Ａ  ＡＰは伝送パワーを調節し、トリガフレームを含むＰＰＤＵを伝送する。ノン・レガシーアクセスポイントＨＥ  Ａ  ＡＰと同じＢＳＳに含まれるノン・レガシーステーションＡ−１、Ａ−２は、トリガフレームに基づいてＵＬ  ＭＵ  ＰＰＤＵを伝送する。この際、ノン・レガシーステーションＡ−１、Ａ−２が適当な大きさに伝送パワーを調節しない場合、ノン・レガシーステーションＡ−１、Ａ−２のＰＰＤＵ伝送がノン・レガシーステーションＢ−１のＰＰＤＵ伝送と干渉を起こす恐れがある。よって、ノン・レガシーステーションＢ−１のＰＰＤＵ伝送を受信すべき無線通信端末が、ノン・レガシーステーションＢ−１が伝送するＰＰＤＵを受信できない可能性がある。よって、あるフレームに対する応答フレームを伝送する無線通信端末は、以下のような実施例によって動作する。
【０２００】
無線通信端末がトリガフレームに基づいてＵＬ  ＭＵ  ＰＰＤＵを伝送する際、無線通信端末はアクセスポイントがＵＬ  ＭＵ  ＰＰＤＵを受信し得るように伝送パワーを調節し、ＵＬ  ＭＵ  ＰＰＤＵを伝送する。詳しくは、上述したアクセスポイントではない無線通信端末が伝送パワーを調節する実施例によってＵＬ  ＭＵ  ＰＰＤＵの伝送パワーを調節する。また、アクセスポイントではない無線通信端末は、無線通信端末が割り当てられた周波数帯域の周波数帯域幅に基づいて、ＵＬ  ＭＵ  ＰＰＤＵの伝送パワーを調節する。詳しくは、第１周波数帯域幅が第２周波数帯域幅より大きければ、無線通信端末は第１周波数帯域幅を介し、ＵＬ  ＭＵ  ＰＰＤＵを伝送する際より第２周波数帯域幅を介してＵＬ  ＭＵ  ＰＰＤＵを伝送する際により小さい伝送パワーを使用する。無線通信端末がＰＰＤＵを伝送する周波数帯域幅が小さくなれば、無線通信端末は同じ伝送パワーでより遠い距離まで伝送し得るためである。例えば、無線通信端末が周波数帯域幅が２０ＭＨｚの周波数帯域を介してアクセスポイントにＰＰＤＵを伝送し得る伝送パワーがＸであれば、無線通信端末が周波数帯域幅が１０ＭＨｚの周波数帯域を介して伝送パワーＸでアクセスポイントにＰＰＤＵを伝送する場合、アクセスポイントが受信するＰＰＤＵの受信信号の強度は不必要なほど高い。よって、無線通信端末が１０ＭＨｚの周波数帯域を介してアクセスポイントにＰＰＤＵを伝送する場合、周波数帯域幅が２０ＭＨｚの周波数帯域を介してＰＰＤＵを伝送する際に使用する伝送パワーより更に小さい伝送パワーでアクセスポイントにＰＰＤＵを伝送することができる。
【０２０１】
トリガフレームを含むＰＰＤＵは、上述したＳＲ適用情報を含む。また、無線通信端末はＯＢＳＳから伝送されたトリガフレームを含むＰＰＤＵに対する伝送が完了されてからＰＰＤＵを伝送する際、ＯＢＳＳから伝送されたトリガフレームを含むＰＰＤＵに基づいて伝送パワーを調節する。詳しくは、無線通信端末はＯＢＳＳから伝送されたトリガフレームに基づいてＵＬ  ＭＵ  ＰＰＤＵが伝送される間にＰＰＤＵを伝送する場合、無線通信端末はＯＢＳＳから伝送されたトリガフレームを含むＰＰＤＵに基づいてＰＰＤＵの伝送パワーを調節する。また、無線通信端末がＯＢＳＳから伝送されたトリガフレームが示すＴＸＯＰ内でＰＰＤＵを伝送する場合、無線通信端末はＯＢＳＳから伝送されたトリガフレームを含むＰＰＤＵに基づいてＰＰＤＵの伝送パワーを調節する。また、この際、無線通信端末はＯＢＳＳ  ＰＤ  ＣＣＡ閾値を適用してＣＣＡ動作を行う場合でなくても、ＯＢＳＳから伝送されたトリガフレームに基づいて伝送パワーを調節し、ＰＰＤＵを伝送する。他の具体的な実施例において、無線通信端末はＯＢＳＳ  ＰＤ  ＣＣＡ閾値を適用してＣＣＡ動作を行い、トリガフレームに基づいて伝送パワーを調節してＰＰＤＵを伝送する。また、無線通信端末がトリガフレームを含むＰＰＤＵに基づいて伝送パワーを調節することは、トリガフレームを含むＰＰＤＵの受信信号強度に基づいて伝送パワーを調節することである。
【０２０２】
図２２は、本発明の実施例による無線通信端末がＯＢＳＳから伝送されるＰＰＤＵの伝送確率を考慮してＳＲ動作を行うことを示す図である。
【０２０３】
無線通信端末は、ＯＢＳＳからデータ伝送シーケンスを開始（ｉｎｉｔｉａｔｅ)する無線通信端末ＯＢＳＳ  ＴＸ、ＯＴとデータ伝送シーケンスに参与する無線通信端末ＯＢＳＳ  ＲＸ、ＯＲのＰＰＤＵ交換に基づいてＳＲ動作を行う。この際、無線通信端末は、無線通信端末が含まれたＢＳＳからデータ伝送シーケンスを開始する無線通信端末ＭＹＢＳＳ  ＴＸ、ＭＴとデータ伝送シーケンスに参与する無線通信端末ＭＹＢＳＳ  ＲＸ、ＭＲとに区分される。ＭＲ、ＭＴ、ＯＴ、及びＯＲの具体的な関係は、図２２（ａ)に示すネットワークトポロジーと同じである。
【０２０４】
ＭＴはＯＴが伝送したＰＰＤＵの受信信号強度とＯＲが伝送したＰＰＤＵの受信信号強度が全てＯＢＳＳ  ＰＤ  ＣＣＡ閾値以下であれば、ＳＲ動作に基づいてＰＰＤＵを伝送する。詳しくは、ＭＴはＯＴが伝送したＰＰＤＵの受信信号強度とＯＲが伝送したＰＰＤＵの受信信号強度が全てＯＢＳＳ  ＰＤ  ＣＣＡ閾値以下であれば、ＯＢＳＳ  ＰＤ  ＣＣＡ閾値に基づいてＣＣＡを行い、ＰＰＤＵを伝送する。この際、ＭＴはＭＴとＭＲ間のデータ伝送ＭＹ＿ＤＡＴＡをＯＢＳＳからのデータ伝送時点、及びデータ伝送に対するＡＣＫフレーム伝送終了時点より長く維持する。これは、ＭＴがＭＲとＯＴの間、ＭＲとＯＲの間の距離を確認することができず、ＭＲから伝送されたＰＰＤＵがＯＢＳＳ  ＰＰＤＵの受信に及ぼす影響が分からないためである。詳しくは、ＭＴは図２２（ｂ）、図２２（ｃ）、及び図２２（ｄ）の実施例の点線が示すようにデータを伝送する。
【０２０５】
他の具体的な実施例において、ＭＴはＯＲが伝送したＰＰＤＵの受信信号強度がＯＢＳＳ  ＰＤ  ＣＣＡ閾値以下であれば、ＳＲ動作に基づいてＰＰＤＵを伝送する。詳しくは、ＯＲが伝送したＰＰＤＵの受信信号強度がＯＢＳＳ  ＰＤ  ＣＣＡ閾値以下であれば、ＭＴはＯＢＳＳ  ＰＤ  ＣＣＡ閾値に基づいてＣＣＡを行い、ＰＰＤＵを伝送する。この際、ＭＴはＭＴとＭＲ間のデータ伝送ＭＹ＿ＤＡＴＡをＯＢＳＳからのデータ伝送時点、及びデータ伝送に対するＡＣＫフレーム伝送終了時点より短く維持する。また、ＭＲはＯＢＳＳにおけるデータ伝送が終了した後、ＭＴにＡＣＫフレームを伝送する。詳しくは、ＭＴは図２２（ｂ）、図２２（ｃ）、及び図２２（ｄ）の実施例の実線が示すように、データを伝送する。これは、ＭＴがＭＴとＯＴの間の距離、ＭＲとＯＴの間の距離、ＭＲとＯＲの間の距離を確認することができず、ＭＴまたはＭＲから伝送されたＰＰＤＵがＯＢＳＳ  ＰＰＤＵの受信に及ぼす影響が分からないためである。
【０２０６】
ＯＴがＲＴＳフレームを含むＰＰＤＵを伝送し、ＯＲがＲＴＳフレームに基づいてＣＴＳフレームを含むＰＰＤＵを伝送する場合、上述した実施例を全て適用することができる。
【０２０７】
ＯＴがトリガフレームを含むＰＰＤＵを伝送し、複数のＯＲがトリガフレームに基づいてＵＬ  ＭＵ  ＰＰＤＵを伝送する場合、ＭＴがＯＴが伝送するトリガフレームを含むＰＰＤＵを受信せず、ＯＲがトリガフレームに基づいて伝送するＵＬ  ＭＵ  ＰＰＤＵを受信する。この際、ＭＴは、ＭＴが測定したＵＬ  ＭＵ  ＰＰＤＵの受信信号強度とは関係なく、ＳＲ動作に基づいてＰＰＤＵを伝送する。詳しくは、ＭＴがＵＬ  ＭＵ  ＰＰＤＵの受信信号強度とは関係なく、ＳＲ動作に基づいてＰＰＤＵを伝送するのは、ＯＴが伝送するトリガフレームを含むＰＰＤＵを受信できないほどＯＴとＭＴが遠く離れているためである。この際、ＭＴはＭＴとＭＲ間のデータ伝送ＭＹ＿ＤＡＴＡをＯＢＳＳからのデータ伝送、及びデータ伝送に対するＡＣＫフレーム伝送終了より短く維持する。また、ＭＲはＯＢＳＳにおけるデータ伝送が終了した後、ＭＴにＡＣＫフレームを伝送する。ＭＴがＭＴとＯＲの間の距離を判断することができないため、ＭＴのＰＰＤＵ伝送が、ＯＴのＡＣＫフレームを含むＰＰＤＵがＯＲに受信される際に及ぼす影響を判断することが難しいためである。
【０２０８】
ＯＴがＭＵ−ＲＴＳフレームを含むＰＰＤＵを伝送し、ＭＵ−ＲＴＳフレームに基づいて複数のＯＲ  ＳＣＴＳ（Ｓｉｍｕｌｔａｎｅｏｕｓ  ＣＴＳ）を含むＰＰＤＵを伝送する場合、無線通信端末が測定するＳＣＴＳフレームを含むＰＰＤＵの受信信号強度は、複数のＯＲが伝送したＰＰＤＵの受信信号強度が合計された値である。よって、ＭＴはＳＣＴＳフレームを含むＰＰＤＵの受信信号強度をスケーリングし、スケーリングした受信信号強度に基づいてＳＲ動作を行う。詳しくは、ＭＴはＳＣＴＳフレームを含むＰＰＤＵの受信信号強度をスケーリングし、スケーリングした受信信号強度に基づいてＯＢＳＳ  ＰＤ  ＣＣＡ閾値を調整する。この際、ＭＴはＭＵ−ＲＴＳフレームが示す受信無線通信端末の個数に基づいて受信信号強度をスケーリングする。他の具体的な実施例において、予め指定された値に基づいて受信信号強度をスケーリングする。
【０２０９】
無線通信端末はＯＢＳＳから伝送されたＰＰＤＵを受信し、該当ＰＰＤＵにＯＢＳＳ  ＰＤ  ＣＣＡ閾値を適用してＳＲ動作を行うか、ＯＢＳＳから伝送されたいずれか一つのＰＰＤＵを受信し、ＯＢＳＳから伝送される次のＰＰＤＵを受信する際にＯＢＳＳ  ＰＤ  ＣＣＡ閾値を適用してＳＲ動作を行う。詳しくは、無線通信端末がコントロールフレームを含むＰＰＤＵを受信する際、無線通信端末は次の実施例のようにＳＲ動作を行う。無線通信端末がＯＢＳＳから伝送された、コントロールフレームのみを含むＰＰＤＵを受信した場合、無線通信端末は該当ＰＰＤＵに対してＳＲ動作を行わずに、該当ＰＰＤＵの受信信号強度のみを貯蔵する。この際、無線通信端末がＯＢＳＳから伝送された、コントロールフレームのみを含むＰＰＤＵを受信した後、ＯＢＳＳから伝送されたデータフレームを含むＰＰＤＵを受信する場合、無線通信端末は以前貯蔵した受信信号強度に基づいてＳＲ動作を行う。無線通信端末がＯＢＳＳから伝送された、コントロールＭＰＤＵとデータＭＰＤＵ、またはマネージメントＭＰＤＵを共に含むＰＰＤＵを受信する場合、無線通信端末はＰＰＤＵのデュレーションが一定長さ以上であれば、該当ＰＰＤＵを受信する際にＳＲ動作を行う。この際、無線通信端末はＬ−ＳＩＧフィールドのＬ＿ＬＥＮＧＴＨフィールドに基づき、ＰＰＤＵのデュレーションを判断する。
【０２１０】
また、無線通信端末がデータフレームを含むＰＰＤＵを受信する場合、無線通信端末は次の実施例のようにＳＲ動作を行う。詳しくは、無線通信端末が一つ以上のデータＭＰＤＵを含むＰＰＤＵを受信し、該当ＰＰＤＵのデュレーションの長さが一定長さ以下であれば、無線通信端末は該当ＰＰＤＵに対してＳＲ動作を行わずに、該当ＰＰＤＵの受信信号強度のみを貯蔵する。また、無線通信端末がデータフレームを含むＰＰＤＵを受信した後、コントロールフレームを含むＰＰＤＵを受信した場合、無線通信端末は該当ＰＰＤＵに対するＳＲ動作を行わずに、該当ＰＰＤＵの受信信号強度のみを貯蔵する。この際、コントロールフレームはＡＣＫフレームである。ＯＢＳＳに含まれた無線通信端末がデータフレームを伝送し、ＡＣＫフレームのようなコントロールフレームを受信することが、該当伝送シーケンスの初期に周辺ＢＳＳに受信信号強度を知らせるための動作であり得るためである。
【０２１１】
また、ＰＰＤＵはＳＲ動作が許容されないことを示す情報を含む。データフレーム伝送の前に伝送されるコントロールフレームを含むＰＰＤＵは、ＳＲ動作が許容されないことを示す情報を含む。また、無線通信端末は、ＯＢＳＳから伝送されたＰＰＤＵが含むＳＲ動作が許容されないことを示す情報に基づいてＳＲ動作を行う。詳しくは、ＳＲ動作が許容されないことを示す情報を含むＰＰＤＵを受信した無線通信端末は、該当ＰＰＤＵに対してＳＲ動作を行わずに、受信信号強度のみを貯蔵する。また、上述したＳＲ適用情報がＳＲ動作が許容されないことを示す。
【０２１２】
図２３は、本発明の実施例による無線通信端末の動作を示す図である。
【０２１３】
無線通信端末は、ＰＰＤＵのシグナリングフィールドを受信するＳ２３０１。詳しくは、無線通信端末はＰＰＤＵの伝送を検出した後、ＰＰＤＵの受信を開始し、ＰＰＤＵのシグナリングフィールドを受信する。無線通信端末は、図９、図１０、図１２、及び図１３を介して説明した実施例によってＰＰＤＵのシグナリングフィールドを受信する。
【０２１４】
無線通信端末は、ＰＰＤＵのシグナリングフィールドが示すＢＳＳを識別する情報を判断するＳ２３０３。この際、ＰＰＤＵのシグナリングフィールドは上述したＨＥ−ＳＩＧ−Ａフィールドである。また、ＢＳＳを識別する情報は上述したＢＳＳカラーである。
【０２１５】
無線通信端末は、ＢＳＳを識別する情報に基づいてＳＲ動作を行うＳ２３０５。詳しくは、無線通信端末はＢＳＳを識別する情報に基づいてチャネルにアクセスする。具体的な実施例において、無線通信端末は、ＢＳＳカラーに基づいて該当ＰＰＤＵが無線通信端末が含まれたＢＳＳから伝送されたＰＰＤＵであるのかを判断する。また、無線通信端末は、該当ＰＰＤＵが含むＭＡＣヘッダのＡｄｄｒｅｓｓフィールドに基づいて該当ＰＰＤＵが無線通信端末が含まれたＢＳＳから伝送されたＰＰＤＵであるのかを判断する。詳しくは、無線通信端末は、ＭＡＣヘッダのＡｄｄｒｅｓｓフィールドの伝送ステーションアドレスフィールド、受信ステーションアドレスフィールド、及びＢＳＳＩＤフィールドのうちいずれか一つに基づいて、該当ＰＰＤＵが無線通信端末が含まれたＢＳＳから伝送されたＰＰＤＵであるのかを判断する。無線通信端末が含まれたＢＳＳが多重ＢＳＳＩＤセットに含まれたＢＳＳＩＤを有する場合、無線通信端末は受信したフレームがＩｎｔｒａ−ＢＳＳフレームであるのか、またはＩｎｔｅｒ−ＢＳＳフレームであるのかを判断する場合、多重ＢＳＳＩＤセットに含まれたＢＳＳＩＤを無線通信端末が含まれたＢＳＳのＢＳＳＩＤとみなす。また、無線通信端末は、受信したフレームがＩｎｔｒａ−ＢＳＳフレームであるのか、またはＩｎｔｅｒ−ＢＳＳフレームであるのかを判断する際、ＭＡＣヘッダのＡｄｄｒｅｓｓフィールドのＩｎｄｉｖｉｄｕａｌ／Ｇｒｏｕｐビットを０に設定し、Ａｄｄｒｅｓｓフィールドの値と無線通信端末が含まれたＢＳＳのＢＳＳＩＤと比較する。
【０２１６】
ＰＰＤＵのシグナリングフィールドが示すＢＳＳを識別する情報に基づき、ＰＰＤＵが含まれたＢＳＳが無線通信端末が含まれたＢＳＳと同じであるのかを判断する第１判断と、ＰＰＤＵが含むＭＡＣヘッダのＡｄｄｒｅｓｓフィールドに基づいてＰＰＤＵが含まれたＢＳＳが前記無線通信端末が含まれたＢＳＳと同じであるのかを判断する第２判断が異なる場合、第２判断に基づいてＰＰＤＵが含まれたＢＳＳが無線通信端末が含まれたＢＳＳと同じであるのかについて判断する。無線通信端末は、図７乃至図８、及び図１５乃至図１６を介して説明した実施例によって、該当ＰＰＤＵが無線通信端末が含まれたＢＳＳから伝送されたＰＰＤＵであるのかを判断する。
【０２１７】
無線通信端末は、無線通信端末が受信したＰＰＤＵが無線通信端末が含まれたＢＳＳから伝送されたＰＰＤＵであるのか、またはＯＢＳＳから伝送されたＰＰＤＵであるのかに応じてＳＲ動作を行う。詳しくは、ＳＲ動作は、受信したＰＰＤＵが無線通信端末が含まれたＢＳＳから伝送されたＰＰＤＵであるのか、または他のＢＳＳから伝送されたＰＰＤＵであるのかに応じてチャネルにアクセスする動作を含む。具体的な実施例において、チャネルに接近する動作はＣＣＡ動作とデフェラル動作を含む。例えば、無線通信端末は、無線通信端末が受信したＰＰＤＵが無線通信端末が含まれたＢＳＳから伝送されたＰＰＤＵであるのか、またはＯＢＳＳから伝送されたＰＰＵＤであるのかに応じて、ＣＣＡ閾値を調整する。この際、無線通信端末はＰＤ、ＥＤ、及びＲＤのうち少なくとも一つに基づいてＣＣＡ動作を行う。また、ＣＣＡ閾値はＰＤ  ＣＣＡ閾値、ＥＣ  ＣＣＡ閾値、及びＲＤ  ＣＣＡ閾値のうち少なくともいずれか一つであってもよい。
【０２１８】
また、無線通信端末が主チャネルと副チャネルとに区分される周波数帯域を使用する場合、無線通信端末は主チャネルと副チャネルでＣＣＡ動作を行う。詳しくは、無線通信端末は、主チャネルで使用するＣＣＡの閾値とは異なる他のＣＣＡ閾値を前記副チャネルで使用してもよい。この際、ＣＣＡ閾値はＰＤ  ＣＣＡ閾値であってもよい。また、無線通信端末は、主チャネルからＰＰＤＵが伝送されない場合、副チャネルから伝送されるＰＰＤＵは前記無線通信端末が含まれたＢＳＳとは異なる他のＢＢＳから伝送されたと判断する。詳しくは、無線通信端末が主チャネルと副チャネルとに区分される周波数帯域を使用する場合、無線通信端末は図１８乃至図２０を介して説明した実施例によって動作する。
【０２１９】
また、ＳＲ動作の際、無線通信端末はＰＰＤＵの伝送パワーを調節する。無線通信端末は、無線通信端末がアクセスポイントであるのか、またはアクセスポイントではない無線通信端末であるのかに基づいて伝送パワーを調節する。また、無線通信端末は、ＯＢＳＳから伝送されたＰＰＤＵが含むフレームの種類に基づいて伝送するＰＰＤＵの伝送パワーを調節する。詳しくは、無線通信端末は、ＰＰＤＵが含むフレームがコントロールフレームであるのか、またはデータフレームであるのかに応じて伝送するＰＰＤＵの伝送パワーを調節する。また、無線通信端末は、ＰＰＤＵが含むフレームがトリガフレームであるのか、またはＳＣＴＳフレームであるのかに応じて伝送するＰＰＤＵの伝送パワーを調節する。具体的な実施例において、無線通信端末が受信したＰＰＤＵがＯＢＳＳから伝送されたトリガフレームを含む場合、無線通信端末はＰＰＤＵの受信信号強度を測定する。この際、無線通信端末はトリガフレームの伝送が完了された後、受信信号強度に基づいて伝送パワーを調節し、ＰＰＤＵを伝送する。詳しくは、無線通信端末はトリガフレームに基づいて伝送されるアップリンクＰＰＤＵが伝送される間、受信信号強度に基づいて伝送パワーを調節し、ＰＰＤＵを伝送する。具体的な実施例において、無線通信端末はトリガフレームが示すＴＸＯＰの間、受信信号強度に基づいて伝送パワーを調節し、ＰＰＤＵを伝送する。
【０２２０】
また、ＰＰＤＵのシグナリングフィールドは空間再利用動作の許容可否を示す情報を含み、ＳＲ動作の許容可否を示す情報に基づいてＰＰＤＵの伝送パワーを調節する。詳しくは、無線通信端末はＳＲ動作許容可否を示す情報がＳＲ動作許容を示す場合、ＰＰＤＵの伝送パワーを調節する。詳しくは、ＳＲ動作許容可否を示す情報がＳＲ動作が許容されないことを示す場合、無線通信端末は該当ＰＰＤＵに関するＳＲ動作を行わなくてもよい。この際、無線通信端末は該当ＰＰＤＵの受信信号強度のみを保存する。また、ＰＰＤＵのシグナリングフィールドは、ＰＰＤＵの伝送パワーに関する情報を含む。伝送パワーに関する情報は、上述したＴＣＩフィールドであってもよい。また、伝送パワーに関する情報は、ＰＰＤＵの伝送に適用された伝送パワーを示す情報であってもよい。詳しくは、無線通信端末は、図２１乃至図２２を介して説明した実施例によって伝送パワーを調節する。
【０２２１】
また、無線通信端末は、無線通信端末が受信したＰＰＤＵが無線通信端末が含まれたＢＳＳから伝送されたＰＰＤＵであるのか、またはＯＢＳＳから伝送されたＰＰＤＵであるのかに応じてパワーセーブ動作を行う。詳しくは、無線通信端末は、図９乃至図１４を介して説明した実施例によってパワーセーブ動作を行う。
【０２２２】
これまで実施例に説明された特徴、構造、効果などは、本発明の少なくとも一つの実施例に含まれるが、必ずしも一つの実施例にのみ限定されない。なお、各実施例に例示されている特徴、構造、効果などは、実施例の属する分野の通常の知識を有する者によって他の実施例についても組み合わせられるかまたは変形されて実施されてもよい。よって、このような組み合わせと変形に関する内容は、本発明の範囲に含まれると解釈すべきである。
【０２２３】
これまで実施例を中心に説明したが、これは単なる例示であって本発明を限定するものではなく、本発明の属する分野の通常の知識を有する者であれば、本実施例の本質的な特性を逸脱しない範囲内で前記に例示されていない様々な変形と応用が可能であることを理解できるはずである。例えば、実施例に具体的に示した各構成要素は変形して実施されてもよいものである。そして、このような変形と応用に関する差は、添付した特許請求の範囲で規定する本発明の範囲に含まれると解釈すべきである。
【図１】
2019186970.tif 000003
【図２】
2019186970.tif 000004
【図３】
2019186970.tif 000005
【図４】
2019186970.tif 000006
【図５】
2019186970.tif 000007
【図６】
2019186970.tif 000008
【図７】
2019186970.tif 000009
【図８】
2019186970.tif 000010
【図９】
2019186970.tif 000011
【図１０】
2019186970.tif 000012
【図１１】
2019186970.tif 000013
【図１２】
2019186970.tif 000014
【図１３】
2019186970.tif 000015
【図１４】
2019186970.tif 000016
【図１５】
2019186970.tif 000017
【図１６】
2019186970.tif 000018
【図１７】
2019186970.tif 000019
【図１８】
2019186970.tif 000020
【図１９】
2019186970.tif 000021
【図２０】
2019186970.tif 000022
【図２１】
2019186970.tif 000023
【図２２】
2019186970.tif 000024
【図２３】
2019186970.tif 000025
【手続補正書】
【提出日】令和1年8月1日(2019.8.1)
【手続補正１】
【補正対象書類名】特許請求の範囲
【補正対象項目名】全文
【補正方法】変更
【補正の内容】
【特許請求の範囲】
【請求項１】
無線で通信する無線通信端末において、
送受信部と、
プロセッサと、を含み、
前記プロセッサは、
前記無線通信端末を含む基本サービスセット（ＢＳＳ）の主チャネルが遊休（ｉｄｌｅ）であると検知された場合に、前記無線通信端末を含む前記ＢＳＳと重複するＢＳＳからのＰＬＣＰプロトコルデータユニット（ＰＰＤＵ）のプリアンブル検出のための閾値である第１の閾値に基づいて前記無線通信端末を含む前記ＢＳＳの副チャネルが遊休（ｉｄｌｅ）であるか否かを判定し、
前記判定に基づいて、前記無線通信端末を含む前記ＢＳＳの前記副チャネルにアクセスする、
ように構成される、無線通信端末。
【請求項２】
前記第１の閾値は、前記無線通信端末を含む前記ＢＳＳからのＰＰＤＵのプリアンブル検出のための閾値である第２の閾値に等しい最小値を有する範囲において決定される、
請求項１に記載の無線通信端末。
【請求項３】
前記プロセッサは、−７２ｄＢｍ以上の値を用いて前記無線通信端末を含む前記ＢＳＳの前記副チャネルが遊休（ｉｄｌｅ）であるか否かを判定するように構成される、
請求項１に記載の無線通信端末。
【請求項４】
前記プロセッサは、前記無線通信端末によって送信されるＰＰＤＵの送信パワーに基づいて前記第１の閾値を調整するように構成される、
請求項１に記載の無線通信端末。
【請求項５】
前記プロセッサは、２５マイクロ秒の間に前記副チャネルのクリアチャネルアセスメント（ＣＣＡ）を行うように構成される、
請求項１に記載の無線通信端末。
【請求項６】
無線で通信する無線通信端末の動作方法であって、
前記無線通信端末を含む基本サービスセット（ＢＳＳ）の主チャネルが遊休（ｉｄｌｅ）であると検知された場合に、前記無線通信端末を含む前記ＢＳＳと重複するＢＳＳからのＰＬＣＰプロトコルデータユニット（ＰＰＤＵ）のプリアンブル検出のための閾値である第１の閾値に基づいて前記無線通信端末を含む前記ＢＳＳの副チャネルが遊休（ｉｄｌｅ）であるか否かを判定し、
前記判定に基づいて、前記無線通信端末を含む前記ＢＳＳの前記副チャネルにアクセスする、
ことを含む方法。
【請求項７】
前記第１の閾値は、前記無線通信端末を含む前記ＢＳＳからのＰＰＤＵのプリアンブル検出のための閾値である第２の閾値に等しい最小値を有する範囲において決定される、
請求項６に記載の方法。
【請求項８】
前記無線通信端末を含む前記ＢＳＳの前記副チャネルが遊休（ｉｄｌｅ）であるか否かを判定することは、−７２ｄＢｍ以上の値を用いて前記無線通信端末を含む前記ＢＳＳの前記副チャネルが遊休（ｉｄｌｅ）であるか否かを判定することを含む、
請求項６に記載の方法。
【請求項９】
前記無線通信端末を含む前記ＢＳＳの前記副チャネルが遊休（ｉｄｌｅ）であるか否かを判定することは、前記無線通信端末によって送信されるＰＰＤＵの送信パワーに基づいて前記第１の閾値を調整することを含む、
請求項６に記載の方法。
【請求項１０】
前記無線通信端末を含む前記ＢＳＳの前記副チャネルが遊休（ｉｄｌｅ）であるか否かを判定することは、２５マイクロ秒の間に前記副チャネルのクリアチャネルアセスメント（ＣＣＡ）を行うことを含む、
請求項６に記載の方法。